(57)【要約】【課題】端末装置と基地局装置が効率的に通信を行うこと。【解決手段】端末装置が、上位層のパラメータ、ＰＤＳＣＨを受信し、ＨＡＲＱ−ＡＣＫコードブックを生成し、生成したＨＡＲＱ−ＡＣＫコードブックをＰＵＣＣＨで送信し、第１のパラメータが設定される場合、第１のＨＡＲＱ−ＡＣＫコードブックと第２のＨＡＲＱ−ＡＣＫコードブックが生成され、第１のＨＡＲＱ−ＡＣＫコードブックは、ＰＤＳＣＨ  Ａに対応するＨＡＲＱ−ＡＣＫビットを送信するために使われ、第２のＨＡＲＱ−ＡＣＫコードブックは、ＰＤＳＣＨ  Ｂに対応するＨＡＲＱ−ＡＣＫビットを送信するために使われ、第１のパラメータが設定されない場合、第１のＨＡＲＱ−ＡＣＫコードブックが生成され、第１のＨＡＲＱ−ＡＣＫコードブックは、ＰＤＳＣＨ  Ｂに対応するＨＡＲＱ−ＡＣＫビットを送信するために使われる。【選択図】図１７
2020182169.tif 000002
【特許請求の範囲】
【請求項１】
端末装置であって、
上位層のパラメータ、ＰＤＳＣＨを受信する受信部と、
ＨＡＲＱ−ＡＣＫコードブックを生成し、前記生成したＨＡＲＱ−ＡＣＫコードブックをＰＵＣＣＨで送信する送信部と、を備え、
第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、
前記第１のパラメータが設定されない場合、第１のＨＡＲＱ−ＡＣＫコードブックが生成され、前記第１のＨＡＲＱ−ＡＣＫコードブックは、ＰＤＳＣＨ  Ｂに対応するＨＡＲＱ−ＡＣＫビットを送信するために使われる
端末装置。
【請求項２】
前記第１のパラメータが設定される場合、前記第１のＨＡＲＱ−ＡＣＫコードブックは、上位層のパラメータpdsch-HARQ-ACK-Codebookによって示されるコードブックのタイプに基づき生成され、前記第２のＨＡＲＱ−ＡＣＫコードブックは、所定のタイプに基づき生成される請求項１記載の端末装置。
【請求項３】
前記第１のパラメータが設定されない場合、前記第１のＨＡＲＱ−ＡＣＫコードブックは、所定のタイプに基づき生成される請求項１記載の端末装置。
【請求項４】
前記上位層のパラメータpdsch-HARQ-ACK-Codebookは、タイプ１とタイプ２の何れかを
示すために用いられれ、前記所定のタイプはタイプ２である請求項２または３記載の端末装置。
【請求項５】
前記ＰＤＳＣＨ  Ａは、ＤＣＩ  ＡによってスケジュールされるＰＤＳＣＨであり、前記ＰＤＳＣＨ  Ｂは、ＤＣＩ  ＢによってスケジュールされるＰＤＳＣＨであり、前記ＤＣＩ  Ａに付加されたＣＲＣをスクランブルするＲＮＴＩの値が第１の範囲であり、前記ＤＣＩ  Ｂに付加されたＣＲＣをスクランブルするＲＮＴＩの値が前記第１の範囲とは異なる第２の範囲である請求項１に記載の端末装置。
【請求項６】
端末装置と通信する基地局装置であって、
上位層のパラメータ、ＰＤＳＣＨを送信する送信部と、
前記端末装置で生成されるＨＡＲＱ−ＡＣＫコードブックをＰＵＣＣＨで受信する受信部と、を備え、
前記端末装置に第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、
前記端末装置に前記第１のパラメータが設定されない場合、第１のＨＡＲＱ−ＡＣＫコードブックが生成され、前記第１のＨＡＲＱ−ＡＣＫコードブックは、ＰＤＳＣＨ  Ｂに対応するＨＡＲＱ−ＡＣＫビットを送信するために使われる
基地局装置。
【請求項７】
前記第１のパラメータが設定される場合、前記第１のＨＡＲＱ−ＡＣＫコードブックは、上位層のパラメータpdsch-HARQ-ACK-Codebookによって示されるコードブックのタイプに基づき生成され、前記第２のＨＡＲＱ−ＡＣＫコードブックは、所定のタイプに基づき生成される請求項６記載の基地局装置。
【請求項８】
前記第１のパラメータが設定されない場合、前記第１のＨＡＲＱ−ＡＣＫコードブックは、所定のタイプに基づき生成される請求項６記載の基地局装置。
【請求項９】
前記上位層のパラメータpdsch-HARQ-ACK-Codebookは、タイプ１とタイプ２の何れかを
示すために用いられれ、前記所定のタイプはタイプ２である請求項７または８記載の基地局装置。
【請求項１０】
前記ＰＤＳＣＨ  Ａは、ＤＣＩ  ＡによってスケジュールされるＰＤＳＣＨであり、前記ＰＤＳＣＨ  Ｂは、ＤＣＩ  ＢによってスケジュールされるＰＤＳＣＨであり、前記ＤＣＩ  Ａに付加されたＣＲＣをスクランブルするＲＮＴＩの値が第１の範囲であり、前記ＤＣＩ  Ｂに付加されたＣＲＣをスクランブルするＲＮＴＩの値が前記第１の範囲とは異なる第２の範囲である請求項６に記載の基地局装置。
【請求項１１】
端末装置の通信方法であって、
上位層のパラメータ、ＰＤＳＣＨを受信し、
ＨＡＲＱ−ＡＣＫコードブックを生成し、前記生成したＨＡＲＱ−ＡＣＫコードブックをＰＵＣＣＨで送信し、
第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、
前記第１のパラメータが設定されない場合、第１のＨＡＲＱ−ＡＣＫコードブックが生成され、前記第１のＨＡＲＱ−ＡＣＫコードブックは、ＰＤＳＣＨ  Ｂに対応するＨＡＲＱ−ＡＣＫビットを送信するために使われる
通信方法。
【請求項１２】
端末装置と通信する基地局装置の通信方法であって、
上位層のパラメータ、ＰＤＳＣＨを送信し、
前記端末装置で生成されるＨＡＲＱ−ＡＣＫコードブックをＰＵＣＣＨで受信し、
前記端末装置に第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、
前記端末装置に前記第１のパラメータが設定されない場合、第１のＨＡＲＱ−ＡＣＫコードブックが生成され、前記第１のＨＡＲＱ−ＡＣＫコードブックは、ＰＤＳＣＨ  Ｂに対応するＨＡＲＱ−ＡＣＫビットを送信するために使われる
通信方法。
【発明の詳細な説明】
【技術分野】
【０００１】
本発明は、基地局装置、端末装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、LTE（Long Term Evolution）-Advanced Pro及びNR（New Radio technology）の技術検討及び規格策定が行われている（非特許文献１）。
【０００３】
第５世代のセルラーシステムでは、高速・大容量伝送を実現するeMBB（enhanced Mobile BroadBand）、低遅延・高信頼通信を実現するURLLC（Ultra-Reliable and Low Latency Communication）、IoT（Internet of Things）などマシン型デバイスが多数接続するmMTC（massive Machine Type Communication）の3つがサービスの想定シナリオとして要求されている。
【先行技術文献】
【非特許文献】
【０００４】
【非特許文献１】RP-161214, NTT DOCOMO, “Revision of SI: Study on New Radio Access Technology”, 2016年6月
【発明の概要】
【発明が解決しようとする課題】
【０００５】
本発明の目的は、上記のような無線通信システムにおいて、効率的な通信を可能とする端末装置、基地局装置、通信方法、および、集積回路を提供することを目的とする。
【課題を解決するための手段】
【０００６】
（１）上記の目的を達成するために、本発明の態様は、以下のような手段を講じた。すなわち、本発明の一態様における端末装置は、上位層のパラメータ、ＰＤＳＣＨを受信する受信部と、ＨＡＲＱ−ＡＣＫコードブックを生成し、前記生成したＨＡＲＱ−ＡＣＫコードブックをＰＵＣＣＨで送信する送信部と、を備え、第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、前記第１のパラメータが設定されない場合、第１のＨＡＲＱ−ＡＣＫコードブックが生成され、前記第１のＨＡＲＱ−ＡＣＫコードブックは、ＰＤＳＣＨ  Ｂに対応するＨＡＲＱ−ＡＣＫビットを送信するために使われる。
【０００７】
（２）また、本発明の一態様における端末装置と通信する基地局装置は、上位層のパラメータ、ＰＤＳＣＨを送信する送信部と、
前記端末装置で生成されるＨＡＲＱ−ＡＣＫコードブックをＰＵＣＣＨで受信する受信部と、を備え、前記端末装置に第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、前記端末装置に前記第１のパラメータが設定されない場合、第１のＨＡＲＱ−ＡＣＫコードブックが生成され、前記第１のＨ
ＡＲＱ−ＡＣＫコードブックは、ＰＤＳＣＨ  Ｂに対応するＨＡＲＱ−ＡＣＫビットを送信するために使われる。
【０００８】
（３）また、本発明の一態様における通信方法は、端末装置の通信方法であって、上位層のパラメータ、ＰＤＳＣＨを受信し、ＨＡＲＱ−ＡＣＫコードブックを生成し、前記生成したＨＡＲＱ−ＡＣＫコードブックをＰＵＣＣＨで送信し、第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、前記第１のパラメータが設定されない場合、第１のＨＡＲＱ−ＡＣＫコードブックが生成され、前記第１のＨＡＲＱ−ＡＣＫコードブックは、ＰＤＳＣＨ  Ｂに対応するＨＡＲＱ−ＡＣＫビットを送信するために使われる。
【０００９】
（４）また、本発明の一態様における通信方法は、端末装置と通信する基地局装置の通信方法であって、上位層のパラメータ、ＰＤＳＣＨを送信し、前記端末装置で生成されるＨＡＲＱ−ＡＣＫコードブックをＰＵＣＣＨで受信し、前記端末装置に第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、前記端末装置に前記第１のパラメータが設定されない場合、第１のＨＡＲＱ−ＡＣＫコードブックが生成され、前記第１のＨＡＲＱ−ＡＣＫコードブックは、ＰＤＳＣＨ  Ｂに対応するＨＡＲＱ−ＡＣＫビットを送信するために使われる。
【発明の効果】
【００１０】
この発明によれば、基地局装置と端末装置が、効率的に通信することができる。
【図面の簡単な説明】
【００１１】
【図１】本発明の実施形態に係る無線通信システムの概念を示す図である。
【図２】本発明の実施形態に係るＳＳ／ＰＢＣＨブロックおよびＳＳバーストセットの例を示す図である。
【図３】本発明の実施形態に係る上りリンクおよび下りリンクスロットの概略構成の一例を示す図である。
【図４】本発明の実施形態に係るサブフレーム、スロット、ミニスロットの時間領域における関係を示した図である。
【図５】本発明の実施形態に係るスロットまたはサブフレームの一例を示す図である。
【図６】本発明の実施形態に係るビームフォーミングの一例を示した図である。
【図７】本発明の実施形態に係るＰＤＳＣＨマッピングタイプの一例を示す図である。
【図８】本発明の実施形態に係るタイプ２ＨＡＲＱ−ＡＣＫコードブック決定の手順の一例を示す図である。
【図９】本発明の実施形態に係るタイプ１ＨＡＲＱ−ＡＣＫコードブック決定の手順の一例を示す図である。
【図１０】本発明の実施形態に係るどのリソース割り当てテーブルをＰＤＳＣＨ時間領域リソース割り当てに適用するかを定義する図である。
【図１１】本発明の実施形態に係るＰＤＳＣＨに適用するリソース割り当てテーブルの決定法を示すテーブルの一例である。
【図１２】本発明の実施形態に係るＰＤＳＣＨに適用するリソース割り当てテーブルの決定法を示すテーブルの別の一例である。
【図１３】本発明の実施形態に係るデフォルトテーブルＡの一例を示す図である。
【図１４】本発明の実施形態に係るデフォルトテーブルＢの一例を示す図である。
【図１５】本発明の実施形態に係るデフォルトテーブルＣの一例を示す図である。
【図１６】本発明の実施形態に係るＳＬＩＶを算出する一例を示す図である。
【図１７】本発明の実施形態に係る端末装置１の構成を示す概略ブロック図である。
【図１８】本発明の実施形態に係る基地局装置３の構成を示す概略ブロック図である。
【発明を実施するための形態】
【００１２】
以下、本発明の実施形態について説明する。
【００１３】
図１は、本実施形態における無線通信システムの概念図である。図１において、無線通信システムは、端末装置１Ａ、端末装置１Ｂ、および基地局装置３を具備する。以下、端末装置１Ａ、および、端末装置１Ｂを、端末装置１とも称する。
【００１４】
端末装置１は、ユーザ端末、移動局装置、通信端末、移動機、端末、ＵＥ（User Equipment）、ＭＳ（Mobile Station）とも称される。基地局装置３は、無線基地局装置、基地局、無線基地局、固定局、ＮＢ（Node B）、ｅＮＢ（evolved Node B）、ＢＴＳ（Base Transceiver Station）、ＢＳ（Base Station）、ＮＲ  ＮＢ（NR Node B）、ＮＮＢ、ＴＲＰ（Transmission and Reception Point）、ｇＮＢとも称される。基地局装置３は、コアネットワーク装置を含んでも良い。また、基地局装置３は、１つまたは複数の送受信点４（ｔｒａｎｓｍｉｓｓｉｏｎ  ｒｅｃｅｐｔｉｏｎ  ｐｏｉｎｔ）を具備しても良い。以下で説明する基地局装置３の機能／処理の少なくとも一部は、該基地局装置３が具備する各々の送受信点４における機能／処理であってもよい。基地局装置３は、基地局装置３によって制御される通信可能範囲（通信エリア）を１つまたは複数のセルとして端末装置１をサーブしてもよい。また、基地局装置３は、１つまたは複数の送受信点４によって制御される通信可能範囲（通信エリア）を１つまたは複数のセルとして端末装置１をサーブしてもよい。また、基地局装置３は、１つのセルを複数の部分領域（Ｂｅａｍｅｄ  ａｒｅａ）にわけ、それぞれの部分領域において端末装置１をサーブしてもよい。ここで、部分領域は、ビームフォーミングで使用されるビームのインデックスあるいはプリコーディングのインデックスに基づいて識別されてもよい。
【００１５】
基地局装置３から端末装置１への無線通信リンクを下りリンクと称する。端末装置１から基地局装置３への無線通信リンクを上りリンクと称する。
【００１６】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００１７】
また、図１において、端末装置１と基地局装置３の間の無線通信では、ユニバーサルフィルタマルチキャリア（UFMC: Universal-Filtered Multi-Carrier）、フィルタＯＦＤＭ（F-OFDM: Filtered OFDM）、窓関数が乗算されたＯＦＤＭ（Windowed OFDM）、フィルタバンクマルチキャリア（FBMC: Filter-Bank Multi-Carrier）が用いられてもよい。
【００１８】
なお、本実施形態ではＯＦＤＭを伝送方式としてＯＦＤＭシンボルで説明するが、上述の他の伝送方式の場合を用いた場合も本発明に含まれる。
【００１９】
また、図１において、端末装置１と基地局装置３の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２０】
本実施形態の一態様は、ＬＴＥやＬＴＥ−Ａ／ＬＴＥ−Ａ  Ｐｒｏといった無線アクセス技術（RAT: Radio Access Technology）とのキャリアアグリゲーションまたはデュアルコネクティビティにおいてオペレーションされてもよい。このとき、一部またはすべてのセルまたはセルグループ、キャリアまたはキャリアグループ（例えば、プライマリセル（PCell: Primary Cell）、セカンダリセル（SCell: Secondary Cell）、プライマリセカンダリセル（PSCell）、ＭＣＧ（Master Cell Group）、ＳＣＧ（Secondary Cell Group）など）で用いられてもよい。また、単独でオペレーションするスタンドアローンで用いられてもよい。デュアルコネクティビティオペレーションにおいては、ＳｐＣｅｌｌ（Special Cell）は、ＭＡＣ（MAC: Medium Access Control）エンティティがＭＣＧに関連付けられているか、ＳＣＧに関連付けられているかに応じて、それぞれ、ＭＣＧのPCellまたは、SCGのPSCellと称する。デュアルコネクティビティオペレーションでなければ、ＳｐＣｅｌｌ（Special Cell）は、PCellと称する。ＳｐＣｅｌｌ（Special Cell）は、ＰＵＣＣＨ送信と、競合ベースランダムアクセスをサポートする。
【００２１】
本実施形態では、端末装置１に対して１つまたは複数のサービングセルが設定されてもよい。設定された複数のサービングセルは、１つのプライマリセルと１つまたは複数のセカンダリセルとを含んでもよい。プライマリセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリセルと指示されたセルであってもよい。ＲＲＣ（Radio Resource Control）コネクションが確立された時点、または、後に、１つまたは複数のセカンダリセルが設定されてもよい。ただし、設定された複数のサービングセルは、１つのプライマリセカンダリセルを含んでもよい。プライマリセカンダリセルは、端末装置１が設定された１つまたは複数のセカンダリセルのうち、上りリンクにおいて制御情報を送信可能なセカンダリセルであってもよい。また、端末装置１に対して、マスターセルグループとセカンダリセルグループの２種類のサービングセルのサブセットが設定されてもよい。マスターセルグループは１つのプライマリセルと０個以上のセカンダリセルで構成されてもよい。セカンダリセルグループは１つのプライマリセカンダリセルと０個以上のセカンダリセルで構成されてもよい。
【００２２】
本実施形態の無線通信システムは、ＴＤＤ（Time Division Duplex）および／またはＦＤＤ（Frequency Division Duplex）が適用されてよい。複数のセルの全てに対してＴＤ
Ｄ（Time Division Duplex）方式またはＦＤＤ（Frequency Division Duplex）方式が適
用されてもよい。また、ＴＤＤ方式が適用されるセルとＦＤＤ方式が適用されるセルが集約されてもよい。ＴＤＤ方式はアンペアードスペクトラムオペレーション（Unpaired spectrum operation）と称されてもよい。ＦＤＤ方式はペアードスペクトラムオペレーション（Paired spectrum operation）と称されてもよい。
【００２３】
下りリンクにおいて、サービングセルに対応するキャリアを下りリンクコンポーネントキャリア（あるいは下りリンクキャリア）と称する。上りリンクにおいて、サービングセルに対応するキャリアを上りリンクコンポーネントキャリア（あるいは上りリンクキャリア）と称する。サイドリンクにおいて、サービングセルに対応するキャリアをサイドリンクコンポーネントキャリア（あるいはサイドリンクキャリア）と称する。下りリンクコンポーネントキャリア、上りリンクコンポーネントキャリア、および／またはサイドリンクコンポーネントキャリアを総称してコンポーネントキャリア（あるいはキャリア）と称す
る。
【００２４】
本実施形態の物理チャネルおよび物理信号について説明する。
【００２５】
図１において、端末装置１と基地局装置３の無線通信では、以下の物理チャネルが用いられる。
【００２６】
・ＰＢＣＨ（物理報知チャネル：Physical Broadcast CHannel）
・ＰＤＣＣＨ（物理下りリンク制御チャネル：Physical Downlink Control CHannel）
・ＰＤＳＣＨ（物理下りリンク共用チャネル：Physical Downlink Shared CHannel）
・ＰＵＣＣＨ（物理上りリンク制御チャネル：Physical Uplink Control CHannel）
・ＰＵＳＣＨ（物理上りリンク共用チャネル：Physical Uplink Shared CHannel）
・ＰＲＡＣＨ（物理ランダムアクセスチャネル：Physical Random Access CHannel）
【００２７】
ＰＢＣＨは、端末装置１が必要な重要なシステム情報を含む重要情報ブロック（MIB: Master Information Block、EIB: Essential Information Block、ＢＣＨ：Broadcast Channel）を報知するために用いられる。
【００２８】
また、ＰＢＣＨは、同期信号のブロック（ＳＳ／ＰＢＣＨブロックとも称する）の周期内の時間インデックスを報知するために用いられてよい。ここで、時間インデックスは、セル内の同期信号およびＰＢＣＨのインデックスを示す情報である。例えば、３つの送信ビーム（送信フィルタ設定、受信空間パラメータに関する擬似同位置（ＱＣＬ：Quasi Co-Location））の想定を用いてＳＳ／ＰＢＣＨブロックを送信する場合、予め定められた周期内または設定された周期内の時間順を示してよい。また、端末装置は、時間インデックスの違いを送信ビームの違いと認識してもよい。
【００２９】
ＰＤＣＣＨは、下りリンクの無線通信（基地局装置３から端末装置１への無線通信）において、下りリンク制御情報（Downlink Control Information: DCI）を送信する（また
は運ぶ）ために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。ＰＤＣＣＨは、ＰＤＣＣＨ候補において送信される。端末装置１は、サービングセルにおいてＰＤＣＣＨ候補（candidate）のセットをモニタする。モニタすることは、あるＤＣＩフ
ォーマットに応じてＰＤＣＣＨのデコードを試みることを意味する。
【００３０】
例えば、以下のＤＣＩフォーマットが定義されてよい。
・ＤＣＩフォーマット０＿０
・ＤＣＩフォーマット０＿１
・ＤＣＩフォーマット０＿２
・ＤＣＩフォーマット１＿０
・ＤＣＩフォーマット１＿１
・ＤＣＩフォーマット１＿２
・ＤＣＩフォーマット２＿０
・ＤＣＩフォーマット２＿１
・ＤＣＩフォーマット２＿２
・ＤＣＩフォーマット２＿３
【００３１】
ＤＣＩフォーマット０＿０は、あるサービングセルにおけるＰＵＳＣＨのスケジューリングのために用いられてもよい。ＤＣＩフォーマット０＿０は、ＰＵＳＣＨのスケジューリング情報（周波数領域リソース割り当て及び時間領域リソース割り当て）を示す情報を
含んでよい。ＤＣＩフォーマット０＿０は、識別子であるＲａｄｉｏ  Ｎｅｔｗｏｒｋ  Ｔｅｍｐｏｒａｒｙ  Ｉｄｅｎｔｉｆｉｅｒ（ＲＮＴＩ）のうち、Ｃｅｌｌ−ＲＮＴＩ（Ｃ−ＲＮＴＩ）、Ｃｏｎｆｉｇｕｒｅｄ  Ｓｃｈｅｄｕｌｉｎｇ（ＣＳ）−ＲＮＴＩ）、ＭＣＳ―Ｃ−ＲＮＴＩ、および／または、Ｔｅｍｐｏｒａｒｙ  Ｃ−ＮＲＴＩ（ＴＣ−ＲＮＴＩ）の何れかによってスクランブルされるＣＲＣ（Cyclic Redundancy Check）が付加されてもよい。ＤＣＩフォーマット０＿０は、コモンサーチスペースまたはＵＥ固有サーチスペースにおいてモニタされてもよい。
【００３２】
ＤＣＩフォーマット０＿１は、あるサービングセルにおけるＰＵＳＣＨのスケジューリングのために用いられてもよい。ＤＣＩフォーマット０＿１は、ＰＵＳＣＨのスケジューリング情報（周波数領域リソース割り当て及び時間領域リソース割り当て）を示す情報、帯域部分（ＢＷＰ：BandWidth Part）を示す情報、チャネル状態情報（ＣＳＩ：Channel State Information）リクエスト、サウンディング参照信号（ＳＲＳ：Sounding Reference Signal）リクエスト、および／または、アンテナポートに関する情報を含んでよい。ＤＣＩフォーマット０＿１は、ＲＮＴＩのうち、Ｃ−ＲＮＴＩ、ＣＳ−ＲＮＴＩ、Ｓｅｍｉ  Ｐｅｒｓｉｓｔｅｎｔ（ＳＰ）−ＣＳＩ−ＲＮＴＩ、および／または、ＭＣＳ―Ｃ−ＲＮＴＩの何れかによってスクランブルされるＣＲＣが付加されてもよい。ＤＣＩフォーマット０＿１は、ＵＥ固有サーチスペースにおいてモニタされてもよい。
【００３３】
ＤＣＩフォーマット０＿２は、あるサービングセルにおけるＰＵＳＣＨのスケジューリングのために用いられてもよい。ＤＣＩフォーマット０＿２は、ＰＵＳＣＨのスケジューリング情報（周波数領域リソース割り当て及び時間領域リソース割り当て）を示す情報、ＢＷＰを示す情報、ＣＳＩリクエスト、ＳＲＳリクエスト、および／または、アンテナポートに関する情報を含んでよい。ＤＣＩフォーマット０＿２は、ＲＮＴＩのうち、Ｃ−ＲＮＴＩ、ＣＳＩ−ＲＮＴＩ、ＳＰ−ＣＳＩ−ＲＮＴＩ、および／または、ＭＣＳ−Ｃ−ＲＮＴＩの何れかによってスクランブルされるＣＲＣが付加されてもよい。ＤＣＩフォーマット０＿２は、ＵＥ固有サーチスペースにおいてモニタされてもよい。ＤＣＩフォーマット０＿２は、ＤＣＩフォーマット０＿１Ａ等と称されるかもしれない。
【００３４】
ＤＣＩフォーマット１＿０は、あるサービングセルにおけるＰＤＳＣＨのスケジューリングのために用いられてもよい。ＤＣＩフォーマット１＿０は、ＰＤＳＣＨのスケジューリング情報（周波数領域リソース割り当て及び時間領域リソース割り当て）を示す情報を含んでよい。ＤＣＩフォーマット１＿０は、識別子のうち、Ｃ−ＲＮＴＩ、ＣＳ−ＲＮＴＩ、ＭＣＳ―Ｃ−ＲＮＴＩ、Ｐａｇｉｎｇ  ＲＮＴＩ（Ｐ−ＲＮＴＩ）、Ｓｙｓｔｅｍ  Ｉｎｆｏｒｍａｔｉｏｎ（ＳＩ）−ＲＮＴＩ、Ｒａｎｄｏｍ  Ａｃｃｅｓｓ（ＲＡ）−ＲＮＴＩ、および／または、ＴＣ−ＲＮＴＩの何れかによってスクランブルされるＣＲＣが付加されてもよい。ＤＣＩフォーマット１＿０は、コモンサーチスペースまたはＵＥ固有サーチスペースにおいてモニタされてもよい。
【００３５】
ＤＣＩフォーマット１＿１は、あるサービングセルにおけるＰＤＳＣＨのスケジューリングのために用いられてもよい。ＤＣＩフォーマット１＿１は、ＰＤＳＣＨのスケジューリング情報（周波数領域リソース割り当て及び時間領域リソース割り当て）を示す情報、帯域部分（ＢＷＰ）を示す情報、送信設定指示（ＴＣＩ：Transmission Configuration Indication）、および／または、アンテナポートに関する情報を含んでよい。ＤＣＩフォ
ーマット１＿１は、ＲＮＴＩのうち、Ｃ−ＲＮＴＩ、ＣＳ−ＲＮＴＩ、および／または、ＭＣＳ―Ｃ−ＲＮＴＩの何れかによってスクランブルされるＣＲＣが付加されてもよい。ＤＣＩフォーマット１＿１は、ＵＥ固有サーチスペースにおいてモニタされてもよい。
【００３６】
ＤＣＩフォーマット１＿２は、あるサービングセルにおけるＰＤＳＣＨのスケジューリングのために用いられてもよい。ＤＣＩフォーマット１＿２は、ＰＤＳＣＨのスケジュー
リング情報（周波数領域リソース割り当て及び時間領域リソース割り当て）を示す情報、ＢＷＰを示す情報、ＴＣＩ、および／または、アンテナポートに関する情報を含んでよい。ＤＣＩフォーマット１＿２は、ＲＮＴＩのうち、Ｃ−ＲＮＴＩ、ＣＳ−ＲＮＴＩ、および／または、ＭＣＳ―Ｃ−ＲＮＴＩの何れかによってスクランブルされるＣＲＣが付加されてもよい。ＤＣＩフォーマット１＿２は、ＵＥ固有サーチスペースにおいてモニタされてもよい。ＤＣＩフォーマット１＿２は、ＤＣＩフォーマット１＿１Ａ等と称されるかもしれない。また、ＤＣＩフォーマット１＿２は、ＵＣ−ＲＮＴＩでスクランブルされたＣＲＣを付加されたＤＣＩフォーマット１＿１であってもよい。ただし、ＵＣ−ＲＮＴＩはＣ−ＲＮＴＩ、ＭＣＳ−Ｃ−ＲＮＴＩ，ＣＳ−ＲＮＴＩ、ＳＩ−ＲＮＴＩ、ＲＡ−ＲＮＴＩ、ＴＣ−ＲＮＴＩおよびＰ−ＲＮＴＩで利用可能な値とは異なる値を用いるＲＮＴＩであってよい。ただし、ＵＣ−ＲＮＴＩは１つまたは複数のスロットにおける所定のサービスのデータのＰＤＳＣＨまたはＰＵＳＣＨを制御するために用いられるＲＮＴＩであってよい。
【００３７】
ＤＣＩフォーマット２＿０は、１つまたは複数のスロットのスロットフォーマットを通知するために用いられる。スロットフォーマットは、スロット内の各ＯＦＤＭシンボルが下りリンク、フレキシブル、上りリンクのいずれかに分類されたものとして定義される。例えば、スロットフォーマットが２８の場合、スロットフォーマット２８が指示されたスロット内の１４シンボルのＯＦＤＭシンボルに対してＤＤＤＤＤＤＤＤＤＤＤＤＦＵが適用される。ここで、Ｄが下りリンクシンボル、Ｆがフレキシブルシンボル、Ｕが上りリンクシンボルである。なお、スロットについては後述する。
【００３８】
ＤＣＩフォーマット２＿１は、端末装置１に対して、送信がないと想定してよい物理リソースブロックとＯＦＤＭシンボルを通知するために用いられる。なお、この情報はプリエンプション指示（間欠送信指示）と称してよい。
【００３９】
ＤＣＩフォーマット２＿２は、ＰＵＳＣＨおよびＰＵＳＣＨのための送信電力制御（ＴＰＣ：Transmit Power Control）コマンドの送信のために用いられる。
【００４０】
ＤＣＩフォーマット２＿３は、１または複数の端末装置１によるサウンディング参照信号（ＳＲＳ）送信のためのＴＰＣコマンドのグループを送信するために用いられる。また、ＴＰＣコマンドとともに、ＳＲＳリクエストが送信されてもよい。また、ＤＣＩフォーマット２＿３に、ＰＵＳＣＨおよびＰＵＣＣＨのない上りリンク、またはＳＲＳの送信電力制御がＰＵＳＣＨの送信電力制御と紐付いていない上りリンクのために、ＳＲＳリクエストとＴＰＣコマンドが定義されてよい。
【００４１】
下りリンクに対するＤＣＩを、下りリンクグラント（downlink grant）、または、下りリンクアサインメント（downlink assignment）とも称する。ここで、上りリンクに対す
るＤＣＩを、上りリンクグラント（uplink grant）、または、上りリンクアサインメント（Uplink assignment）とも称する。ＤＣＩを、ＤＣＩフォーマットとも称してもよい。
【００４２】
１つのＰＤＣＣＨで送信されるＤＣＩフォーマットに付加されるＣＲＣパリティビットは、ＳＩ−ＲＮＴＩ、Ｐ−ＲＮＴＩ、Ｃ−ＲＮＴＩ、ＣＳ−ＲＮＴＩ、ＲＡ−ＲＮＴＩ、または、ＴＣ−ＲＮＴＩでスクランブルされる。ＳＩ−ＲＮＴＩはシステム情報のブロードキャストに使用される識別子であってもよい。Ｐ−ＲＮＴＩは、ページングおよびシステム情報変更の通知に使用される識別子であってもよい。Ｃ−ＲＮＴＩ、ＭＣＳ−Ｃ−ＲＮＴＩ、および、ＣＳ−ＲＮＴＩは、セル内において端末装置を識別するための識別子である。ＴＣ−ＲＮＴＩは、競合ベースのランダムアクセス手順（contention based random access procedure）中に、ランダムアクセスプリアンブルを送信した端末装置１を識別するための識別子である。
【００４３】
Ｃ−ＲＮＴＩは、１つまたは複数のスロットにおけるＰＤＳＣＨまたはＰＵＳＣＨを制御するために用いられる。ＣＳ−ＲＮＴＩは、ＰＤＳＣＨまたはＰＵＳＣＨのリソースを周期的に割り当てるために用いられる。ＭＣＳ−Ｃ−ＲＮＴＩは、グラントベース送信（grant-based transmission）に対して所定のＭＣＳテーブルの使用を示すために用いられる。ＴＣ−ＲＮＴＩは、１つまたは複数のスロットにおけるＰＤＳＣＨ送信またはＰＵＳＣＨ送信を制御するために用いられる。ＴＣ−ＲＮＴＩは、ランダムアクセスメッセージ３の再送信、およびランダムアクセスメッセージ４の送信をスケジュールするために用いられる。ＲＡ−ＲＮＴＩは、ランダムアクセスプリアンブルを送信した物理ランダムアクセスチャネルの周波数および時間の位置情報に応じて決定される。
【００４４】
Ｃ−ＲＮＴＩおよび／またはその他のＲＮＴＩは、ＰＤＳＣＨまたはＰＵＳＣＨのトラフィックのタイプに対応して異なる値が用いられてもよい。Ｃ−ＲＮＴＩおよびその他のＲＮＴＩは、ＰＤＳＣＨまたはＰＵＳＣＨで伝送されるデータのサービスタイプ（ｅＭＢＢ、ＵＲＬＬＣ、および／または、ｍＭＴＣ）に対応して異なる値が用いられてもよい。基地局装置３は、送信するデータのサービスタイプに対応して異なる値のＲＮＴＩを用いてもよい。端末装置１は、受信したＤＣＩに適用された（スクランブルに用いられた）ＲＮＴＩの値によって、関連するＰＤＳＣＨまたはＰＵＳＣＨで伝送されるデータのサービスタイプを識別してもよい。
【００４５】
ＰＵＣＣＨは、上りリンクの無線通信（端末装置１から基地局装置３の無線通信）において、上りリンク制御情報（Uplink Control Information: UCI）を送信するために用い
られる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH）に対するＨＡＲＱ−ＡＣＫを示してもよい。ＨＡＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫビット、ＨＡＲＱ−ＡＣＫ情報ビット、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも称する。下りリンクデータが成功裏に復号された場合、該下りリンクデータに対するＡＣＫが生成される。下りリンクデータが成功裏に復号されなかった場合、該下りリンクデータに対するＮＡＣＫが生成される。ＤＴＸ（discontinuous transmission）は、下りリンクデータを検出しなかったことを意味してもよい。ＤＴＸ（discontinuous transmission）は、ＨＡＲＱ−ＡＣＫ応答を送信するべきデータを検出しなかったことを意味してもよい。ＨＡＲＱ−ＡＣＫは、ＣＢＧ（Ｃｏｄｅ  Ｂｌｏｃｋ  Ｇｒｏｕｐ、符号ブロックのグループ）のためのＨＡＲＱ−ＡＣＫを含んでもよい。トランスポートブロックに含まれるＣＢＧの一部または全部のためのＨＡＲＱ−ＡＣＫがＰＵＣＣＨ、または、ＰＵＳＣＨにおいて送信されてもよい。
【００４６】
ＰＤＳＣＨは、媒介アクセス（MAC: Medium Access Control）層からの下りリンクデータ（DL-SCH: Downlink Shared CHannel）の送信に用いられる。また、下りリンクの場合
にはシステム情報（SI: System Information）やランダムアクセス応答（RAR: Random Access Response）などの送信にも用いられる。
【００４７】
ＰＵＳＣＨは、ＭＡＣ層からの上りリンクデータ（UL-SCH: Uplink Shared CHannel）
または上りリンクデータと共にＨＡＲＱ−ＡＣＫおよび／またはＣＳＩを送信するために
用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００４８】
ここで、基地局装置３と端末装置１は、上位層（上位レイヤ：higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。また、端末装置１のＲＲＣ層は、基地局装置３から報知されるシステム情報を取得する。ここで、ＲＲＣシグナリング、システム情報、および／または、ＭＡＣコントロールエレメントを、上位層の信号（上位レイヤ信号：higher layer signaling）または上位層のパラメータとも称する。ここでの上位層は、物理層から見た上位層を意味するため、ＭＡＣ層、ＲＲＣ層、ＲＬＣ層、ＰＤＣＰ層、ＮＡＳ（Non Access Stratum）層などの１つまたは複数を含んでもよい。例えば、ＭＡＣ層の処理において上位層とは、ＲＲＣ層、ＲＬＣ層、ＰＤＣＰ層、ＮＡＳ層などの１つまたは複数を含んでもよい。以下、“Ａは、上位層で与えられる”や“Ａは、上位層によって与えられる”の意味は、端末装置１の上位層（主にＲＲＣ層やＭＡＣ層など）が、基地局装置３からＡを受信し、その受信したＡを端末装置１の上位層から端末装置１の物理層に与えることを意味してもよい。端末装置１には上位層のパラメータが設定されることは端末装置に対して上位層のパラメータが提供されることを意味してもよい。
【００４９】
ＰＤＳＣＨまたはＰＵＳＣＨは、ＲＲＣシグナリング、および、ＭＡＣコントロールエレメントを送信するために用いられてもよい。ここで、ＰＤＳＣＨにおいて、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）で
あってもよい。すなわち、端末装置固有（ＵＥスペシフィック）の情報は、ある端末装置１に対して専用のシグナリングを用いて送信されてもよい。また、ＰＵＳＣＨは、上りリンクにおいてＵＥの能力（UE Capability）の送信に用いられてもよい。
【００５０】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
【００５１】
同期信号は、プライマリ同期信号（ＰＳＳ：Primary Synchronization Signal）およびセカンダリ同期信号（ＳＳＳ）を含んでよい。ＰＳＳとＳＳＳを用いてセルＩＤが検出されてよい。
【００５２】
同期信号は、端末装置１が下りリンクの周波数領域および時間領域の同期をとるために用いられる。ここで、同期信号は、端末装置１が基地局装置３によるプリコーディングまたはビームフォーミングにおけるプリコーディングまたはビームの選択に用いられて良い。なお、ビームは、送信または受信フィルタ設定、あるいは空間ドメイン送信フィルタまたは空間ドメイン受信フィルタと呼ばれてもよい。
【００５３】
参照信号は、端末装置１が物理チャネルの伝搬路補償を行うために用いられる。ここで、参照信号は、端末装置１が下りリンクのＣＳＩを算出するためにも用いられてよい。また、参照信号は、無線パラメータやサブキャリア間隔などのヌメロロジーやＦＦＴの窓同期などができる程度の細かい同期（Fine synchronization）に用いられて良い。
【００５４】
本実施形態において、以下の下りリンク参照信号のいずれか１つまたは複数が用いられる。
・ＤＭＲＳ（Demodulation Reference Signal）
・ＣＳＩ−ＲＳ（Channel State Information Reference Signal）
・ＰＴＲＳ（Phase Tracking Reference Signal）
・ＴＲＳ（Tracking Reference Signal）
【００５５】
ＤＭＲＳは、変調信号を復調するために使用される。なお、ＤＭＲＳには、ＰＢＣＨを復調するための参照信号と、ＰＤＳＣＨを復調するための参照信号の２種類が定義されてもよいし、両方をＤＭＲＳと称してもよい。ＣＳＩ−ＲＳは、チャネル状態情報（ＣＳＩ：Channel State Information）の測定およびビームマネジメントに使用され、周期的またはセミパーシステントまたは非周期のＣＳＩ参照信号の送信方法が適用される。ＣＳＩ−ＲＳには、ノンゼロパワー（ＮＺＰ：Ｎｏｎ−Ｚｅｒｏ  Ｐｏｗｅｒ）ＣＳＩ−ＲＳと、送信電力（または受信電力）がゼロである（ゼロパワー（ＺＰ：Ｚｅｒｏ  Ｐｏｗｅｒ）ＣＳＩ−ＲＳが定義されてよい。ここで、ＺＰ  ＣＳＩ−ＲＳは送信電力がゼロまたは送信されないＣＳＩ−ＲＳリソースと定義されてよい。ＰＴＲＳは、位相雑音に起因する周波数オフセットを保証する目的で、時間軸で位相をトラックするために使用される。ＴＲＳは、高速移動時におけるドップラーシフトを保証するために使用される。なお、ＴＲＳはＣＳＩ−ＲＳの１つの設定として用いられてよい。例えば、１ポートのＣＳＩ−ＲＳがＴＲＳとして無線リソースが設定されてもよい。
【００５６】
本実施形態において、以下の上りリンク参照信号のいずれか１つまたは複数が用いられる。
・ＤＭＲＳ（Demodulation Reference Signal）
・ＰＴＲＳ（Phase Tracking Reference Signal）
・ＳＲＳ（Sounding Reference Signal）
【００５７】
ＤＭＲＳは、変調信号を復調するために使用される。なお、ＤＭＲＳには、ＰＵＣＣＨを復調するための参照信号と、ＰＵＳＣＨを復調するための参照信号の２種類が定義されてもよいし、両方をＤＭＲＳと称してもよい。ＳＲＳは、上りリンクのチャネル状態情報（ＣＳＩ）の測定、チャネルサウンディング、およびビームマネジメントに使用される。ＰＴＲＳは、位相雑音に起因する周波数オフセットを保証する目的で、時間軸で位相をトラックするために使用される。
【００５８】
下りリンク物理チャネルおよび／または下りリンク物理シグナルを総称して、下りリンク信号と称する。上りリンク物理チャネルおよび／または上りリンク物理シグナルを総称して、上りリンク信号と称する。下りリンク物理チャネルおよび／または上りリンク物理チャネルを総称して、物理チャネルと称する。下りリンク物理シグナルおよび／または上りリンク物理シグナルを総称して、物理シグナルと称する。
【００５９】
ＢＣＨ、ＵＬ−ＳＣＨおよびＤＬ−ＳＣＨは、トランスポートチャネルである。媒体アクセス制御（ＭＡＣ：Medium Access Control）層で用いられるチャネルをトランスポー
トチャネルと称する。ＭＡＣ層で用いられるトランスポートチャネルの単位を、トランスポートブロック（ＴＢ：transport block）および／またはＭＡＣ  ＰＤＵ（Protocol Data Unit）とも称する。ＭＡＣ層においてトランスポートブロック毎にＨＡＲＱ（Hybrid Automatic Repeat reQuest）の制御が行われる。トランスポートブロックは、ＭＡＣ層が物理層に渡す（deliver）データの単位である。物理層において、トランスポートブロックはコードワードにマップされ、コードワード毎に符号化処理が行われる。
【００６０】
図２は、本実施形態に係るＳＳ／ＰＢＣＨブロック（同期信号ブロック、ＳＳブロック、ＳＳＢとも称される）およびＳＳバーストセット（同期信号バーストセットとも称される）の例を示す図である。図２は、周期的に送信されるＳＳバーストセット内に２つのＳＳ／ＰＢＣＨブロックが含まれ、ＳＳ／ＰＢＣＨブロックは、連続する４ＯＦＤＭシンボルで構成される例を示している。
【００６１】
ＳＳ／ＰＢＣＨブロックは、少なくとも同期信号（ＰＳＳ、ＳＳＳ）、および／またはＰＢＣＨを含む単位ブロックである。ＳＳ／ＰＢＣＨブロックに含まれる信号／チャネルを送信することを、ＳＳ／ＰＢＣＨブロックを送信すると表現する。基地局装置３はＳＳバーストセット内の１つまたは複数のＳＳ／ＰＢＣＨブロックを用いて同期信号および／またはＰＢＣＨを送信する場合に、ＳＳ／ＰＢＣＨブロック毎に独立した下りリンク送信ビームを用いてもよい。
【００６２】
図２において、１つのＳＳ／ＰＢＣＨブロックにはＰＳＳ、ＳＳＳ、ＰＢＣＨが時間／周波数多重されている。ただし、ＰＳＳ、ＳＳＳおよび／またはＰＢＣＨが時間領域で多重される順番は図２に示す例と異なってもよい。
【００６３】
ＳＳバーストセットは、周期的に送信されてよい。例えば、初期アクセスに使用されるための周期と、接続されている（ConnectedまたはRRC_Connected）端末装置のために設定する周期が定義されてもよい。また、接続されている（ConnectedまたはRRC_Connected）端末装置のために設定する周期はＲＲＣ層で設定されてよい。また、接続されている（ConnectedまたはRRC_Connected）端末のために設定する周期は潜在的に送信する可能性がある時間領域の無線リソースの周期であって、実際には基地局装置３が送信するかどうかを決めてもよい。また、初期アクセスに使用されるための周期は、仕様書などに予め定義されてよい。
【００６４】
ＳＳバーストセットは、システムフレーム番号（ＳＦＮ：System Frame Number）に基
づいて決定されてよい。また、ＳＳバーストセットの開始位置（バウンダリ）は、ＳＦＮと周期に基づいて決定されてよい。
【００６５】
ＳＳ／ＰＢＣＨブロックは、ＳＳバーストセット内の時間的な位置に応じてＳＳＢインデックス（ＳＳＢ／ＰＢＣＨブロックインデックスと称されてもよい）が割り当てられる。端末装置１は、検出したＳＳ／ＰＢＣＨブロックに含まれるＰＢＣＨの情報および／または参照信号の情報に基づいてＳＳＢインデックスを算出する。
【００６６】
複数のＳＳバーストセットにおける各ＳＳバーストセット内における相対的な時間が同じＳＳ／ＰＢＣＨブロックは、同じＳＳＢインデックスが割り当てられる。複数のＳＳバーストセットにおける各ＳＳバーストセット内における相対的な時間が同じＳＳ／ＰＢＣＨブロックは、ＱＣＬである（あるいは同じ下りリンク送信ビームが適用されている）と想定されてもよい。また、複数のＳＳバーストセットにおける各ＳＳバーストセット内における相対的な時間が同じＳＳ／ＰＢＣＨブロックにおけるアンテナポートは、平均遅延、ドップラーシフト、空間相関に関してＱＣＬであると想定されてもよい。
【００６７】
あるＳＳバーストセットの周期内で、同じＳＳＢインデックスが割り当てられているＳＳ／ＰＢＣＨブロックは、平均遅延、平均ゲイン、ドップラースプレッド、ドップラーシフト、空間相関に関してＱＣＬであると想定されてもよい。ＱＣＬである１つまたは複数のＳＳ／ＰＢＣＨブロック（あるいは参照信号であってもよい）に対応する設定をＱＣＬ設定と称してもよい。
【００６８】
ＳＳ／ＰＢＣＨブロック数（ＳＳブロック数あるいはＳＳＢ数と称されてもよい）は、例えばＳＳバースト、またはＳＳバーストセット内、またはＳＳ／ＰＢＣＨブロックの周期の中のＳＳ／ＰＢＣＨブロック数（個数）として定義されてよい。また、ＳＳ／ＰＢＣＨブロック数は、ＳＳバースト内、またはＳＳバーストセット内、またはＳＳ／ＰＢＣＨブロックの周期の中のセル選択のためのビームグループの数を示してもよい。ここで、ビームグループは、ＳＳバースト内、またはＳＳバーストセット内、またはＳＳ／ＰＢＣＨブロックの周期の中に含まれる異なるＳＳ／ＰＢＣＨブロックの数または異なるビームの数として定義されてよい。
【００６９】
以下、本実施形態で説明する参照信号は、下りリンク参照信号、同期信号、ＳＳ／ＰＢＣＨブロック、下りリンクＤＭ−ＲＳ、ＣＳＩ−ＲＳ、上りリンク参照信号、ＳＲＳ、および／または、上りリンクＤＭ−ＲＳを含む。例えば、下りリンク参照信号、同期信号および／またはＳＳ／ＰＢＣＨブロックを参照信号と称してもよい。下りリンクで使用される参照信号は、下りリンク参照信号、同期信号、ＳＳ／ＰＢＣＨブロック、下りリンクＤＭ−ＲＳ、ＣＳＩ−ＲＳなどを含む。上りリンクで使用される参照信号は、上りリンク参照信号、ＳＲＳ、および／または、上りリンクＤＭ−ＲＳなどを含む。
【００７０】
また、参照信号は、無線リソース測定（ＲＲＭ：Radio Resource Measurement）に用いられてよい。また、参照信号は、ビームマネジメントに用いられてよい。
【００７１】
ビームマネジメントは、送信装置（下りリンクの場合は基地局装置３であり、上りリンクの場合は端末装置１である）におけるアナログおよび／またはディジタルビームと、受信装置（下りリンクの場合は端末装置１、上りリンクの場合は基地局装置３である）におけるアナログおよび／またはディジタルビームの指向性を合わせ、ビーム利得を獲得するための基地局装置３および／または端末装置１の手続きであってよい。
【００７２】
なお、ビームペアリンクを構成、設定または確立する手続きとして、下記の手続きを含んでよい。
・ビーム選択（Beam selection）
・ビーム改善（Beam refinement）
・ビームリカバリ（Beam recovery）
【００７３】
例えば、ビーム選択は、基地局装置３と端末装置１の間の通信においてビームを選択する手続きであってよい。また、ビーム改善は、さらに利得の高いビームの選択、あるいは端末装置１の移動によって最適な基地局装置３と端末装置１の間のビームの変更をする手続きであってよい。ビームリカバリは、基地局装置３と端末装置１の間の通信において遮蔽物や人の通過などにより生じるブロッケージにより通信リンクの品質が低下した際にビームを再選択する手続きであってよい。
【００７４】
ビームマネジメントには、ビーム選択、ビーム改善が含まれてよい。ビームリカバリには、下記の手続きを含んでよい。
・ビーム失敗（beam failure）の検出
・新しいビームの発見
・ビームリカバリリクエストの送信
・ビームリカバリリクエストに対する応答のモニタ
【００７５】
例えば、端末装置１における基地局装置３の送信ビームを選択する際にＣＳＩ−ＲＳまたはＳＳ／ＰＢＣＨブロックに含まれるＳＳＳのＲＳＲＰ（Reference Signal Received Power）を用いてもよいし、ＣＳＩを用いてもよい。また、基地局装置３への報告として
ＣＳＩ−ＲＳリソースインデックス（ＣＲＩ：CSI-RS Resource Index）を用いてもよい
し、ＳＳ／ＰＢＣＨブロックに含まれるＰＢＣＨおよび／またはＰＢＣＨの復調に用いられる復調用参照信号（ＤＭＲＳ）の系列で指示されるインデックスを用いてもよい。
【００７６】
また、基地局装置３は、端末装置１へビームを指示する際にＣＲＩまたはＳＳ／ＰＢＣＨの時間インデックスを指示し、端末装置１は、指示されたＣＲＩまたはＳＳ／ＰＢＣＨの時間インデックスに基づいて受信する。このとき、端末装置１は指示されたＣＲＩまたはＳＳ／ＰＢＣＨの時間インデックスに基づいて空間フィルタを設定し、受信してよい。また、端末装置１は、疑似同位置（ＱＣＬ：Quasi Co-Location）の想定を用いて受信し
てもよい。ある信号（アンテナポート、同期信号、参照信号など）が別の信号（アンテナポート、同期信号、参照信号など）と「ＱＣＬである」または、「ＱＣＬの想定が用いられる」とは、ある信号が別の信号と関連付けられていると解釈できる。
【００７７】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００７８】
このＱＣＬは、ビームマネジメントにも拡張されうる。そのために、空間に拡張したＱＣＬが新たに定義されてもよい。例えば、空間ドメインのＱＣＬの想定におけるチャネルの長区間特性（Long term property）として、無線リンクあるいはチャネルにおける到来角（AoA（Angle of Arrival）, ZoA（Zenith angle of Arrival）など）および／または
角度広がり（Angle Spread、例えばASA（Angle Spread of Arrival）やZSA（Zenith angle Spread of Arrival））、送出角（AoD, ZoDなど）やその角度広がり（Angle Spread、例えばASD（Angle Spread of Departure）やZSD（Zenith angle Spread of Departure））、空間相関（Spatial Correlation）、受信空間パラメータであってもよい。
【００７９】
例えば、アンテナポート１とアンテナポート２の間で受信空間パラメータに関してＱＣＬであるとみなせる場合、アンテナポート１からの信号を受信する受信ビーム（受信空間フィルタ）からアンテナポート２からの信号を受信する受信ビームが推論されうることを意味する。
【００８０】
ＱＣＬタイプとして、ＱＣＬであるとみなしてよい長区間特性の組み合わせが定義されてよい。例えば、以下のタイプが定義されてよい。
・タイプＡ：ドップラーシフト、ドップラースプレッド、平均遅延、遅延スプレッド
・タイプＢ：ドップラーシフト、ドップラースプレッド
・タイプＣ：平均遅延、ドップラーシフト
・タイプＤ：受信空間パラメータ
【００８１】
上述のＱＣＬタイプは、ＲＲＣおよび／またはＭＡＣ層および／またはＤＣＩで１つまたは２つの参照信号とＰＤＣＣＨやＰＤＳＣＨ  ＤＭＲＳとのＱＣＬの想定を送信設定指示（ＴＣＩ：Transmission Configuration Indication）として設定および／または指示
してもよい。例えば、端末装置１がＰＤＣＣＨを受信する際のＴＣＩの１つの状態として、ＳＳ／ＰＢＣＨブロックのインデックス＃２とＱＣＬタイプＡ＋ＱＣＬタイプＢが設定および／または指示された場合、端末装置１は、ＰＤＣＣＨ  ＤＭＲＳを受信する際、ＳＳ／ＰＢＣＨブロックインデックス＃２の受信におけるドップラーシフト、ドップラースプレッド、平均遅延、遅延スプレッド、受信空間パラメータとチャネルの長区間特性とみなしてＰＤＣＣＨのＤＭＲＳを受信して同期や伝搬路推定をしてもよい。このとき、ＴＣＩにより指示される参照信号（上述の例ではＳＳ／ＰＢＣＨブロック）をソース参照信号、ソース参照信号を受信する際のチャネルの長区間特性から推論される長区間特性の影響を受ける参照信号（上述の例ではＰＤＣＣＨ  ＤＭＲＳ）をターゲット参照信号と称してよい。また、ＴＣＩは、ＲＲＣで１つまたは複数のＴＣＩ状態と各状態に対してソース参照信号とＱＣＬタイプの組み合わせが設定され、ＭＡＣ層またはＤＣＩにより端末装置１に指示されてよい。
【００８２】
この方法により、ビームマネジメントおよびビーム指示／報告として、空間ドメインのＱＣＬの想定と無線リソース（時間および／または周波数）によりビームマネジメントと等価な基地局装置３、端末装置１の動作が定義されてもよい。
【００８３】
以下、サブフレームについて説明する。本実施形態ではサブフレームと称するが、リソースユニット、無線フレーム、時間区間、時間間隔などと称されてもよい。
【００８４】
図３は、本発明の第１の実施形態に係る上りリンクおよび下りリンクスロットの概略構成の一例を示す図である。無線フレームのそれぞれは、１０ｍｓ長である。また、無線フレームのそれぞれは１０個のサブフレームおよびＷ個のスロットから構成される。また、１スロットは、Ｘ個のＯＦＤＭシンボルで構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。また、例えば、Ｘ＝１４の場合、サブキャリア間隔が１５ｋＨｚの場合はＷ＝１０であり、サブキャリア間隔が６０ｋＨｚの場合はＷ＝４０である。図３は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。また、図３のセルの帯域幅は帯域の一部（ＢＷＰ：BandWidth Part）として定義されてもよい。また、スロットは、送信時間間隔（ＴＴＩ：Transmission Time Interval）と定義されてもよい。スロットは、ＴＴＩとして定義されなくてもよい。ＴＴＩは、トランスポートブロックの送信期間であってもよい。
【００８５】
スロットのそれぞれにおいて送信される信号または物理チャネルは、リソースグリッドによって表現されてよい。リソースグリッドは、それぞれのヌメロロジー（サブキャリア間隔およびサイクリックプレフィックス長）およびそれぞれのキャリアに対して、複数のサブキャリアと複数のＯＦＤＭシンボルによって定義される。1つのスロットを構成する
サブキャリアの数は、セルの下りリンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００８６】
リソースグリッドは、ある物理下りリンクチャネル（ＰＤＳＣＨなど）あるいは上りリンクチャネル（ＰＵＳＣＨなど）のリソースエレメントのマッピングを表現するために用いられる。例えば、サブキャリア間隔が１５ｋＨｚの場合、サブフレームに含まれるＯＦＤＭシンボル数Ｘ＝１４で、ＮＣＰの場合には、１つの物理リソースブロックは、時間領域において１４個の連続するＯＦＤＭシンボルと周波数領域において１２＊Ｎｍａｘ個の連続するサブキャリアとから定義される。Ｎｍａｘは、後述するサブキャリア間隔設定μにより決定されるリソースブロックの最大数である。つまり、リソースグリッドは、（１４＊１２＊Ｎｍａｘ，μ）個のリソースエレメントから構成される。ＥＣＰ（Extended CP）の場合、サブキャリア間隔６０ｋＨｚにおいてのみサポートされるので、１つの物理リソースブロックは、例えば、時間領域において１２（１スロットに含まれるＯＦＤＭシンボル数）＊４（１サブフレームに含まれるスロット数）＝４８個の連続するＯＦＤＭシンボルと、周波数領域において１２＊Ｎｍａｘ，μ個の連続するサブキャリアとにより定義される。つまり、リソースグリッドは、（４８＊１２＊Ｎｍａｘ，μ）個のリソースエレメントから構成される。
【００８７】
リソースブロックとして、参照リソースブロック、共通リソースブロック、物理リソースブロック、仮想リソースブロックが定義される。１リソースブロックは、周波数領域で連続する１２サブキャリアとして定義される。参照リソースブロックは、全てのサブキャリアにおいて共通であり、例えば１５ｋＨｚのサブキャリア間隔でリソースブロックを構成し、昇順に番号が付されてよい。参照リソースブロックインデックス０におけるサブキャリアインデックス０は、参照ポイントＡ（point A）と称されてよい（単に“参照ポイント”と称されてもよい）。共通リソースブロックは、参照ポイントＡから各サブキャリア間隔設定μにおいて０から昇順で番号が付されるリソースブロックである。上述のリソースグリッドはこの共通リソースブロックにより定義される。物理リソースブロックは、後述する帯域部分（ＢＷＰ）の中に含まれる０から昇順で番号が付されたリソースブロックであり、物理リソースブロックは、帯域部分（ＢＷＰ）の中に含まれる０から昇順で番号が付されたリソースブロックである。ある物理上りリンクチャネルは、まず仮想リソースブロックにマップされる。その後、仮想リソースブロックは、物理リソースブロックにマップされる。以下、リソースブロックは仮想リソースブロックであってもよいし、物理リソースブロックであってもよいし、共通リソースブロックであってもよいし、参照リソースブロックであってもよい。
【００８８】
次に、サブキャリア間隔設定μについて説明する。上述のようにＮＲでは、１つまたは複数のＯＦＤＭヌメロロジーがサポートされる。あるＢＷＰにおいて、サブキャリア間隔設定μ（μ＝０，１，．．．，５）と、サイクリックプレフィックス長は、下りリンクのＢＷＰに対して上位層で与えられ、上りリンクのＢＷＰにおいて上位層で与えられる。ここで、μが与えられると、サブキャリア間隔Δｆは、Δｆ＝２＾μ・１５（ｋＨｚ）で与えられる。 
【００８９】
サブキャリア間隔設定μにおいて、スロットは、サブフレーム内で０からＮ＾｛ｓｕｂｆｒａｍｅ，μ｝＿｛ｓｌｏｔ｝−１に昇順に数えられ、フレーム内で０からＮ＾｛ｆｒａｍｅ，μ｝＿｛ｓｌｏｔ｝−１に昇順に数えられる。スロット設定およびサイクリックプレフィックスに基づいてＮ＾｛ｓｌｏｔ｝＿｛ｓｙｍｂ｝の連続するＯＦＤＭシンボルがスロット内にある。Ｎ＾｛ｓｌｏｔ｝＿｛ｓｙｍｂ｝は１４である。サブフレーム内のスロットｎ＾｛μ｝＿｛ｓ｝のスタートは、同じサブフレーム内のｎ＾｛μ｝＿｛ｓ｝＊Ｎ＾｛ｓｌｏｔ｝＿｛ｓｙｍｂ｝番目のＯＦＤＭシンボルのスタートと時間でアラインされている。
【００９０】
次に、サブフレーム、スロット、ミニスロットについて説明する。図４は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。下りリンクスロットはＰＤＳＣＨマッピングタイプＡと称されてよい。上りリンクスロットはＰＵＳＣＨマッピングタイプＡと称されてよい。
【００９１】
ミニスロット（サブスロット（subslot）と称されてもよい）は、１つのスロットに含
まれるＯＦＤＭシンボル数よりも少ない数のＯＦＤＭシンボルで構成される時間ユニット
である。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。また、ミニスロットを割り当てることを、ノンスロットベースのスケジューリングと称してもよい。また、ミニスロットをスケジューリングされることを参照信号とデータのスタート位置の相対的な時間位置が固定であるリソースがスケジュールされたと表現されてもよい。下りリンクミニスロットはＰＤＳＣＨマッピングタイプＢと称されてよい。上りリンクミニスロットはＰＵＳＣＨマッピングタイプＢと称されてよい。
【００９２】
上りリンクミニスロットはＰＵＣＣＨサブスロットと称されてよい。一つの上りリンクスロットは一つまたは複数のＰＵＣＣＨサブスロットを含んでよい。また、一つのＰＵＣＣＨサブスロットで開始されるＰＵＣＣＨの送信数は、少なくともＨＡＲＱ−ＡＣＫ送信に用いるＰＵＣＣＨについては一つとしてよい。また、ＨＡＲＱ−ＡＣＫコードブックを構成する単位は、ＰＵＣＣＨサブスロットとしてよい。ＰＵＣＣＨサブスロットのシンボル数（長さ）および／または上りリンク中のＰＵＣＣＨサブスロット数は、各端末に上位レイヤで与えられてよい。本実施形態において、第１のＨＡＲＱ−ＡＣＫコードブックの送信は、上りリンクスロット（ＰＵＣＣＨスロット）で行われてもよい。第２のＨＡＲＱ−ＡＣＫコードブックの送信は、ＰＵＣＣＨサブスロットで行われてもよい。
【００９３】
図５は、スロットフォーマットの一例を示す図である。ここでは、サブキャリア間隔１５ｋＨｚにおいてスロット長が１ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクシンボル
・フレキシブルシンボル
・上りリンクシンボル
のうち１つまたは複数を含んでよい。なお、これらの割合はスロットフォーマットとして予め定められてもよい。また、スロット内に含まれる下りリンクのＯＦＤＭシンボル数またはスロット内のスタート位置および終了位置で定義されてもよい。また、スロット内に含まれる上りリンクのＯＦＤＭシンボル数またはＤＦＴ−Ｓ−ＯＦＤＭシンボル数またはスロット内のスタート位置および終了位置で定義されてよい。なお、スロットをスケジューリングされることを参照信号とスロット境界の相対的な時間位置が固定であるリソースがスケジュールされたと表現されてもよい。
【００９４】
端末装置１は、下りリンクシンボルまたはフレキシブルシンボルで下りリンク信号または下りリンクチャネルを受信してよい。端末装置１は、上りリンクシンボルまたはフレキシブルシンボルで上りリンク信号または下りリンクチャネルを送信してよい。
【００９５】
図５（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図５（ｂ）は、最初の時間リソースで例えばＰＤＣＣＨを介して上りリンクのスケジューリングを行い、ＰＤＣＣＨの処理遅延及び下りから上りの切り替え時間、送信信号の生成を含むフレキシブルシンボルを介して上りリンク信号を送信する。図５（ｃ）は、最初の時間リソースでＰＤＣＣＨおよび／または下りリンクのＰＤＳＣＨの送信に用いられ、処理遅延及び下りから上りの切り替え時間、送信信号の生成のためのギャップを介してＰＵＳＣＨまたはＰＵＣＣＨの送信に用いられる。ここで、一例としては、上りリンク信号はＨＡＲＱ−ＡＣＫおよび／またはＣＳＩ、すなわちＵＣＩの送信に用いられてよい。図５（ｄ）は、最初の時間リソースでＰＤＣＣＨおよび／またはＰＤＳＣＨの送信に用いられ、処理遅延及び下りから上りの切り替え時間、送信信号の生成のためのギャップを介して上りリンクのＰＵＳＣＨおよび／またはＰＵＣＣＨの送信に用いられる。ここで、一例としては、上りリンク信号は上りリンクデータ、すなわちＵＬ−ＳＣＨの送信に用いられてもよい。図５（ｅ）は、全て上りリンク送信（ＰＵＳＣＨまたはＰＵＣＣＨ）に用いられている例である。
【００９６】
上述の下りリンクパート、上りリンクパートは、ＬＴＥと同様に複数のＯＦＤＭシンボルで構成されてよい。
【００９７】
図６は、ビームフォーミングの一例を示した図である。複数のアンテナエレメントは１つの送信ユニット（TXRU: Transceiver unit）５０に接続され、アンテナエレメント毎の位相シフタ５１によって位相を制御し、アンテナエレメント５２から送信することで送信信号に対して任意の方向にビームを向けることができる。典型的には、ＴＸＲＵがアンテナポートとして定義されてよく、端末装置１においてはアンテナポートのみが定義されてよい。位相シフタ５１を制御することで任意の方向に指向性を向けることができるため、基地局装置３は端末装置１に対して利得の高いビームを用いて通信することができる。
【００９８】
以下、帯域部分（ＢＷＰ, Bandwidth part）について説明する。ＢＷＰは、キャリアＢＷＰとも称される。ＢＷＰは、下りリンクと上りリンクのそれぞれに設定されてよい。ＢＷＰは、共通リソースブロックの連続するサブセットから選択された連続する物理リソースの集合として定義される。端末装置１は、ある時間に１つの下りリンクキャリアＢＷＰ（ＤＬ  ＢＷＰ）が活性化される４つまでのＢＷＰを設定されうる。端末装置１は、ある時間に１つの上りリンクキャリアＢＷＰ（ＵＬ  ＢＷＰ）が活性化される４つまでのＢＷＰを設定されうる。キャリアアグリゲーションの場合には、ＢＷＰは各サービングセルで設定されてもよい。このとき、あるサービングセルにおいてＢＷＰが１つ設定されていることを、ＢＷＰが設定されていないと表現されてもよい。また、ＢＷＰが２つ以上設定されていることをＢＷＰが設定されていると表現されてもよい。
【００９９】
＜ＭＡＣ  ｅｎｔｉｔｙ動作>
活性化されたサービングセルにおいて、常に一つのアクティブな（活性化された）ＢＷＰがある。あるサービングセルに対するＢＷＰ切り替え（BWP switching）は、インアク
ティブな（非活性化された）ＢＷＰを活性化（activate）し、アクティブな（活性化された）ＢＷＰを非活性化（deactivate）するために使用される。あるサービングセルに対するＢＷＰ切り替え（BWP switching）は、下りリンク割り当てまたは上りリンクグラント
を示すＰＤＣＣＨによって制御される。あるサービングセルに対するＢＷＰ切り替え（BWP switching）は、さらに、ＢＷＰインアクティブタイマー（BWP inactivity timer）や、ＲＲＣシグナリングによってや、ランダムアクセスプロシージャの開始時にＭＡＣエンティティ自身によって制御されてもよい。ＳｐＣｅｌｌ（PCellまたはPSCell）の追加または、ＳＣｅｌｌの活性化において、一つのＢＷＰが、下りリンク割り当てまたは上りリンクグラントを示すＰＤＣＣＨを受信することなしに第一にアクティブである。第一にアクティブなＤＬ  ＢＷＰ（first active DL BWP）およびＵＬ  ＢＷＰ（first active UL BWP）は、基地局装置３から端末装置１に送られるＲＲＣメッセージで指定されるかもしれない。あるサービングセルに対するアクティブなＢＷＰは、基地局装置３から端末装置１に送られるＲＲＣまたはＰＤＣＣＨで指定される。また、第一にアクティブなＤＬ  ＢＷＰ（first active DL BWP）およびＵＬ  ＢＷＰ（first active UL BWP）は、メッセージ４に含まれてもよい。アンペアードスペクトラム（Unpaired spectrum）（ＴＤＤバンドなど）では、ＤＬ  ＢＷＰとＵＬ  ＢＷＰはペアされていて、ＢＷＰ切り替えは、ＵＬとＤＬに対して共通である。ＢＷＰが設定されているアクティベートされたサービングセルのそれぞれに対する、アクティブなＢＷＰにおいて、端末装置１のＭＡＣエンティティは、ノーマル処理を適用する。ノーマル処理には、ＵＬ−ＳＣＨを送信する、ＲＡＣＨを送信する、ＰＤＣＣＨをモニタする、ＰＵＣＣＨを送信する、ＳＲＳを送信する、およびＤＬ−ＳＣＨを受信することを含む。ＢＷＰが設定されているアクティベートされたサービングセルのそれぞれに対する、インアクティブなＢＷＰにおいて、端末装置１のＭＡＣエンティティは、ＵＬ−ＳＣＨを送信しない、ＲＡＣＨを送信しない、ＰＤＣＣＨをモニタしない、ＰＵＣＣＨを送信しない、ＳＲＳを送信しない、およびＤＬ−ＳＣＨを受信しない。あるサービングセルが非活性化された場合、アクティブなＢＷＰは、存在しないようにしてもよい（例えば、アクティブなＢＷＰは非活性化される）。
【０１００】
＜ＲＲＣ動作＞
ＲＲＣメッセージ（報知されるシステム情報や、専用ＲＲＣメッセージで送られる情報）に含まれるＢＷＰインフォメーションエレメント（IE）は、ＢＷＰを設定するために使われる。基地局装置３から送信されたＲＲＣメッセージは、端末装置１によって受信される。それぞれのサービングセルに対して、ネットワーク（基地局装置３など）は、少なくとも下りリンクのＢＷＰと１つ（もしサービングセルが上りリンクの設定された場合など）または２つ（付録のアップリンク（supplementary uplink）が使われる場合など）の上りリンクＢＷＰを含む少なくとも初期ＢＷＰ（initial BWP）を、端末装置１に対して、設定する。さらに、ネットワークは、追加の上りリンクＢＷＰや下りリンクＢＷＰをあるサービングセルに対して設定するかもしれない。ＢＷＰ設定は、上りリンクパラメータと下りリンクパラメータに分けられる。また、ＢＷＰ設定は、共通（common）パラメータと専用（dedicated）パラメータに分けられる。共通パラメータ（ＢＷＰ上りリンク共通ＩＥやＢＷＰ下りリンク共通ＩＥなど）は、セル特有である。プライマリセルの初期ＢＷＰの共通パラメータは、システム情報でも提供される。他のすべてのサービングセルに対しては、ネットワークは専用信号で共通パラメータを提供する。ＢＷＰは、ＢＷＰ  ＩＤで識別される。初期ＢＷＰは、ＢＷＰ  ＩＤが０である。他のＢＷＰのＢＷＰ  ＩＤは、１から４までの値を取る。
【０１０１】
端末装置１に対して上位層のパラメータｉｎｉｔｉａｌＤｏｗｎｌｉｎｋＢＷＰが設定（提供）されない場合、初期ＤＬ  ＢＷＰ（初期アクティブなＤＬ  ＢＷＰ、initial active DL BWP）は、タイプ０ＰＤＣＣＨコモンサーチスペースのためのコントロールリソースセット（ＣＯＲＥＳＥＴ）でのＰＤＣＣＨ受信のために、連続的なＰＲＢの位置と数、サブキャリア間隔、および、サイクリックプレフィックスによって定義されてもよい。該連続的なＰＲＢの位置は、タイプ０ＰＤＣＣＨコモンサーチスペースのためのコントロールリソースセットのＰＲＢの間で、最小インデックスのＰＲＢから始まり、最大インデックスのＰＲＢで終わる。端末装置１に対して上位層のパラメータｉｎｉｔｉａｌＤｏｗｎｌｉｎｋＢＷＰが設定（提供）されている場合、初期ＤＬ  ＢＷＰは上位層のパラメータｉｎｉｔｉａｌＤｏｗｎｌｉｎｋＢＷＰによって示されてもよい。上位層のパラメータｉｎｉｔｉａｌＤｏｗｎｌｉｎｋＢＷＰは、ＳＩＢ１（systemInformationBlockType1、ServingCellConfigCommonSIB）またはＳｅｒｖｉｎｇＣｅｌｌＣｏｎｆｉｇＣｏｍｍｏｎに含まれてもよい。インフォメーションエレメントＳｅｒｖｉｎｇＣｅｌｌＣｏｎｆｉｇＣｏｍｍｏｎＳＩＢは、ＳＩＢ１内で端末装置１に対するサービングセルのセル固有パラメータを設定するために使われる。
【０１０２】
即ち、端末装置１に対して上位層のパラメータｉｎｉｔｉａｌＤｏｗｎｌｉｎｋＢＷＰが設定（提供）されない場合、初期ＤＬ  ＢＷＰのサイズは、タイプ０ＰＤＣＣＨコモンサーチスペースのためのコントロールリソースセット（ＣＯＲＥＳＥＴ＃０）のリソースブロックの数であってもよい。端末装置１に対して上位層のパラメータｉｎｉｔｉａｌＤｏｗｎｌｉｎｋＢＷＰが設定（提供）されている場合、初期ＤＬ  ＢＷＰのサイズは、上位層のパラメータｉｎｉｔｉａｌＤｏｗｎｌｉｎｋＢＷＰに含まれるｌｏｃａｔｉｏｎＡｎｄＢａｎｄｗｉｄｔｈによって与えられてもよい。上位層のパラメータｌｏｃａｔｉｏｎＡｎｄＢａｎｄｗｉｄｔｈは初期ＤＬ  ＢＷＰの周波数領域の位置と帯域幅を示しても
よい。
【０１０３】
前述のように、端末装置１に対して複数のＤＬ  ＢＷＰが設定されていてもよい。そして、端末装置１に対して設定されているＤＬ  ＢＷＰの内、上位層のパラメータｄｅｆａｕｌｔＤｏｗｎｌｉｎｋＢＷＰ−ＩｄによりデフォルトＤＬ  ＢＷＰが設定されることができる。端末装置１に対して上位層のパラメータｄｅｆａｕｌｔＤｏｗｎｌｉｎｋＢＷＰ−Ｉｄが提供されない場合、デフォルトＤＬ  ＢＷＰは初期ＤＬ  ＢＷＰである。
【０１０４】
端末装置１には、初期ＵＬ  ＢＷＰがＳＩＢ１（systemInformationBlockType1）また
はｉｎｉｔｉａｌＵｐｌｉｎｋＢＷＰによって提供されてもよい。インフォメーションエレメントｉｎｉｔｉａｌＵｐｌｉｎｋＢＷＰは、初期ＵＬ  ＢＷＰを設定するために使われる。ＳｐＣｅｌｌまたはセカンダリセルでのオペレーションに対して、端末装置１には、上位層のパラメータｉｎｉｔｉａｌＵｐｌｉｎｋＢＷＰによって初期ＵＬ  ＢＷＰ（初期アクティブなＵＬ  ＢＷＰ）が設定（提供）されてもよい。端末装置１に対して補足的な上りリンクキャリア（supplementary UL carrier）が設定される場合、端末装置１には、上位層のパラメータｓｕｐｐｌｅｍｅｎｔａｒｙＵｐｌｉｎｋに含まれるｉｎｉｔｉａｌＵｐｌｉｎｋＢＷＰによって、補足的な上りリンクキャリアでの初期ＵＬ  ＢＷＰが設定されてもよい。
【０１０５】
以下、本実施形態におけるコントロールリソースセット（ＣＯＲＥＳＥＴ）について説明する。
【０１０６】
コントロールリソースセット（CORESET, Control resource set）は下りリンク制御情
報をサーチするための時間および周波数リソースである。ＣＯＲＥＳＥＴの設定情報には、ＣＯＲＥＳＥＴの識別子（ＣｏｎｔｒｏｌＲｅｓｏｕｒｃｅＳｅｔＩｄ、ＣＯＲＥＳＥＴ−ＩＤ）とＣＯＲＥＳＥＴの周波数リソースを特定する情報が含まれる。インフォメーションエレメントＣｏｎｔｒｏｌＲｅｓｏｕｒｃｅＳｅｔＩｄ（ＣＯＲＥＳＥＴの識別子）は、あるサービングセルにおけるコントロールリソースセットを特定するために使われる。ＣＯＲＥＳＥＴの識別子は、あるサービングセルにおけるＢＷＰ間で使われる。ＣＯＲＥＳＥＴの識別子は、サービングセルにおけるＢＷＰ間でユニークである。各ＢＷＰのＣＯＲＥＳＥＴの数は、初期ＣＯＲＥＳＥＴを含めて、３に制限される。あるサービングセルにおいて、ＣＯＲＥＳＥＴの識別子の値は、０から１１までの値を取る。
【０１０７】
ＣＯＲＥＳＥＴの識別子０（ＣｏｎｔｒｏｌＲｅｓｏｕｒｃｅＳｅｔＩｄ  ０）で特定されるコントロールリソースセットはＣＯＲＥＳＥＴ＃０と称する。ＣＯＲＥＳＥＴ＃０は、ＭＩＢに含まれるｐｄｃｃｈ−ＣｏｎｆｉｇＳＩＢ１、または、ＳｅｒｖｉｎｇＣｅｌｌＣｏｎｆｉｇＣｏｍｍｏｎに含まれるＰＤＣＣＨ−ＣｏｎｆｉｇＣｏｍｍｏｎによって設定されてもよい。即ち、ＣＯＲＥＳＥＴ＃０の設定情報は、ＭＩＢに含まれるｐｄｃｃｈ−ＣｏｎｆｉｇＳＩＢ１、または、ＳｅｒｖｉｎｇＣｅｌｌＣｏｎｆｉｇＣｏｍｍｏｎに含まれるＰＤＣＣＨ−ＣｏｎｆｉｇＣｏｍｍｏｎであってもよい。ＣＯＲＥＳＥＴ＃０の設定情報は、ＰＤＣＣＨ−ＣｏｎｆｉｇＳＩＢ１またはＰＤＣＣＨ−ＣｏｎｆｉｇＣｏｍｍｏｎに含まれるｃｏｎｔｒｏｌＲｅｓｏｕｒｃｅＳｅｔＺｅｒｏによって設定されてもよい。つまり、インフォメーションエレメントｃｏｎｔｒｏｌＲｅｓｏｕｒｃｅＳｅｔＺｅｒｏは、初期ＤＬ  ＢＷＰのＣＯＲＥＳＥＴ＃０（コモンＣＯＲＥＳＥＴ）を示すために用いられる。ｐｄｃｃｈ−ＣｏｎｆｉｇＳＩＢ１で示されるＣＯＲＥＳＥＴは、ＣＯＲＥＳＥＴ＃０である。ＭＩＢまたは専用コンフィギュレーション内のインフォメーションエレメントｐｄｃｃｈ−ＣｏｎｆｉｇＳＩＢ１は、初期ＤＬ  ＢＷＰを設定するために用いられる。ＣＯＲＥＳＥＴ＃０に対するＣＯＲＥＳＥＴの設定情報ｐｄｃｃｈ−ＣｏｎｆｉｇＳＩＢ１には、ＣＯＲＥＳＥＴの識別子とＣＯＲＥＳＥＴの周波数リソース（例えば、連続的なリソースブロックの数）および時間リソース（連続的なシンボルの数）を明示的に特定する情報は含まれないが、ＣＯＲＥＳＥＴ＃０に対するＣＯＲＥＳＥＴの周波数リソース（例えば、連続的なリソースブロックの数）および時間リソース（連続的なシンボルの数）は、ｐｄｃｃｈ−ＣｏｎｆｉｇＳＩＢ１に含まれる情報によって暗示的に特定できる。インフォメーションエレメントＰＤＣＣＨ−ＣｏｎｆｉｇＣｏｍｍｏｎは、ＳＩＢで提供されるセル固有のＰＤＣＣＨパラメータを設定するために用いられる。また、ＰＤＣＣＨ−ＣｏｎｆｉｇＣｏｍｍｏｎはハンドオーバ、および、ＰＳＣｅｌｌおよび／またはＳＣｅｌｌの追加時にも提供されてもよい。ＣＯＲＥＳＥＴ＃０の設定情報は、初期ＢＷＰの設定の中に含まれる。即ち、ＣＯＲＥＳＥＴ＃０の設定情報は、初期ＢＷＰ以外のＢＷＰの設定の中に含まれなくてもよい。ｃｏｎｔｒｏｌＲｅｓｏｕｒｃｅＳｅｔＺｅｒｏは、ｐｄｃｃｈ−ＣｏｎｆｉｇＳＩＢ１の内４ビット（例えば、ＭＳＢ  ４ビット、最上位ビットの４ビット）に対応する。ＣＯＲＥＳＥＴ＃０はタイプ０ＰＤＣＣＨコモンサーチスペースのためのコントロールリソースセットである。
【０１０８】
追加のコモンＣＯＲＥＳＥＴ（additional common control resource set）の設定情報は、ＰＤＣＣＨ−ＣｏｎｆｉｇＣｏｍｍｏｎに含まれるｃｏｍｍｏｎＣｏｎｔｒｏｌＲｅｓｏｕｒｃｅＳｅｔによって設定されてもよい。また、追加のコモンＣＯＲＥＳＥＴの設定情報は、システム情報および／またはページング手順のための追加のコモンＣＯＲＥＳＥＴを指定するために使用されてもよい。追加のコモンＣＯＲＥＳＥＴの設定情報は、ランダムアクセス手順に使われる追加のコモンＣＯＲＥＳＥＴを指定するために使用されてもよい。追加のコモンＣＯＲＥＳＥＴの設定情報は、各ＢＷＰの設定の中に含まれてもよい。ｃｏｍｍｏｎＣｏｎｔｒｏｌＲｅｓｏｕｒｃｅＳｅｔに示されるＣＯＲＥＳＥＴの識別子は０以外の値を取る。
【０１０９】
コモンＣＯＲＥＳＥＴは、ランダムアクセス手順に使われるＣＯＲＥＳＥＴ（例えば、追加のコモンＣＯＲＥＳＥＴ）であってもよい。また、本実施形態において、コモンＣＯＲＥＳＥＴには、ＣＯＲＥＳＥＴ＃０および／または追加のコモンＣＯＲＥＳＥＴの設定情報で設定されたＣＯＲＥＳＥＴが含まれてもよい。つまり、コモンＣＯＲＥＳＥＴはＣＯＲＥＳＥＴ＃０および／または追加のコモンＣＯＲＥＳＥＴを含んでもよい。ＣＯＲＥＳＥＴ＃０はコモンＣＯＲＥＳＥＴ＃０と称してもよい。端末装置１、コモンＣＯＲＥＳＥＴが設定されているＢＷＰ以外のＢＷＰにおいても、コモンＣＯＲＥＳＥＴの設定情報を参照（取得）してもよい。
【０１１０】
１つまたは複数のＣＯＲＥＳＥＴの設定情報は、ＰＤＣＣＨ−Ｃｏｎｆｉｇによって設定されてもよい。インフォメーションエレメントＰＤＣＣＨ−Ｃｏｎｆｉｇは、あるＢＷＰに対してＵＥ固有のＰＤＣＣＨパラメータ（例えば、ＣＯＲＳＥＴ、サーチスペースなど）を設定するために用いられる。ＰＤＣＣＨ−Ｃｏｎｆｉｇは、各ＢＷＰの設定の中に含まれてもよい。
【０１１１】
即ち、本実施形態において、ＭＩＢで示されるコモンＣＯＲＥＳＥＴの設定情報はｐｄｃｃｈ−ＣｏｎｆｉｇＳＩＢ１であり、ＰＤＣＣＨ−ＣｏｎｆｉｇＣｏｍｍｏｎで示されるコモンＣＯＲＥＳＥＴの設定情報はｃｏｎｔｒｏｌＲｅｓｏｕｒｃｅＳｅｔＺｅｒｏであり、ＰＤＣＣＨ−ＣｏｎｆｉｇＣｏｍｍｏｎで示されるコモンＣＯＲＥＳＥＴ（追加のコモンＣＯＲＥＳＥＴ）の設定情報はｃｏｍｍｏｎＣｏｎｔｒｏｌＲｅｓｏｕｒｃｅＳｅｔである。また、ＰＤＣＣＨ−Ｃｏｎｆｉｇで示される１つまたは複数のＣＯＲＥＳＥＴ（UE specifically configured Control Resource Sets、ＵＥ固有ＣＯＲＥＳＥＴ）の設定情報はｃｏｎｔｒｏｌＲｅｓｏｕｒｃｅＳｅｔＴｏＡｄｄＭｏｄＬｉｓｔである。
【０１１２】
サーチスペースはＰＤＣＣＨ候補（PDCCH candidates）をサーチするために定義される。サーチスペースの設定情報に含まれるｓｅａｒｃｈＳｐａｃｅＴｙｐｅは、該サーチスペースがコモンサーチスペース（Common Search Space, CSS）であるかＵＥ固有サーチスペース（UE-specific Search Space, USS）であるかを示す。ＵＥ固有サーチスペースは、少なくとも、端末装置１がセットしているＣ−ＲＮＴＩの値から導き出される。すなわち、ＵＥ固有サーチスペースは、端末装置１毎に個別に導き出される。コモンサーチスペースは、複数の端末装置１の間で共通のサーチスペースであり、予め定められたインデックスのＣＣＥ（Control Channel Element）から構成される。ＣＣＥは、複数のリソースエレメントから構成される。サーチスペースの設定情報には、該サーチスペースでモニタされるＤＣＩフォーマットの情報が含まれる。
【０１１３】
サーチスペースの設定情報には、ＣＯＲＥＳＥＴの設定情報で特定されるＣＯＲＥＳＥＴの識別子が含まれる。サーチスペースの設定情報の中に含まれるＣＯＲＥＳＥＴの識別子で特定されるＣＯＲＥＳＥＴは、該サーチスペースと関連付けられる。言い換えると、該サーチスペースに関連付けられるＣＯＲＥＳＥＴは、該サーチスペースに含まれるＣＯＲＥＳＥＴの識別子で特定するＣＯＲＥＳＥＴである。該サーチスペースの設定情報で示されるＤＣＩフォーマットは、関連付けられるＣＯＲＥＳＥＴでモニタされる。各サーチスペースは一つのＣＯＲＥＳＥＴに関連付けられる。例えば、ランダムアクセス手順のためのサーチスペースの設定情報はｒａ−ＳｅａｒｃｈＳｐａｃｅによって設定されてもよい。即ち、ｒａ−ＳｅａｒｃｈＳｐａｃｅと関連付けられるＣＯＲＥＳＥＴでＲＡ−ＲＮＴＩまたはＴＣ−ＲＮＴＩによってスクランブルされるＣＲＣが付加されたＤＣＩフォーマットがモニタされる。
【０１１４】
端末装置１は、ＰＤＣＣＨをモニタリングするように設定されているそれぞれのアクティブなサービングセルに配置される、１つまたは複数のＣＯＲＥＳＥＴにおいて、ＰＤＣＣＨの候補のセットをモニタする。ＰＤＣＣＨの候補のセットは、１つまたは複数のサーチスペースセットに対応している。モニタリングすることは、モニタされる１つまたは複数のＤＣＩフォーマットに応じてそれぞれのＰＤＣＣＨの候補をデコードすることを意味する。端末装置１がモニタするＰＤＣＣＨの候補のセットは、ＰＤＣＣＨサーチスペースセット（PDCCH search space sets）で定義される。一つのサーチスペースセットは、コモンサーチスペースセットまたはＵＥ固有サーチスペースセットである。上記では、サーチスペースセットをサーチスペース、コモンサーチスペースセットをコモンサーチスペース、ＵＥ固有サーチスペースセットをＵＥ固有サーチスペースと称している。端末装置１は、１つまたは複数の以下のサーチスペースセットでＰＤＣＣＨ候補をモニタする。
-      タイプ０ＰＤＣＣＨコモンサーチスペースセット（a Type0-PDCCH common search
space set、タイプ０コモンサーチスペース）： このサーチスペースセットは、上位層
のパラメータである、ＭＩＢで示されるｐｄｃｃｈ−ＣｏｎｆｉｇＳＩＢ１またはＰＤＣＣＨ−ＣｏｎｆｉｇＣｏｍｍｏｎで示されるサーチスペースＳＩＢ１（searchSpaceSIB1
）またはＰＤＣＣＨ−ＣｏｎｆｉｇＣｏｍｍｏｎに含まれるサーチスペースゼロ（searchSpaceZero）によって設定される。このサーチスペースは、プライマリセルにおけるＳＩ−ＲＮＲＩでスクランブルされたＣＲＣのＤＣＩフォーマットのモニタリングのためのものである。
-      タイプ０ＡＰＤＣＣＨコモンサーチスペースセット（a Type0A-PDCCH common search space set、タイプ０Ａコモンサーチスペース）： このサーチスペースセットは、上位層のパラメータである、ＰＤＣＣＨ−ＣｏｎｆｉｇＣｏｍｍｏｎで示されるサーチスペース（searchSpaceOtherSystemInformation）によって設定される。このサーチスペースは、プライマリセルにおけるＳＩ−ＲＮＲＩでスクランブルされたＣＲＣのＤＣＩフォーマットのモニタリングのためのものである。
-      タイプ１ＰＤＣＣＨコモンサーチスペースセット（a Type1-PDCCH common search
space set、タイプ１コモンサーチスペース）： このサーチスペースセットは、上位層
のパラメータである、ＰＤＣＣＨ−ＣｏｎｆｉｇＣｏｍｍｏｎで示されるランダムアクセス手順のためのサーチスペース（ra-SearchSpace）によって設定される。このサーチスペースは、プライマリセルにおけるＲＡ−ＲＮＲＩまたはＴＣ−ＲＮＴＩでスクランブルされたＣＲＣのＤＣＩフォーマットのモニタリングのためのものである。タイプ１ＰＤＣＣＨコモンサーチスペースセットはランダムアクセス手順のためのサーチスペースセットである。
-      タイプ２ＰＤＣＣＨコモンサーチスペースセット（a Type2-PDCCH common search
space set、タイプ２コモンサーチスペース）： このサーチスペースセットは、上位層
のパラメータである、ＰＤＣＣＨ−ＣｏｎｆｉｇＣｏｍｍｏｎで示されるページング手順のためのサーチスペース（pagingSearchSpace）によって設定される。このサーチスペー
スは、プライマリセルにおけるＰ−ＲＮＴＩでスクランブルされたＣＲＣのＤＣＩフォーマットのモニタリングのためのものである。
-      タイプ３ＰＤＣＣＨコモンサーチスペースセット（a Type3-PDCCH common search
space set、タイプ３コモンサーチスペース）： このサーチスペースセットは、上位層
のパラメータである、ＰＤＣＣＨ−Ｃｏｎｆｉｇで示されるサーチスペースタイプがコモンのサーチスペース（SearchSpace）によって設定される。このサーチスペースは、ＩＮ
Ｔ−ＲＮＴＩ、ＳＦＩ−ＲＮＴＩ、ＴＰＣ−ＰＵＳＣＨ−ＲＮＴＩ、ＴＰＣ−ＰＵＣＣＨ−ＲＮＴＩ、またはＴＰＣ−ＳＲＳ−ＲＮＴＩでスクランブルされたＣＲＣのＤＣＩフォーマットのモニタリングのためのものである。プライマリライセルに対しては、Ｃ−ＲＮＴＩ、ＣＳ−ＲＮＴＩ（ｓ）、またはＭＣＳ−Ｃ−ＲＮＴＩでスクランブルされたＣＲＣのＤＣＩフォーマットのモニタリングのためのものである。
-     ＵＥ固有サーチスペースセット（a UE-specific search space set）： このサーチスペースセットは、上位層のパラメータである、ＰＤＣＣＨ−Ｃｏｎｆｉｇで示されるサーチスペースタイプがＵＥ固有のサーチスペース（SearchSpace）によって設定される
。このサーチスペースは、Ｃ−ＲＮＴＩ、ＣＳ−ＲＮＴＩ（ｓ）、またはＭＣＳ−Ｃ−ＲＮＴＩでスクランブルされたＣＲＣのＤＣＩフォーマットのモニタリングのためのものである。
【０１１５】
もし、端末装置１が、対応する上位層パラメータ（searchSpaceZero、searchSpaceSIB1、searchSpaceOtherSystemInformation、 pagingSearchSpace, ra-SearchSpaceなど） によって、１つまたは複数のサーチスペースセットを提供されて、端末装置１が、Ｃ−ＲＮＴＩまたはＣＳ−ＲＮＴＩを提供されている場合、端末装置１は、Ｃ−ＲＮＴＩまたはＣＳ−ＲＮＴＩを持つＤＣＩ  ｆｏｒｍａｔ  ０＿０とＤＣＩ  ｆｏｒｍａｔ  １＿０のためのＰＤＣＣＨ候補を、その１つまたは複数のサーチスペースセットでモニタしてもよい。 
【０１１６】
ＢＷＰの設定情報はＤＬ  ＢＷＰの設定情報とＵＬ  ＢＷＰの設定情報に分けられる。ＢＷＰの設定情報には、インフォメーションエレメントｂｗｐ−Ｉｄ（ＢＷＰの識別子）が含まれる。ＤＬ  ＢＷＰの設定情報に含まれるＢＷＰの識別子は、あるサービングセルにおけるＤＬ  ＢＷＰを特定（参照）するために使われる。ＵＬ  ＢＷＰの設定情報に含まれるＢＷＰの識別子は、あるサービングセルにおけるＵＬ  ＢＷＰを特定（参照）するために使われる。ＢＷＰの識別子はＤＬ  ＢＷＰとＵＬ  ＢＷＰのそれぞれに対して付与される。例えば、ＤＬ  ＢＷＰに対応するＢＷＰの識別子はＤＬ  ＢＷＰ  インデックス（DL BWP index）と称してもよい。ＵＬ  ＢＷＰに対応するＢＷＰの識別子はＵＬ  ＢＷＰ  インデックス（UL BWP index）と称してもよい。初期ＤＬ  ＢＷＰは、ＤＬ  ＢＷＰの識別子０によって参照される。初期ＵＬ  ＢＷＰは、ＵＬ  ＢＷＰの識別子０によって参照される。他のＤＬ  ＢＷＰまたは他のＵＬ  ＢＷＰのそれぞれは、ＢＷＰの識別子  １からｍａｘＮｒｏｆＢＷＰｓまでに参照されてもよい。つまり、０にセットしたＢＷＰの識別子（ｂｗｐ−Ｉｄ＝０）は、初期ＢＷＰに関連つけられ、他のＢＷＰに使われることができない。ｍａｘＮｒｏｆＢＷＰｓはサービングセルあたりのＢＷＰの最大数であり、４である。即ち、他のＢＷＰの識別子の値は、１から４までの値を取る。他の上位層の設定情報は、ＢＷＰの識別子を利用して特定のＢＷＰに関連付けられる。ＤＬ  ＢＷＰとＵＬ  ＢＷＰが同じＢＷＰの識別子を有することは、ＤＬ  ＢＷＰとＵＬ  ＢＷＰがペアされていることを意味してもよい。
【０１１７】
端末装置１は、１つのプライマリセルと１５までのセカンダリセルが設定されてよい。
【０１１８】
以下では、ＰＤＳＣＨを受信する手順について説明する。
【０１１９】
端末装置１は、ＤＣＩフォーマット１＿０、ＤＣＩフォーマット１＿１またはＤＣＩフォーマット１＿２を含むＰＤＣＣＨの検出によって、対応するＰＤＳＣＨをデコード（受信）してもよい。対応するＰＤＳＣＨは、そのＤＣＩフォーマット（ＤＣＩ）によってスケジュールされる（示される）。そのスケジュールされるＰＤＳＣＨの開始位置（開始シンボル）をＳと称する。ＰＤＳＣＨの開始シンボルＳはあるスロット内でＰＤＳＣＨが送信（マップ）される最初のシンボルであってもよい。開始シンボルＳはスロットの始まりに対応する。例えば、Ｓの値が０である場合、端末装置１は、あるスロット内の１番目のシンボルからＰＤＳＣＨを受信してもよい。また、例えば、Ｓの値が２である場合、端末装置１は、あるスロットの３番目のシンボルからＰＤＳＣＨを受信してもよい。そのスケジュールされるＰＤＳＣＨの連続的な（Consecutive）シンボルの数をＬと称する。連続的なシンボルの数Ｌは開始シンボルＳから数える。ＰＤＳＣＨに対して割り当てられたＳとＬの決定は後述する。
【０１２０】
ＰＤＳＣＨマッピングのタイプはＰＤＳＣＨマッピングタイプＡとＰＤＳＣＨマッピングタイプＢを有する。ＰＤＳＣＨマッピングタイプＡでは、Ｓは０から３までの値を取る。Ｌは３から１４までの値を取る。ただし、ＳとＬの和は３から１４までの値を取る。ＰＤＳＣＨマッピングタイプＢでは、Ｓは０から１２までの値を取る。Ｌは｛２、４、７｝から１つの値を取る。ただし、ＳとＬの和は２から１４までの値を取る。
【０１２１】
ＰＤＳＣＨためのＤＭＲＳシンボルの位置は、ＰＤＳＣＨマッピングのタイプに依存する。ＰＤＳＣＨための最初のＤＭＲＳシンボル（first DM-RS symbol）の位置は、ＰＤＳＣＨマッピングのタイプに依存する。ＰＤＳＣＨマッピングタイプＡでは、最初のＤＭＲＳシンボルの位置は、上位層のパラメータｄｍｒｓ−ＴｙｐｅＡ−Ｐｏｓｉｔｉｏｎに示されてもよい。つまり、上位層のパラメータｄｍｒｓ−ＴｙｐｅＡ−ＰｏｓｉｔｉｏｎはＰＤＳＣＨまたはＰＵＳＣＨのための最初のＤＭＲＳの位置を示すために用いられる。ｄｍｒｓ−ＴｙｐｅＡ−Ｐｏｓｉｔｉｏｎは、‘ｐｏｓ２’または‘ｐｏｓ３’のいずれかにセットされてもよい。例えば、ｄｍｒｓ−ＴｙｐｅＡ−Ｐｏｓｉｔｉｏｎが‘ｐｏｓ２’にセットされている場合、ＰＤＳＣＨための最初のＤＭＲＳシンボルの位置は、スロット内の３番目のシンボルであってもよい。例えば、ｄｍｒｓ−ＴｙｐｅＡ−Ｐｏｓｉｔｉｏｎが‘ｐｏｓ３’にセットされている場合、ＰＤＳＣＨための最初のＤＭＲＳシンボルの位置は、スロット内の４番目のシンボルであってもよい。ここで、Ｓは、ｄｍｒｓ−ＴｙｐｅＡ−Ｐｏｓｉｔｉｏｎが‘ｐｏｓ３’にセットされている場合のみに、３の値をとれる。つまり、ｄｍｒｓ−ＴｙｐｅＡ−Ｐｏｓｉｔｉｏｎが‘ｐｏｓ２’にセットされている場合、Ｓは０から２までの値をとる。ＰＤＳＣＨマッピングタイプＢでは、最初のＤＭＲＳシンボルの位置は、割り当てられるＰＤＳＣＨの最初のシンボルである。
【０１２２】
図７は本実施形態に係るＰＤＳＣＨマッピングタイプの一例を示す図である。図７（Ａ）はＰＤＳＣＨマッピングタイプＡの一例を示す図である。図７（Ａ）において、割り当てられるＰＤＳＣＨのＳは３である。割り当てられるＰＤＳＣＨのＬは７である。図７（Ａ）において、ＰＤＳＣＨための最初のＤＭＲＳシンボルの位置は、スロット内の４番目のシンボルである。即ち、ｄｍｒｓ−ＴｙｐｅＡ−Ｐｏｓｉｔｉｏｎが‘ｐｏｓ３’にセットされている。図７（Ｂ）はＰＤＳＣＨマッピングタイプＡの一例を示す図である。図７（Ｂ）において、割り当てられるＰＤＳＣＨのＳは４である。割り当てられるＰＤＳＣＨのＬは４である。図７（Ｂ）において、ＰＤＳＣＨための最初のＤＭＲＳシンボルの位置は、ＰＤＳＣＨが割り当てられる最初のシンボルである。
【０１２３】
以下、ＰＤＳＣＨ時間領域リソース割り当ての特定方法について説明する。
【０１２４】
基地局装置３は、ＤＣＩによって端末装置１にＰＤＳＣＨを受信させるようにスケジュールしてもよい。端末装置１は、自装置宛てのＤＣＩの検出によってＰＤＳＣＨを受信してもよい。端末装置１は、ＰＤＳＣＨ時間領域リソース割り当てを特定する時に、最初にＰＤＳＣＨに適用するリソース割り当てテーブルを決定する。リソース割り当てテーブルは、１つまたは複数のＰＤＳＣＨ時間領域リソース割り当てコンフィギュレーションを含む。端末装置１は、ＰＤＳＣＨをスケジュールするＤＣＩに含まれる‘Ｔｉｍｅ  ｄｏｍａｉｎ  ｒｅｓｏｕｒｃｅ  ａｓｓｉｇｎｍｅｎｔ’フィールドに示される値に基づき、決定したリソース割り当てテーブル内の１つのＰＤＳＣＨ時間領域リソース割り当て設定を選んでもよい。つまり、基地局装置３は、端末装置１に対するＰＤＳＣＨのリソース割り当てを決定し、決定したリソース割り当てに基づく値の‘Ｔｉｍｅ  ｄｏｍａｉｎ  ｒｅｓｏｕｒｃｅ  ａｓｓｉｇｎｍｅｎｔ’フィールドを生成し、その‘Ｔｉｍｅ  ｄｏｍａｉｎ  ｒｅｓｏｕｒｃｅ  ａｓｓｉｇｎｍｅｎｔ’フィールドを含むＤＣＩを端末装置１に送信する。端末装置１は、‘Ｔｉｍｅ  ｄｏｍａｉｎ  ｒｅｓｏｕｒｃｅ  ａｓｓｉｇｎｍｅｎｔ’フィールドの値に基づき、ＰＤＳＣＨの時間方向のリソース割り当てを特定する。
【０１２５】
図１０は、ＰＤＳＣＨ時間領域リソース割り当てに適用するリソース割り当てテーブルを定義する図である。端末装置１は、図１０に示されるテーブルに基づいて、ＰＤＳＣＨ時間領域リソース割り当てに適用するリソース割り当てテーブルを決定してもよい。リソース割り当てテーブルは、１つまたは複数のＰＤＳＣＨ時間領域リソース割り当ての設定（configuration）を含む。本実施形態において、リソース割り当てテーブルは、（Ｉ）事前に定義されるリソース割り当てテーブル、および、（ＩＩ）上位層のＲＲＣ信号から設定されるリソース割り当てテーブルと分類される。事前に定義されるリソース割り当てテーブルは、例えば、デフォルトＰＤＳＣＨ時間領域リソース割り当てＡ、デフォルトＰＤＳＣＨ時間領域リソース割り当てＢ、および、デフォルトＰＤＳＣＨ時間領域リソース割り当てＣとして定義される。また、デフォルトＰＤＳＣＨ時間領域リソース割り当てＡとは異なるデフォルトＰＤＳＣＨ時間領域リソース割り当てＤが定義されてもよい。以下では、それぞれ、デフォルトＰＤＳＣＨ時間領域リソース割り当てＡをデフォルトテーブルＡ、デフォルトＰＤＳＣＨ時間領域リソース割り当てＢをデフォルトテーブルＢ、デフォルトＰＤＳＣＨ時間領域リソース割り当てＣをデフォルトテーブルＣ、デフォルトＰＤＳＣＨ時間領域リソース割り当てＤをデフォルトテーブルＤと称する。
【０１２６】
図１３は本実施形態に係るデフォルトテーブルＡの一例を示す図である。図１４は本実施形態に係るデフォルトテーブルＢの一例を示す図である。図１５は本実施形態に係るデフォルトテーブルＣの一例を示す図である。図１３の例では、デフォルトテーブルＡの行数は１６であり、各行はＰＤＳＣＨ時間領域リソース割り当ての設定を示す。図１３において、各行は、ＰＤＳＣＨマッピングタイプ、ＤＣＩを含むＰＤＣＣＨとそのＰＤＳＣＨとの間のスロットオフセットＫ０、スロット内のＰＤＳＣＨのスタートシンボルＳ、および、連続的な割当シンボル数Ｌを定義する。
【０１２７】
上位層のＲＲＣ信号で設定されるリソース割り当てテーブルは、上位層の信号ｐｄｓｃｈ−ＴｉｍｅＤｏｍａｉｎＡｌｌｏｃａｔｉｏｎＬｉｓｔによって与えられる。ｐｄｓｃｈ−ＴｉｍｅＤｏｍａｉｎＡｌｌｏｃａｔｉｏｎＬｉｓｔは１つまたは複数のインフォメーションエレメントＰＤＳＣＨ−ＴｉｍｅＤｏｍａｉｎＲｅｓｏｕｒｃｅＡｌｌｏｃａｔｉｏｎを含む。ＰＤＳＣＨ−ＴｉｍｅＤｏｍａｉｎＲｅｓｏｕｒｃｅＡｌｌｏｃａｔｉｏｎは、ＰＤＳＣＨ時間領域リソース割り当ての設定を示す。ＰＤＳＣＨ−ＴｉｍｅＤｏｍａｉｎＲｅｓｏｕｒｃｅＡｌｌｏｃａｔｉｏｎは、ＤＣＩを含むＰＤＣＣＨとＰＤＳＣＨの間の時間領域の関係を設定するために用いられてよい。つまり、ｐｄｓｃｈ−ＴｉｍｅＤｏｍａｉｎＡｌｌｏｃａｔｉｏｎＬｉｓｔは１つまたは複数のインフォメーションエレメントを含むリストである。１つのＰＤＳＣＨ−ＴｉｍｅＤｏｍａｉｎＲｅｓｏｕｒｃｅＡｌｌｏｃａｔｉｏｎを１つのエントリ（または１つの行）と称してもよい。例えば、ｐｄｓｃｈ−ＴｉｍｅＤｏｍａｉｎＡｌｌｏｃａｔｉｏｎＬｉｓｔは最大１６個のエントリを含み、ＤＣＩに含まれる４ビットのフィールドによっていずれか１つのエントリが用いられてよい。ただし、ｐｄｓｃｈ−ＴｉｍｅＤｏｍａｉｎＡｌｌｏｃａｔｉｏｎＬｉｓｔに含まれるエントリの数は異なる数であってもよく、関連してＤＣＩに含まれるフィールドのビット数が異なる値であってもよい。ｐｄｓｃｈ−ＴｉｍｅＤｏｍａｉｎＡｌｌｏｃａｔｉｏｎＬｉｓｔの各エントリにおいて、Ｋ０、ｍａｐｐｉｎｇＴｙｐｅ、および／または、ｓｔａｒｔＳｙｍｂｏｌＡｎｄＬｅｎｇｔｈが示されてよい。Ｋ０はＤＣＩを含むＰＤＣＣＨとそのＰＤＳＣＨとの間のスロットオフセットを示す。ＰＤＳＣＨ−ＴｉｍｅＤｏｍａｉｎＲｅｓｏｕｒｃｅＡｌｌｏｃａｔｉｏｎによってＫ０を示されない場合、端末装置１はＫ０の値が所定の値（例えば０）であると想定してもよい。ｍａｐｐｉｎｇＴｙｐｅは、対応するＰＤＳＣＨのマッピングタイプがＰＤＳＣＨマッピングタイプＡであるか、またはＰＤＳＣＨマッピングタイプＢであるかを示す。ｓｔａｒｔＳｙｍｂｏｌＡｎｄＬｅｎｇｔｈは対応するＰＤＳＣＨのスタートシンボルＳ、および、連続的な割り当てシンボル数Ｌの有効な組み合わせを与えるインデックスである。ｓｔａｒｔＳｙｍｂｏｌＡｎｄＬｅｎｇｔｈをスタート位置と長さのインジケータ（ＳＬＩＶ：start and length indicator）と称してもよい。ＳＬＩＶが適用される場合は、デフォルトテーブルを用いる場合と異なり、対応するＰＤＳＣＨの開始シンボルＳと連続的なシンボル数Ｌは、ＳＬＩＶに基づいて与えられる。基地局装置３は、ＰＤＳＣＨの時間領域リソース割り当てがスロット境界を超えないようにＳＬＩＶの値をセットしてもよい。スロットオフセットＫ０とＳＬＩＶについては後述する。
【０１２８】
上位層の信号ｐｄｓｃｈ−ＴｉｍｅＤｏｍａｉｎＡｌｌｏｃａｔｉｏｎＬｉｓｔはセル固有のＲＲＣパラメータｐｄｓｃｈ−ＣｏｎｆｉｇＣｏｍｍｏｎおよび／または端末装置１（ＵＥ）固有のＲＲＣパラメータｐｄｓｃｈ−Ｃｏｎｆｉｇに含まれてもよい。ｐｄｓｃｈ−ＣｏｎｆｉｇＣｏｍｍｏｎはあるＢＷＰに対するＰＤＳＣＨのためのセル固有パラメータを設定するために用いられる。ｐｄｓｃｈ−ＣｏｎｆｉｇはあるＢＷＰに対するＰＤＳＣＨのための端末装置１（ＵＥ）固有パラメータを設定するために用いられる。
【０１２９】
端末装置１は、ＰＤＳＣＨ  Ａを受信する場合とＰＤＳＣＨ  Ｂを受信する場合とで、ＰＤＳＣＨ時間領域リソース割り当てに対して、異なるリソース割り当てテーブルを適用してもよい。基地局装置３は、ＰＤＳＣＨ  Ａを送信する場合とＰＤＳＣＨ  Ｂを送信する場合とで、ＰＤＳＣＨ時間領域リソース割り当てに対して、異なるリソース割り当てテーブルを適用してもよい。
【０１３０】
ＰＤＳＣＨ  ＡとＰＤＳＣＨ  Ｂは異なるサービスのデータを伝送するＰＤＳＣＨであってよい。例えば、ＰＤＳＣＨ  ＡはｅＭＢＢのデータを伝送するＰＤＳＣＨであり、ＰＤＳＣＨ  ＢはＵＲＬＬＣのデータを伝送するＰＤＳＣＨであってもよい。ＰＤＳＣＨ  Ａは、ＤＣＩ  ＡによってスケジュールされるＰＤＳＣＨであってよい。ＰＤＳＣＨ  Ｂは、ＤＣＩ  ＢによってスケジュールされるＰＤＳＣＨであってよい。
【０１３１】
ＤＣＩ  ＡとＤＣＩ  Ｂは異なるサービスのデータをスケジュールするＤＣＩであってよい。例えば、ＤＣＩ  ＡはｅＭＢＢのデータを送信するＰＤＳＣＨをスケジュールするＤＣＩであり、ＤＣＩ  ＢはＵＲＬＬＣのデータを送信するＰＤＳＣＨをスケジュールするＤＣＩであってもよい。
【０１３２】
ＤＣＩ  ＡとＤＣＩ  Ｂは、異なるＲＮＴＩでスクランブルされたＣＲＣを付加されたＤＣＩであってもよい。例えば、ＤＣＩ  Ａは第１の値の範囲であるＣ−ＲＮＴＩでスクランブルされたＣＲＣを付加されたＤＣＩであり、ＤＣＩ  Ｂは第１の値の範囲とは異なる第２の値の範囲であるＣ−ＲＮＴＩでスクランブルされたＣＲＣを付加されたＤＣＩであってもよい。例えば、ＤＣＩ  Ａは第３の値の範囲である任意の種類のＲＮＴＩでスクランブルされたＣＲＣを付加されたＤＣＩであり、ＤＣＩ  Ｂは第３の値の範囲とは異なる第４の値の範囲である任意の種類のＲＮＴＩでスクランブルされたＣＲＣを付加されたＤＣＩであってもよい。例えば、ＤＣＩ  ＡはＣ−ＲＮＴＩ、ＭＣＳ−Ｃ−ＲＮＴＩ，ＣＳ−ＲＮＴＩ、ＳＩ−ＲＮＴＩ、ＲＡ−ＲＮＴＩ、ＴＣ−ＲＮＴＩおよび／またはＰ−ＲＮＴＩでスクランブルされたＣＲＣを付加されたＤＣＩであり、ＤＣＩ  ＢはＵＣ−ＲＮＴＩでスクランブルされたＣＲＣを付加されたＤＣＩであってもよい。
【０１３３】
ＤＣＩ  ＡとＤＣＩ  Ｂは、異なるＤＣＩフォーマットを用いたＤＣＩであってもよい。例えば、ＤＣＩ  ＡはＤＣＩフォーマット１＿０および／またはＤＣＩフォーマット１＿１を用いたＤＣＩであり、ＤＣＩ  ＢはＤＣＩフォーマット１＿２を用いたＤＣＩであってもよい。
【０１３４】
ＤＣＩ  ＡとＤＣＩ  Ｂは、異なるサイズのＤＣＩフォーマットを用いたＤＣＩであってもよい。例えば、ＤＣＩ  Ａは第１のサイズのＤＣＩフォーマットを用いたＤＣＩであり、ＤＣＩ  Ｂは第１のサイズとは異なる第２のサイズのＤＣＩフォーマットを用いたＤＣＩであってもよい。
【０１３５】
ＤＣＩ  ＡとＤＣＩ  Ｂは、それぞれのＤＣＩフォーマット内の所定のフィールドで、対応するＰＤＳＣＨのデータに適用されるサービスが示されてもよい。例えば、ＤＣＩ  ＡのＤＣＩフォーマット内のフィールドで、対応するＰＤＳＣＨがｅＭＢＢのデータを伝送することが特定されてもよい。例えば、ＤＣＩ  ＢのＤＣＩフォーマット内のフィールドで、対応するＰＤＳＣＨがＵＲＬＬＣのデータを伝送することが特定されてもよい。即ち、ＤＣＩ  ＡとＤＣＩ  Ｂは、あるＤＣＩフォーマット内の所定のフィールドに基づき分類されてもよい。
【０１３６】
ＤＣＩ  ＡとＤＣＩ  Ｂは、異なるサーチスペースおよび／または異なるＣＯＲＥＳＥＴで伝送されるＤＣＩであってもよい。例えば、ＤＣＩ  Ａはコモンサーチスペースで送信されるＤＣＩであってもよい。ＤＣＩ  ＢはＵＥ固有サーチスペースで送信されるＤＣＩであってもよい。
【０１３７】
ＤＣＩ  ＡとＤＣＩ  Ｂは、異なるコードブックのＰＤＳＣＨをスケジュールするＤＣＩであってもよい。ＰＤＳＣＨに対応するコードブックは、ＤＣＩフォーマット内のフィールド（例えば、１ビットのフィールド）によって示されてもよい。例えば、該フィールドの値が‘０’にセットされる場合、該スケジュールされるＰＤＳＣＨ（ＰＤＳＣＨ  Ａ）に対応するコードブックは、第１のコードブックであってもよい。該フィールドの値が‘１’にセットされる場合、該スケジュールされるＰＤＳＣＨ（ＰＤＳＣＨ  Ｂ）に対応するコードブックは、第２のコードブックであってもよい。
【０１３８】
ＰＤＳＣＨ  ＡとＰＤＳＣＨ  Ｂでは、上位層の信号で設定される異なるリソース割り当てテーブルが適用されてもよい。例えば、ＰＤＳＣＨ  Ａのリソース割り当てに対して、上位層の信号ｐｄｓｃｈ−ＴｉｍｅＤｏｍａｉｎＡｌｌｏｃａｔｉｏｎＬｉｓｔが適用されてもよい。ＰＤＳＣＨ  Ｂのリソース割り当てに対して、上位層の信号ｐｄｓｃｈ−ＴｉｍｅＤｏｍａｉｎＡｌｌｏｃａｔｉｏｎＬｉｓｔ２が適用されてもよい。すなわち、あるＰＤＳＣＨのリソース割り当てが上位層の信号ｐｄｓｃｈ−ＴｉｍｅＤｏｍａｉｎＡｌｌｏｃａｔｉｏｎＬｉｓｔに基づき与えられる場合、該ＰＤＳＣＨはＰＤＳＣＨ  Ａであってもよい。あるＰＤＳＣＨのリソース割り当てが上位層の信号ｐｄｓｃｈ−ＴｉｍｅＤｏｍａｉｎＡｌｌｏｃａｔｉｏｎＬｉｓｔ２に基づき与えられる場合、該ＰＤＳＣＨはＰＤＳＣＨ  Ｂであってもよい。ＰＤＳＣＨ  Ａに対応するコードブックは、第１のコードブックであってもよい。ＰＤＳＣＨ  Ｂに対応するコードブックは、第２のコードブックであってもよい。
【０１３９】
ＰＤＳＣＨ  ＡとＰＤＳＣＨ  Ｂでは、異なるｓｐｓ−ｃｏｎｆｉｇによって割り当てられるＰＤＳＣＨであってもよい。ｓｐｓ−ｃｏｎｆｉｇによって割り当てられるＰＤＳＣＨは、ＳＰＳ  ＰＤＳＣＨと称してもよい。ＳＰＳ（Ｓｅｍｉ−Ｐｅｒｓｉｓｔｅｎｔ、セミパーシステント）  ＰＤＳＣＨは、周期的に割り当てるＰＤＳＣＨのリソースである。ｓｐｓ−ｃｏｎｆｉｇは端末装置に下りリンクセミパーシステント送信を設定するために用いられてもよい。基地局装置３は、端末装置１にゼロ、１つ、または、複数の下りリンクセミパーシステント送信（ＳＰＳ  コンフィギュレーション）を設定してもよい。ｓｐｓ−ｃｏｎｆｉｇは少なくともｍｃｓ−Ｔａｂｌｅ、ｎｒｏｆＨＡＲＱ−Ｐｒｏｃｅｓｓｅｓ、ｐｅｒｉｏｄｉｃｉｔｙ、ｎ１ＰＵＣＣＨ−ＡＮ、ｓｐｓＩｎｄｅｘ、ａｄｄｉｔｉｏｎａｌＣｏｄｅｂｏｏｋ―ｓｐｓの一部または全部のパラメータを含んでもよい。ｍｃｓ−Ｔａｂｌｅは、ＳＰＳ  ＰＤＳＣＨの受信に適用されるＭＣＳテーブルを示すために用いられてもよい。ｎｒｏｆＨＡＲＱ−Ｐｒｏｃｅｓｓｅｓは、ＳＰＳ  ＰＤＳＣＨ受信に対応するＨＡＲＱプロセス番号の数であってもよい。ｐｅｒｉｏｄｉｃｉｔｙは、ＳＰＳ  ＰＤＳＣＨの周期を示すために用いられてもよい。ｓｐｓＩｎｄｅｘは、該ｓｐｓ−ｃｏｎｆｉｇの識別子であり、該ｓｐｓ−ｃｏｎｆｉｇを示すインデックスであってもよい。ｎ１ＰＵＣＣＨ−ＡＮは、ＳＰＳ  ＰＤＳＣＨためのＨＡＲＱ−ＡＣＫ  ＰＵＣＣＨ  リソースを示すために用いられてもよい。ａｄｄｉｔｉｏｎａｌＣｏｄｅｂｏｏｋ―ｓｐｓは、該ＳＰＳ  ＰＤＳＣＨに対応するＨＡＲＱ−ＡＣＫが対応付けられるコードブックを示すために用いられてもよい。
【０１４０】
例えば、あるｓｐｓ−ｃｏｎｆｉｇにａｄｄｉｔｉｏｎａｌＣｏｄｅｂｏｏｋ―ｓｐｓが設定されている場合、該ｓｐｓ−ｃｏｎｆｉｇに基づき与えられるＳＰＳ  ＰＤＳＣＨ受信に対応するＨＡＲＱ−ＡＣＫは、第２のＨＡＲＱ−ＡＣＫコードブックに対応付けられてもよい。即ち、この場合、該ｓｐｓ−ｃｏｎｆｉｇに対応するＳＰＳ  ＰＤＳＣＨ受信は、ＰＤＳＣＨ  Ｂであってもよい。また、例えば、あるｓｐｓ−ｃｏｎｆｉｇにａｄｄｉｔｉｏｎａｌＣｏｄｅｂｏｏｋ―ｓｐｓが設定されていない場合、該ｓｐｓ−ｃｏｎｆｉｇに基づき与えられるＳＰＳ  ＰＤＳＣＨ受信に対応するＨＡＲＱ−ＡＣＫは、第１のＨＡＲＱ−ＡＣＫコードブックに対応付けられてもよい。即ち、この場合、該ｓｐｓ−ｃｏｎｆｉｇに対応するＳＰＳ  ＰＤＳＣＨ受信は、ＰＤＳＣＨ  Ａであってもよい。
【０１４１】
また、ｓｐｓ−ｃｏｎｆｉｇに含まれるａｄｄｉｔｉｏｎａｌＣｏｄｅｂｏｏｋ―ｓｐｓは、該対応するＳＰＳ  ＰＤＳＣＨ受信に対するＨＡＲＱ−ＡＣＫが対応づけられるＨＡＲＱ−ＡＣＫコードブックを示してもよい。例えば、ａｄｄｉｔｉｏｎａｌＣｏｄｅｂｏｏｋ―ｓｐｓが第１のＨＡＲＱ−ＡＣＫコードブックを示した場合、該対応するＳＰＳ
ＰＤＳＣＨ受信に対するＨＡＲＱ−ＡＣＫが第１のＨＡＲＱ−ＡＣＫコードブックに対応づけられてもよい。即ち、該ＳＰＳ  ＰＤＳＣＨ受信は、ＰＤＳＣＨ  Ａであってもよい。また、例えば、ａｄｄｉｔｉｏｎａｌＣｏｄｅｂｏｏｋ―ｓｐｓが第２のＨＡＲＱ−ＡＣＫコードブックを示した場合、該対応するＳＰＳ  ＰＤＳＣＨ受信に対するＨＡＲＱ−ＡＣＫが第２のＨＡＲＱ−ＡＣＫコードブックに対応づけられてもよい。即ち、該ＳＰＳ  ＰＤＳＣＨ受信は、ＰＤＳＣＨ  Ｂであってもよい。即ち、ａｄｄｉｔｉｏｎａｌＣｏｄｅｂｏｏｋ―ｓｐｓは、ＳＰＳ  ＰＤＳＣＨがＰＤＳＣＨ  ＡかまたはＰＤＳＣＨ  Ｂかを示してもよい。ａｄｄｉｔｉｏｎａｌＣｏｄｅｂｏｏｋ―ｓｐｓがＳＰＳ  ＰＤＳＣＨがＰＤＳＣＨ  Ａであることを示した場合、該対応するＳＰＳ  ＰＤＳＣＨ受信に対するＨＡＲＱ−ＡＣＫが第１のＨＡＲＱ−ＡＣＫコードブックに対応づけられてもよい。
また、ａｄｄｉｔｉｏｎａｌＣｏｄｅｂｏｏｋ―ｓｐｓがＳＰＳ  ＰＤＳＣＨがＰＤＳＣＨ  Ｂであることを示した場合、該対応するＳＰＳ  ＰＤＳＣＨ受信に対するＨＡＲＱ−ＡＣＫが第２のＨＡＲＱ−ＡＣＫコードブックに対応づけられてもよい。
【０１４２】
また、端末装置１は、ｓｐｓ−ｃｏｎｆｉｇに含まれるｐｅｒｉｏｄｉｃｉｔｙに基づいて、該ｓｐｓ−ｃｏｎｆｉｇに対応するＳＰＳ  ＰＤＳＣＨ受信に対するＨＡＲＱ−ＡＣＫが対応づけられるＨＡＲＱ−ＡＣＫコードブックを決定してもよい。例えば、ｐｅｒｉｏｄｉｃｉｔｙが所定の値により大きいである場合、端末装置１は、該ｓｐｓ−ｃｏｎｆｉｇに対応するＳＰＳ  ＰＤＳＣＨ受信に対するＨＡＲＱ−ＡＣＫが第１のＨＡＲＱ−ＡＣＫコードブックに対応付けられると決定してもよい。即ち、この場合、該ＳＰＳ  ＰＤＳＣＨはＰＤＳＣＨ  Ａであってもよい。ｐｅｒｉｏｄｉｃｉｔｙが所定の値と等しいまたは所定の値により小さいである場合、端末装置１は、該ｓｐｓ−ｃｏｎｆｉｇに対応するＳＰＳ  ＰＤＳＣＨ受信に対するＨＡＲＱ−ＡＣＫが第２のＨＡＲＱ−ＡＣＫコードブックに対応付けられると決定してもよい。即ち、この場合、該ＳＰＳ  ＰＤＳＣＨはＰＤＳＣＨ  Ｂであってもよい。ここで、所定の値は、１０ｍｓであってもよい。所定の値は、１ｍｓであってもよい。所定の値は、１スロットであってもよい。所定の値は、０．５スロットであってもよい。所定の値は、０．５ｍｓであってもよい。所定の値は、予めに決めたシンボルの数であってもよい。例えば、予めに決めたシンボルの数は２であってもよいし、７であってもよいし、１４であってもよい。
【０１４３】
また、基地局装置３は、上位層の信号ｓｐｓ−ｃｏｎｆｉｇと異なる上位層の信号ｓｐｓ−ｃｏｎｆｉｇ―ｕｒｌｌｃを端末装置１に設定してもよい。ｓｐｓ−ｃｏｎｆｉｇ―ｕｒｌｌｃは、ｓｐｓ−ｃｏｎｆｉｇに含まれるパラメータと同じパラメータを含んでもよい。ｓｐｓ−ｃｏｎｆｉｇに対応するＳＰＳ  ＰＤＳＣＨ受信に対するＨＡＲＱ−ＡＣＫが第１のＨＡＲＱ−ＡＣＫコードブックと対応付けられてもよい。すなわち、ｓｐｓ−ｃｏｎｆｉｇによって割り当てられるＳＰＳ  ＰＤＳＣＨはＰＤＳＣＨ  Ａであってもよい。ｓｐｓ−ｃｏｎｆｉｇ―ｕｒｌｌｃに対応するＳＰＳ  ＰＤＳＣＨ受信に対するＨＡＲＱ−ＡＣＫが第２のＨＡＲＱ−ＡＣＫコードブックと対応付けられてもよい。ｓｐｓ−ｃｏｎｆｉｇ―ｕｒｌｌｃによって割り当てられるＳＰＳ  ＰＤＳＣＨはＰＤＳＣＨ  Ｂであってもよい。ここで、ｓｐｓ−ｃｏｎｆｉｇに含まれるｐｅｒｉｏｄｉｃｉｔｙは、１０ｍｓ、または、１０ｍｓより大きい値を示してもよい。ｓｐｓ−ｃｏｎｆｉｇに含まれるｐｅｒｉｏｄｉｃｉｔｙは、１０ｍｓより小さい値を示していなくてもよい。ｓｐｓ−ｃｏｎｆｉｇ―ｕｒｌｌｃに含まれるｐｅｒｉｏｄｉｃｉｔｙは、１０ｍｓより小さい値を示してもよい。また、ｓｐｓ−ｃｏｎｆｉｇ―ｕｒｌｌｃに含まれるｐｅｒｉｏｄｉｃｉｔｙは、１０ｍｓ、または、１０ｍｓより大きい値を示していなくてもよい。
【０１４４】
基地局装置３は、ゼロ、１つ、または、複数の上位層の信号ｓｐｓ−ｃｏｎｆｉｇ（および／または、ｓｐｓ−ｃｏｎｆｉｇ―ｕｒｌｌｃ）を端末装置１に送信してもよい。基地局装置３は、あるセミパーシステント送信を活性化または非活性化するために、所定の値にセットされる所定のフィールドを含むＤＣＩフォーマットを端末装置に送信してもよい。端末装置１は、あるＤＣＩフォーマットがＣＳ−ＲＮＴＩでスクランブルされたＣＲＣを付加されたＤＣＩフォーマットであり、且つ、該ＤＣＩフォーマットに含まれるＮＤＩフィールド（具体的に言うと、有効なトランスポートブロックのためのＮＤＩフィールド）が０にセットされている場合に、該ＤＣＩフォーマットを検証してもよい。端末装置１は、該ＤＣＩフォーマットに含まれる複数の情報のフィールドが特定の値にセットされているかどうかを検証してもよい。もし、該ＤＣＩフォーマットに含まれるＨＡＲＱプロセス番号に関する情報（HARQ process number）のフィールドがすべて‘０’にセットさ
れ、かつ、リダンダンシーバージョンに関する情報（Redundancy version）のフィールドが‘００’にセットされている場合、端末装置１は、該ＤＣＩフォーマットの検証が達成（成功）されると見なしてもよい。つまり、この場合、該ＤＣＩフォーマットは、セミパ
ーシステント送信（セミパーシステントスケジューリング）の活性化のために用いられてもよい。また、該ＤＣＩフォーマットに含まれる、ＨＡＲＱプロセス番号に関する情報（HARQ process number）のフィールドがすべて‘０’にセットされ、リダンダンシーバージョンに関する情報（Redundancy version）のフィールドが‘００’にセットされ、ＭＣＳおよびコーディングスキームに関する情報（Modulation and coding scheme）のフィールドがすべて‘１’にセットされ、周波数領域リソース割り当てに関する情報（Frequency domain resource assignment）のフィールドがすべて‘１’セットされている場合、端末装置１は、該ＤＣＩフォーマットの検証が達成（成功）されると見なしてもよい。つまり、この場合、該ＤＣＩフォーマットは、セミパーシステント送信（セミパーシステントスケジューリング）の非活性化のために用いられてもよい。該ＤＣＩフォーマットは、ＳＰＳ  ＰＤＳＣＨリリースと称してもよい。
【０１４５】
セミパーシステントスケジューリングの活性化または非活性化に用いられるＤＣＩフォーマットは、ＳＰＳ  コンフィギュレーションを識別するインデックスを示すフィールドを含んでもよい。端末装置１は、該フィールドに示されるｓｐｓ−ｃｏｎｆｉｇの識別子に基づいて、設定されている複数のＳＰＳ  コンフィギュレーションから１つを選択し、該選択したＳＰＳ  コンフィギュレーションに対して、活性化または非活性化を行ってもよい。
【０１４６】
また、セミパーシステントスケジューリングの活性化または非活性化に用いられるＤＣＩフォーマットは、ＨＡＲＱ−ＡＣＫコードブックを示す情報を示す第１のフィールドを含んでもよい。端末装置１は、該ＤＣＩフォーマットでスケジュールされるＳＰＳ  ＰＤＳＣＨまたはＳＰＳ  ＰＤＳＣＨリリースに対するＨＡＲＱ−ＡＣＫを、第１のフィールドに示されるＨＡＲＱ−ＡＣＫコードブックと対応付けしてもよい。該フィールドが第１のＨＡＲＱ−ＡＣＫコードブックを示す場合、該ＤＣＩフォーマットによってＳＰＳ  ＰＤＳＣＨまたはＳＰＳ  ＰＤＳＣＨリリースに対するＨＡＲＱ−ＡＣＫは、第１のＨＡＲＱ−ＡＣＫコードブックに対応付けられてもよい。すなわち、該ＳＰＳ  ＰＤＳＣＨまたはＳＰＳ  ＰＤＳＣＨリリースは、ＰＤＳＣＨ  Ａに対応してもよい。また、該フィールドが第２のＨＡＲＱ−ＡＣＫコードブックを示す場合、該ＤＣＩフォーマットによってＳＰＳ  ＰＤＳＣＨまたはＳＰＳ  ＰＤＳＣＨリリースに対するＨＡＲＱ−ＡＣＫは、第２のＨＡＲＱ−ＡＣＫコードブックに対応付けられてもよい。すなわち、該ＳＰＳ  ＰＤＳＣＨまたはＳＰＳ  ＰＤＳＣＨリリースは、ＰＤＳＣＨ  Ａに対応してもよい。
【０１４７】
セミパーシステントスケジューリングの活性化または非活性化に用いられるＤＣＩフォーマットがＤＣＩ  Ａである場合、該ＳＰＳ  ＰＤＳＣＨまたはＳＰＳ  ＰＤＳＣＨリリースに対するＨＡＲＱ−ＡＣＫは、第１のＨＡＲＱ−ＡＣＫコードブックに対応付けられてもよい。すなわち、該ＳＰＳ  ＰＤＳＣＨまたはＳＰＳ  ＰＤＳＣＨリリースは、ＰＤＳＣＨ  Ａに対応してもよい。また、セミパーシステントスケジューリングの活性化または非活性化に用いられるＤＣＩフォーマットがＤＣＩ  Ｂである場合、該ＳＰＳ  ＰＤＳＣＨまたはＳＰＳ  ＰＤＳＣＨリリースに対するＨＡＲＱ−ＡＣＫは、第２のＨＡＲＱ−ＡＣＫコードブックに対応付けられてもよい。すなわち、該ＳＰＳ  ＰＤＳＣＨまたはＳＰＳ  ＰＤＳＣＨリリースは、ＰＤＳＣＨ  Ｂに対応してもよい。
【０１４８】
また、セミパーシステントスケジューリングの活性化または非活性化に用いられるＤＣＩフォーマットがＤＣＩ  Ａであり、かつ、該ＤＣＩフォーマットのＣＲＣがＲＮＴＩ  Ａである場合、該ＳＰＳ  ＰＤＳＣＨまたはＳＰＳ  ＰＤＳＣＨリリースに対するＨＡＲＱ−ＡＣＫは、第１のＨＡＲＱ−ＡＣＫコードブックに対応付けられてもよい。すなわち、該ＳＰＳ  ＰＤＳＣＨまたはＳＰＳ  ＰＤＳＣＨリリースは、ＰＤＳＣＨ  Ａに対応してもよい。また、セミパーシステントスケジューリングの活性化または非活性化に用いられるＤＣＩフォーマットがＤＣＩ  Ａであり、かつ、該ＤＣＩフォーマットのＣＲＣがＲＮＴＩ  Ｂである場合、該ＳＰＳ  ＰＤＳＣＨまたはＳＰＳ  ＰＤＳＣＨリリースに対するＨＡＲＱ−ＡＣＫは、第２のＨＡＲＱ−ＡＣＫコードブックに対応付けられてもよい。すなわち、該ＳＰＳ  ＰＤＳＣＨまたはＳＰＳ  ＰＤＳＣＨリリースは、ＰＤＳＣＨ  Ｂに対応してもよい。ここで、ＲＮＴＩ  ＡはＣＳ−ＲＮＴＩであってもよい。ＲＮＴＩ  ＢはＣＳ−ＲＮＴＩ以外のＲＮＴＩであってもよい。ＲＮＴＩ  ＡおよびＲＮＴＩ  Ｂは、セミパーシステントスケジューリングの活性化または非活性化に少なくとも用いられてもよい。
【０１４９】
また、端末装置１は、ＳＰＳ  ＰＤＳＣＨリリースに対するＨＡＲＱ−ＡＣＫを基地局装置３に送信してもよい。該ＳＰＳ  ＰＤＳＣＨリリースに対するＨＡＲＱ−ＡＣＫは、ＳＰＳ  ＰＤＳＣＨに対するＨＡＲＱ−ＡＣＫが対応付けられるＨＡＲＱ−ＡＣＫコードブックと対応付けられてもよい。
【０１５０】
上位層のＲＲＣ信号で設定されるリソース割り当てテーブルは、上位層の信号ｐｄｓｃｈ−ＴｉｍｅＤｏｍａｉｎＡｌｌｏｃａｔｉｏｎＬｉｓｔとは異なる上位層の信号（インフォメーションエレメントあるいはＲＲＣパラメータであってよい）で与えられてもよい。例えば、上位層の信号ｐｄｓｃｈ−ＴｉｍｅＤｏｍａｉｎＡｌｌｏｃａｔｉｏｎＬｉｓｔ２によって与えられてもよい。基地局装置３は、上位層の信号でｐｄｓｃｈ−ＴｉｍｅＤｏｍａｉｎＡｌｌｏｃａｔｉｏｎＬｉｓｔおよび／またはｐｄｓｃｈ−ＴｉｍｅＤｏｍａｉｎＡｌｌｏｃａｔｉｏｎＬｉｓｔ２を通知してもよい。端末装置１は、上位層の信号でｐｄｓｃｈ−ＴｉｍｅＤｏｍａｉｎＡｌｌｏｃａｔｉｏｎＬｉｓｔおよび／またはｐｄｓｃｈ−ＴｉｍｅＤｏｍａｉｎＡｌｌｏｃａｔｉｏｎＬｉｓｔ２を受信してもよい。
【０１５１】
ｐｄｓｃｈ−ＴｉｍｅＤｏｍａｉｎＡｌｌｏｃａｔｉｏｎＬｉｓｔ２はｐｄｓｃｈ−ＴｉｍｅＤｏｍａｉｎＡｌｌｏｃａｔｉｏｎＬｉｓｔと同様に、最大１６個のエントリを含み、ＤＣＩに含まれる４ビットのフィールドによっていずれか１つのエントリが用いられてよい。ｐｄｓｃｈ−ＴｉｍｅＤｏｍａｉｎＡｌｌｏｃａｔｉｏｎＬｉｓｔ２に含まれる各エントリにおいて、Ｋ０、ｍａｐｐｉｎｇＴｙｐｅ、および／または、ｓｔａｒｔＳｙｍｂｏｌＡｎｄＬｅｎｇｔｈが示されてよい。ｐｄｓｃｈ−ＴｉｍｅＤｏｍａｉｎＡｌｌｏｃａｔｉｏｎＬｉｓｔ２の各エントリにおけるＫ０、ｍａｐｐｉｎｇＴｙｐｅ、および／または、ｓｔａｒｔＳｙｍｂｏｌＡｎｄＬｅｎｇｔｈにおいて利用可能な値は、ｐｄｓｃｈ−ＴｉｍｅＤｏｍａｉｎＡｌｌｏｃａｔｉｏｎＬｉｓｔにおいて利用可能な値と異なってもよい。例えば、ｐｄｓｃｈ−ＴｉｍｅＤｏｍａｉｎＡｌｌｏｃａｔｉｏｎＬｉｓｔにおいて利用可能なＫ０の値は０〜３２であり、ｐｄｓｃｈ−ＴｉｍｅＤｏｍａｉｎＡｌｌｏｃａｔｉｏｎＬｉｓｔ２において利用可能なＫ０の値は０〜４であってもよい。例えば、ｐｄｓｃｈ−ＴｉｍｅＤｏｍａｉｎＡｌｌｏｃａｔｉｏｎＬｉｓｔにおいて利用可能なｍａｐｐｉｎｎｇＴｙｐｅはマッピングタイプＡとマッピングタイプＢであり、ｐｄｓｃｈ−ＴｉｍｅＤｏｍａｉｎＡｌｌｏｃａｔｉｏｎＬｉｓｔ２において利用可能なｍａｐｐｉｎｎｇＴｙｐｅはマッピングタイプＢのみであってもよい。例えば、ｐｄｓｃｈ−ＴｉｍｅＤｏｍａｉｎＡｌｌｏｃａｔｉｏｎＬｉｓｔ２ではｍａｐｐｉｎｎｇＴｙｐｅが示されなくてもよい。
【０１５２】
ｐｄｓｃｈ−ＴｉｍｅＤｏｍａｉｎＡｌｌｏｃａｔｉｏｎＬｉｓｔ２に含まれる各エントリは、ＨＡＲＱ−ＡＣＫコードブックと関連する情報を含んでもよい。すなわち、あるエントリに与えられるＰＤＳＣＨに対するＨＡＲＱ−ＡＣＫは、該エントリに示されるＨＡＲＱ−ＡＣＫコードブックと対応付けられてもよい。該エントリに示されるＨＡＲＱ−ＡＣＫコードブックが第１のＨＡＲＱ−ＡＣＫコードブックである場合、端末装置１は、該エントリに与えられるＰＤＳＣＨに対するＨＡＲＱ−ＡＣＫを、第１のＨＡＲＱ−ＡＣＫコードブックと対応付けしてもよい。また、該エントリに示されるＨＡＲＱ−ＡＣＫコードブックが第２のＨＡＲＱ−ＡＣＫコードブックである場合、端末装置１は、該エントリに与えられるＰＤＳＣＨに対するＨＡＲＱ−ＡＣＫを、第２のＨＡＲＱ−ＡＣＫコードブックと対応付けしてもよい。
【０１５３】
端末装置１は、上位層の信号ｐｄｓｃｈ−Ｃｏｎｆｉｇにｐｄｓｃｈ−ＴｉｍｅＤｏｍａｉｎＡｌｌｏｃａｔｉｏｎＬｉｓｔが含まれており、かつＤＣＩ  ＡでＰＤＳＣＨがスケジュールされている場合に、ＰＤＳＣＨ（ＰＤＳＣＨ  Ａ）のリソース割り当てテーブルにｐｄｓｃｈ−Ｃｏｎｆｉｇに含まれるｐｄｓｃｈ−ＴｉｍｅＤｏｍａｉｎＡｌｌｏｃａｔｉｏｎＬｉｓｔを適用してもよい。端末装置１は、上位層の信号ｐｄｓｃｈ−Ｃｏｎｆｉｇにｐｄｓｃｈ−ＴｉｍｅＤｏｍａｉｎＡｌｌｏｃａｔｉｏｎＬｉｓｔ２が含まれており、かつＤＣＩ  ＢでＰＤＳＣＨがスケジュールされている場合に、ＰＤＳＣＨ（ＰＤＳＣＨ  Ｂ）のリソース割り当てテーブルにｐｄｓｃｈ−Ｃｏｎｆｉｇに含まれるｐｄｓｃｈ−ＴｉｍｅＤｏｍａｉｎＡｌｌｏｃａｔｉｏｎＬｉｓｔ２を適用してもよい。
【０１５４】
端末装置１は、上位層の信号ｐｄｓｃｈ−Ｃｏｎｆｉｇおよびｐｄｓｃｈ−ＣｏｎｆｉｇＣｏｍｍｏｎにｐｄｓｃｈ−ＴｉｍｅＤｏｍａｉｎＡｌｌｏｃａｔｉｏｎＬｉｓｔが含まれておらず、かつＤＣＩ  ＡでＰＤＳＣＨがスケジュールされている場合に、ＰＤＳＣＨのリソース割り当てテーブルにデフォルトテーブルＡを適用してもよい。端末装置１は、上位層の信号ｐｄｓｃｈ−Ｃｏｎｆｉｇおよびｐｄｓｃｈ−ＣｏｎｆｉｇＣｏｍｍｏｎにｐｄｓｃｈ−ＴｉｍｅＤｏｍａｉｎＡｌｌｏｃａｔｉｏｎＬｉｓｔ２が含まれておらず、かつＤＣＩ  ＢでＰＤＳＣＨがスケジュールされている場合に、ＰＤＳＣＨのリソース割り当てテーブルにデフォルトテーブルＤを適用してもよい。端末装置１は、上位層の信号でｐｄｓｃｈ−ＴｉｍｅＤｏｍａｉｎＡｌｌｏｃａｔｉｏｎＬｉｓｔおよび／またはｐｄｓｃｈ−ＴｉｍｅＤｏｍａｉｎＡｌｌｏｃａｔｉｏｎＬｉｓｔ２が設定されていない場合に、ＤＣＩ  ＡとＤＣＩ  Ｂで異なるデフォルトテーブルを用いてもよい。端末装置１は、上位層の信号でｐｄｓｃｈ−ＴｉｍｅＤｏｍａｉｎＡｌｌｏｃａｔｉｏｎＬｉｓｔおよび／またはｐｄｓｃｈ−ＴｉｍｅＤｏｍａｉｎＡｌｌｏｃａｔｉｏｎＬｉｓｔ２が設定されていない場合に、ＤＣＩ  ＡとＤＣＩ  Ｂで同一のデフォルトテーブルを用いてもよい。
【０１５５】
図１６は、ＳＬＩＶを算出する一例を示す図である。
【０１５６】
図１６において、１４は１つのスロットに含まれるシンボルの数である。図１６は、ＮＣＰ（Normal Cyclic Prefix）の場合にＳＬＩＶを算出する一例を示す。ＳＬＩＶの値は、スロットに含まれるシンボルの数、開始シンボルＳ、および、連続的なシンボル数Ｌに基づいて、算出される。ここで、Ｌの値は１以上であり、（１４−Ｓ）を超えない。ＥＣＰでＳＬＩＶを算出する場合には、図１６における値７と１４には代わりに６と１２が使われる。
【０１５７】
以下、スロットオフセットＫ０について説明する。
【０１５８】
前述のように、サブキャリア間隔設定μにおいて、スロットは、サブフレーム内で０からＮ＾｛ｓｕｂｆｒａｍｅ，μ｝＿｛ｓｌｏｔ｝−１まで昇順に数えられ、フレーム内で０からＮ＾｛ｆｒａｍｅ，μ｝＿｛ｓｌｏｔ｝−１まで昇順に数えられる。Ｋ０はＰＤＳＣＨのサブキャリア間隔に基づくスロットの数である。Ｋ０は０から３２までの値を取り得る。あるサブフレームまたはフレームにおいて、スロットの番号は０からに昇順に数えられる。サブキャリア間隔設定１５ｋＨｚのスロット番号ｎは、サブキャリア間隔設定３０ｋＨｚのスロット番号２ｎと２ｎ＋１に対応する。
【０１５９】
端末装置１がＰＤＳＣＨをスケジュールするＤＣＩを検出した場合に、そのＰＤＳＣＨに割り当てられるスロットはｆｌｏｏｒ（ｎ＊２μＰＤＳＣＨ／２μＰＤＣＣＨ）＋Ｋ０
によって与えられる。関数ｆｌｏｏｒ（Ａ）は、Ａを上回らない最大の整数を出力する。ｎは、ＰＤＳＣＨをスケジュールするＰＤＣＣＨが検出されたスロットである。μＰＤＳＣＨはＰＤＳＣＨに対するサブキャリア間隔設定である。μＰＤＣＣＨはＰＤＣＣＨに対するサブキャリア間隔設定である。
【０１６０】
端末装置１は、図１０に示されるように、複数の要素に基づいてＰＤＳＣＨ時間領域リソース割り当てに適用するリソース割り当てテーブルを決定してもよい。端末装置１は、以下の要素（Ａ）から要素（Ｆ）の一部または全部に少なくとも基づいて、ＤＣＩによってスケジュールされるＰＤＳＣＨに適用するリソース割り当てテーブルを決定してもよい。
要素（Ａ）：ＤＣＩに付加されるＣＲＣをスクランブルするＲＮＴＩのタイプ 
要素（Ｂ）：ＤＣＩが検出されるサーチスペースのタイプ
要素（Ｃ）：そのサーチスペースと関連付けられるＣＯＲＥＳＥＴがＣＯＲＥＳＥＴ＃０であるかどうか
要素（Ｄ）：ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔを含むかどうか
要素（Ｅ）：ｐｄｓｃｈ−Ｃｏｎｆｉｇがｐｄｓｃｈ−ＴｉｍｅＤｏｍａｉｎＡｌｌｏｃａｔｉｏｎＬｉｓｔを含むかどうか
要素（Ｆ）：ＳＳ／ＰＢＣＨとＣＯＲＥＳＥＴ多重パターン
【０１６１】
要素（Ａ）において、ＤＣＩに付加されるＣＲＣをスクランブルするＲＮＴＩのタイプは、ＳＩ−ＲＮＴＩ、ＲＡ−ＲＮＴＩ、ＴＣ−ＲＮＴＩ、Ｐ−ＲＮＴＩ、Ｃ−ＲＮＴＩ、ＭＣＳ−Ｃ−ＲＮＴＩ、または、ＣＳ−ＲＮＴＩのうち何れかである。
【０１６２】
要素（Ｂ）において、ＤＣＩが検出されるサーチスペースのタイプは、コモンサーチスペース、または、ＵＥ固有サーチスペースである。コモンサーチスペースは、タイプ０コモンサーチスペース、タイプ１コモンサーチスペース、タイプ２コモンサーチスペースを含む。
【０１６３】
例Ａとして、端末装置１は、ＣＯＲＥＳＥＴ＃０に関連付けられる任意のコモンサーチスペースにおいてＤＣＩを検出してもよい。検出したＤＣＩは、Ｃ−ＲＮＴＩ、ＭＣＳ−Ｃ−ＲＮＴＩ、または、ＣＳ−ＲＮＴＩのうち、何れかによってスクランブルされるＣＲＣが付加される。そして、端末装置１は、そのＤＣＩによってスケジュールされるＰＤＳＣＨに適用するリソース割り当てテーブルを決定してもよい。端末装置１に対してｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔを含む場合、端末装置１は、上位層のＲＲＣ信号から設定されるリソース割り当てテーブルを決定してもよい。そのリソース割り当てテーブルは、ｐｄｓｃｈ−ＣｏｎｆｉｇＣｏｍｍｏｎに含まれるｐｄｓｃｈ−ＴｉｍｅＤｏｍａｉｎＡｌｌｏｃａｔｉｏｎＬｉｓｔによって与えられる。また、端末装置１に対してｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔを含まない場合、端末装置１は、デフォルトテーブルＡを決定してもよい。つまり、端末装置１は、ＰＤＳＣＨ時間領域リソース割り当てのコンフィギュレーションを示すデフォルトテーブルＡを用いて、ＰＤＳＣＨ時間領域リソース割り当ての決定に適用してもよい。
【０１６４】
例Ｂとして、端末装置１は、ＣＯＲＥＳＥＴ＃０に関連付けられない任意のコモンサーチスペースにおいてＤＣＩを検出してもよい。検出したＤＣＩは、Ｃ−ＲＮＴＩ、ＭＣＳ−Ｃ−ＲＮＴＩ、または、ＣＳ−ＲＮＴＩの内、何れかによってスクランブルされるＣＲＣが付加される。そして、端末装置１は、そのＤＣＩによってスケジュールされるＰＤＳＣＨに適用するリソース割り当てテーブルを決定してもよい。端末装置１に対してｐｄｓｃｈ−Ｃｏｎｆｉｇがｐｄｓｃｈ−ＴｉｍｅＤｏｍａｉｎＡｌｌｏｃａｔｉｏｎＬｉｓｔ
を含む場合、端末装置１は、ＰＤＳＣＨ時間領域リソース割り当てに適用するリソース割り当てテーブルを、ｐｄｓｃｈ−Ｃｏｎｆｉｇで提供されるｐｄｓｃｈ−ＴｉｍｅＤｏｍａｉｎＡｌｌｏｃａｔｉｏｎＬｉｓｔから与えられるリソース割り当てテーブルに決定してもよい。つまり、ｐｄｓｃｈ−Ｃｏｎｆｉｇがｐｄｓｃｈ−ＴｉｍｅＤｏｍａｉｎＡｌｌｏｃａｔｉｏｎＬｉｓｔを含む場合、端末装置１は、ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔを含むか含まないかと関わらず、ｐｄｓｃｈ−Ｃｏｎｆｉｇで提供されるｐｄｓｃｈ−ＴｉｍｅＤｏｍａｉｎＡｌｌｏｃａｔｉｏｎＬｉｓｔを用いて、ＰＤＳＣＨ時間領域リソース割り当ての決定に適用してもよい。また、ｐｄｓｃｈ−Ｃｏｎｆｉｇがｐｄｓｃｈ−ＴｉｍｅＤｏｍａｉｎＡｌｌｏｃａｔｉｏｎＬｉｓｔを含んでおらず、且つ、ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔを含む場合、端末装置１は、ＰＤＳＣＨ時間領域リソース割り当てに適用するリソース割り当てテーブルを、ｐｄｓｃｈ−ＣｏｎｆｉｇＣｏｍｍｏｎで提供されるｐｄｓｃｈ−ＴｉｍｅＤｏｍａｉｎＡｌｌｏｃａｔｉｏｎＬｉｓｔから与えられるリソース割り当てテーブルに決定してもよい。つまり、端末装置１は、ｐｄｓｃｈ−ＣｏｎｆｉｇＣｏｍｍｏｎで提供されるｐｄｓｃｈ−ＴｉｍｅＤｏｍａｉｎＡｌｌｏｃａｔｉｏｎＬｉｓｔを用いて、ＰＤＳＣＨ時間領域リソース割り当ての決定に適用する。また、ｐｄｓｃｈ−Ｃｏｎｆｉｇがｐｄｓｃｈ−ＴｉｍｅＤｏｍａｉｎＡｌｌｏｃａｔｉｏｎＬｉｓｔを含んでおらず、且つ、ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔを含まない場合、端末装置１は、ＰＤＳＣＨ時間領域リソース割り当てに適用するリソース割り当てテーブルをデフォルトテーブルＡに決定してもよい。
【０１６５】
例Ｃとして、端末装置１は、ＵＥ固有サーチスペースにおいてＤＣＩを検出してもよい。検出したＤＣＩは、Ｃ−ＲＮＴＩ、ＭＣＳ−Ｃ−ＲＮＴＩ、または、ＣＳ−ＲＮＴＩの内、何れかによってスクランブルされるＣＲＣが付加される。そして、端末装置１は、そのＤＣＩによってスケジュールされるＰＤＳＣＨに適用するリソース割り当てテーブルを決定してもよい。端末装置１に対してｐｄｓｃｈ−Ｃｏｎｆｉｇがｐｄｓｃｈ−ＴｉｍｅＤｏｍａｉｎＡｌｌｏｃａｔｉｏｎＬｉｓｔを含む場合、端末装置１は、ＰＤＳＣＨ時間領域リソース割り当てに適用するリソース割り当てテーブルを、ｐｄｓｃｈ−Ｃｏｎｆｉｇで提供されるｐｄｓｃｈ−ＴｉｍｅＤｏｍａｉｎＡｌｌｏｃａｔｉｏｎＬｉｓｔから与えられるリソース割り当てテーブルに決定してもよい。つまり、ｐｄｓｃｈ−Ｃｏｎｆｉｇがｐｄｓｃｈ−ＴｉｍｅＤｏｍａｉｎＡｌｌｏｃａｔｉｏｎＬｉｓｔを含む場合、端末装置１は、ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔを含むか含まないかと関わらず、ｐｄｓｃｈ−Ｃｏｎｆｉｇで提供されるｐｄｓｃｈ−ＴｉｍｅＤｏｍａｉｎＡｌｌｏｃａｔｉｏｎＬｉｓｔを用いて、ＰＤＳＣＨ時間領域リソース割り当ての決定に適用してもよい。また、ｐｄｓｃｈ−Ｃｏｎｆｉｇがｐｄｓｃｈ−ＴｉｍｅＤｏｍａｉｎＡｌｌｏｃａｔｉｏｎＬｉｓｔを含んでおらず、且つ、ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔを含む場合、端末装置１は、ＰＤＳＣＨ時間領域リソース割り当てに適用するリソース割り当てテーブルを、ｐｄｓｃｈ−ＣｏｎｆｉｇＣｏｍｍｏｎで提供されるｐｄｓｃｈ−ＴｉｍｅＤｏｍａｉｎＡｌｌｏｃａｔｉｏｎＬｉｓｔから与えられるリソース割り当てテーブルに決定してもよい。つまり、端末装置１は、ｐｄｓｃｈ−ＣｏｎｆｉｇＣｏｍｍｏｎで提供されるｐｄｓｃｈ−ＴｉｍｅＤｏｍａｉｎＡｌｌｏｃａｔｉｏｎＬｉｓｔを用いて、ＰＤＳＣＨ時間領域リソース割り当ての決定に適用する。また、ｐｄｓｃｈ−Ｃｏｎｆｉｇがｐｄｓｃｈ−ＴｉｍｅＤｏｍａｉｎＡｌｌｏｃａｔｉｏｎＬｉｓｔを含んでおらず、且つ、ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔを含まない場合、端末装置１は、ＰＤＳＣＨ時間領域リソース割り当てに適用するリソース割り当てテーブルをデフォルトテーブルＡに決定してもよい。
【０１６６】
例Ｂと例Ｃからみると、ＵＥ固有サーチスペースにおいて検出されるＰＤＳＣＨに適用するリソース割り当てテーブルの決定方法は、ＣＯＲＥＳＥＴ＃０に関連付けられない任意のコモンサーチスペースにおいて検出されるＰＤＳＣＨに適用するリソース割り当てテーブルの決定方法と同様である。
【０１６７】
図１１は、本実施形態に係るＰＤＳＣＨに適用するリソース割り当てテーブルの決定法を示すテーブルの一例である。端末装置１は、図１０の最後の行（ＣＯＲＥＳＥＴ＃０に関連付けられない任意のコモンサーチスペースまたはＵＥ固有サーチスペースにおいてＤＣＩを検出し、かつＲＮＴＩが所定のタイプのＲＮＴＩである場合）において図１１のようにリソース割り当てケーブルを決定してもよい。端末装置１は、要素（Ａ）から要素（Ｆ）の一部または全部に加えて、下記の要素（Ｇ）から要素（Ｉ）の少なくとも一部に基づいて、ＤＣＩによってスケジュールされるＰＤＳＣＨに適用するリソース割り当てテーブルを決定してもよい。
要素（Ｇ）：ＤＣＩが上記のＤＣＩ  Ａ（1st DCI）であるかＤＣＩ  Ｂ（2nd DCI）であるか
要素（Ｈ）：ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔ２を含むかどうか
要素（Ｉ）：ｐｄｓｃｈ−Ｃｏｎｆｉｇがｐｄｓｃｈ−ＴｉｍｅＤｏｍａｉｎＡｌｌｏｃａｔｉｏｎＬｉｓｔ２を含むかどうか
【０１６８】
ただし、ＤＣＩ  Ａの場合とＤＣＩ  Ｂの場合とで同一のデフォルトテーブル（例えばデフォルトテーブルＡ）が用いられてもよい。ただし、ｐｄｓｃｈ−ＴｉｍｅＤｏｍａｉｎＡｌｌｏｃａｔｉｏｎＬｉｓｔ２は、ｐｄｓｃｈ−ＣｏｎｆｉｇＣｏｍｍｏｎには含まれないパラメータでありｐｄｓｃｈ−Ｃｏｎｆｉｇにのみ含まれるパラメータであってもよい。
【０１６９】
図１１に示すテーブルでは、端末装置１および／または基地局装置３は、要素（Ａ）〜要素（Ｉ）に基づいてＰＤＳＣＨに適用するリソース割り当てテーブルをデフォルトテーブルＡ、デフォルトテーブルＤ、ｐｄｓｃｈ−ＣｏｎｆｉｇＣｏｍｍｏｎに含まれるｐｄｓｃｈ−ＴｉｍｅＤｏｍａｉｎＡｌｌｏｃａｔｉｏｎＬｉｓｔ、ｐｄｓｃｈ−Ｃｏｎｆｉｇに含まれるｐｄｓｃｈ−ＴｉｍｅＤｏｍａｉｎＡｌｌｏｃａｔｉｏｎＬｉｓｔ、ｐｄｓｃｈ−ＣｏｎｆｉｇＣｏｍｍｏｎに含まれるｐｄｓｃｈ−ＴｉｍｅＤｏｍａｉｎＡｌｌｏｃａｔｉｏｎＬｉｓｔ２およびｐｄｓｃｈ−Ｃｏｎｆｉｇに含まれるｐｄｓｃｈ−ＴｉｍｅＤｏｍａｉｎＡｌｌｏｃａｔｉｏｎＬｉｓｔ２の中から決定する。
図１２は、本実施形態に係るＰＤＳＣＨに適用するリソース割り当てテーブルの決定法を示すテーブルの別の一例である。図１２に示すテーブルでは、端末装置１および／または基地局装置３は、要素（Ａ）〜要素（Ｇ）と要素（Ｉ）に基づいてＰＤＳＣＨに適用するリソース割り当てテーブルをデフォルトテーブルＡ、ｐｄｓｃｈ−ＣｏｎｆｉｇＣｏｍｍｏｎに含まれるｐｄｓｃｈ−ＴｉｍｅＤｏｍａｉｎＡｌｌｏｃａｔｉｏｎＬｉｓｔ、ｐｄｓｃｈ−Ｃｏｎｆｉｇに含まれるｐｄｓｃｈ−ＴｉｍｅＤｏｍａｉｎＡｌｌｏｃａｔｉｏｎＬｉｓｔおよびｐｄｓｃｈ−Ｃｏｎｆｉｇに含まれるｐｄｓｃｈ−ＴｉｍｅＤｏｍａｉｎＡｌｌｏｃａｔｉｏｎＬｉｓｔ２の中から決定する。図１２に示すテーブルの例では、ＤＣＩがＤＣＩ  Ｂであり、ｐｄｓｃｈ−Ｃｏｎｆｉｇにｐｄｓｃｈ−ＴｉｍｅＤｏｍａｉｎＡｌｌｏｃａｔｉｏｎＬｉｓｔ２が含まれず、ｐｄｓｃｈ−ＣｏｎｆｉｇＣｏｍｍｏｎにｐｄｓｃｈ−ＴｉｍｅＤｏｍａｉｎＡｌｌｏｃａｔｉｏｎＬｉｓｔが含まれる場合には、ＰＤＳＣＨに適用するリソース割り当てテーブルはｐｄｓｃｈ−ＣｏｎｆｉｇＣｏｍｍｏｎに含まれるｐｄｓｃｈ−ＴｉｍｅＤｏｍａｉｎＡｌｌｏｃａｔｉｏｎＬｉｓｔである。ただし、ＤＣＩがＤＣＩ  Ｂであり、ｐｄｓｃｈ−Ｃｏｎｆｉｇにｐｄｓｃｈ−ＴｉｍｅＤｏｍａｉｎＡｌｌｏｃａｔｉｏｎＬｉｓｔ２が含まれない場合には、ＰＤＳＣＨに適用するリソース割り当てテーブルはデフォルトテーブルＡまたはデフォルトテーブルＤであってもよい。
【０１７０】
続いて、端末装置１は、そのＰＤＳＣＨをスケジュールするＤＣＩに含まれる‘Ｔｉｍｅ  ｄｏｍａｉｎ  ｒｅｓｏｕｒｃｅ  ａｓｓｉｇｎｍｅｎｔ’フィールドに示される値に基づき、決定したリソース割り当てテーブル内の１つのＰＤＳＣＨ時間領域リソース割り当てコンフィギュレーションを選んでもよい。例えば、ＰＤＳＣＨ時間領域リソース割り当てに適用するリソース割り当てテーブルがデフォルトテーブルＡである場合、‘Ｔｉｍｅ  ｄｏｍａｉｎ  ｒｅｓｏｕｒｃｅ  ａｓｓｉｇｎｍｅｎｔ’フィールドに示される値ｍは、デフォルトテーブルＡの行インデックス（ｒｏｗ  ｉｎｄｅｘ）ｍ＋１を示してもよい。この時、ＰＤＳＣＨ時間領域リソース割り当ては、行インデックスｍ＋１から示される時間領域リソース割り当てのコンフィギュレーションである。端末装置１は、行インデックスｍ＋１から示される時間領域リソース割り当てのコンフィギュレーションを想定し、ＰＤＳＣＨを受信する。例えば、‘Ｔｉｍｅ  ｄｏｍａｉｎ  ｒｅｓｏｕｒｃｅ  ａｓｓｉｇｎｍｅｎｔ’フィールドに示される値ｍが０である場合、端末装置１は、デフォルトテーブルＡの行インデックス１のＰＤＳＣＨ時間領域リソース割り当てのコンフィギュレーションを用いて、そのＤＣＩによってスケジュールされるＰＤＳＣＨの時間方向のリソース割り当てを特定する。
【０１７１】
また、ＰＤＳＣＨ時間領域リソース割り当てに適用するリソース割り当てテーブルがｐｄｓｃｈ−ＴｉｍｅＤｏｍａｉｎＡｌｌｏｃａｔｉｏｎＬｉｓｔから与えられるリソース割り当てテーブルである場合、‘Ｔｉｍｅ  ｄｏｍａｉｎ  ｒｅｓｏｕｒｃｅ  ａｓｓｉｇｎｍｅｎｔ’フィールドに示される値ｍは、リストｐｄｓｃｈ−ＴｉｍｅＤｏｍａｉｎＡｌｌｏｃａｔｉｏｎＬｉｓｔにおける（ｍ＋１）番目のエレメント（エントリ、行）に対応する。例えば、‘Ｔｉｍｅ  ｄｏｍａｉｎ  ｒｅｓｏｕｒｃｅ  ａｓｓｉｇｎｍｅｎｔ’フィールドに示される値ｍが０である場合、端末装置１は、リストｐｄｓｃｈ−ＴｉｍｅＤｏｍａｉｎＡｌｌｏｃａｔｉｏｎＬｉｓｔにおける１番目のエレメント（エントリ）を参照してもよい。例えば、‘Ｔｉｍｅ  ｄｏｍａｉｎ  ｒｅｓｏｕｒｃｅ  ａｓｓｉｇｎｍｅｎｔ’フィールドに示される値ｍが１である場合、端末装置１は、リストｐｄｓｃｈ−ＴｉｍｅＤｏｍａｉｎＡｌｌｏｃａｔｉｏｎＬｉｓｔにおける２番目のエレメント（エントリ）を参照してもよい。
【０１７２】
また、ＰＤＳＣＨ時間領域リソース割り当てに適用するリソース割り当てテーブルがｐｄｓｃｈ−ＴｉｍｅＤｏｍａｉｎＡｌｌｏｃａｔｉｏｎＬｉｓｔ２から与えられるリソース割り当てテーブルである場合、‘Ｔｉｍｅ  ｄｏｍａｉｎ  ｒｅｓｏｕｒｃｅ  ａｓｓｉｇｎｍｅｎｔ’フィールドに示される値ｍは、リストｐｄｓｃｈ−ＴｉｍｅＤｏｍａｉｎＡｌｌｏｃａｔｉｏｎＬｉｓｔ２における（ｍ＋１）番目のエレメント（エントリ、行）に対応する。例えば、‘Ｔｉｍｅ  ｄｏｍａｉｎ  ｒｅｓｏｕｒｃｅ  ａｓｓｉｇｎｍｅｎｔ’フィールドに示される値ｍが０である場合、端末装置１は、リストｐｄｓｃｈ−ＴｉｍｅＤｏｍａｉｎＡｌｌｏｃａｔｉｏｎＬｉｓｔ２における１番目のエレメント（エントリ）を参照してもよい。例えば、‘Ｔｉｍｅ  ｄｏｍａｉｎ  ｒｅｓｏｕｒｃｅ  ａｓｓｉｇｎｍｅｎｔ’フィールドに示される値ｍが１である場合、端末装置１は、リストｐｄｓｃｈ−ＴｉｍｅＤｏｍａｉｎＡｌｌｏｃａｔｉｏｎＬｉｓｔ２における２番目のエレメント（エントリ）を参照してもよい。
【０１７３】
以下、ＤＣＩに含まれる‘Ｔｉｍｅ  ｄｏｍａｉｎ  ｒｅｓｏｕｒｃｅ  ａｓｓｉｇｎｍｅｎｔ’フィールドのビット数（サイズ）について説明する。
【０１７４】
端末装置１は、ＤＣＩフォーマット１＿０、ＤＣＩフォーマット１＿１またはＤＣＩフォーマット１＿２を含むＰＤＣＣＨの検出によって、対応するＰＤＳＣＨをデコード（受信）してもよい。ＤＣＩフォーマット１＿０に含まる‘Ｔｉｍｅ  ｄｏｍａｉｎ  ｒｅｓｏｕｒｃｅ  ａｓｓｉｇｎｍｅｎｔ’フィールドのビット数は固定のビット数であってもよい。例えば、この固定のビット数は４であってもよい。つまり、ＤＣＩフォーマット１＿０に含まれる‘Ｔｉｍｅ  ｄｏｍａｉｎ  ｒｅｓｏｕｒｃｅ  ａｓｓｉｇｎｍｅｎｔ’フィールドのサイズは４ビットである。また、ＤＣＩフォーマット１＿１およびＤＣＩフォーマット１＿２に含まれる‘Ｔｉｍｅ  ｄｏｍａｉｎ  ｒｅｓｏｕｒｃｅ  ａｓｓｉｇｎｍｅｎｔ’フィールドのサイズは可変のビット数であってもよい。例えば、ＤＣＩフォーマット１＿１およびＤＣＩフォーマット１＿２に含まれる‘Ｔｉｍｅ  ｄｏｍａｉｎ  ｒｅｓｏｕｒｃｅ  ａｓｓｉｇｎｍｅｎｔ’フィールドのビット数は０、１、２、３、４の内何れかであってもよい。また、ＤＣＩフォーマット１＿２に含まれる‘Ｔｉｍｅ  ｄｏｍａｉｎ  ｒｅｓｏｕｒｃｅ  ａｓｓｉｇｎｍｅｎｔ’フィールドのビット数は４より大きい値であってもよい。
【０１７５】
以下、ＤＣＩフォーマット１＿１およびＤＣＩフォーマット１＿２に含まれる‘Ｔｉｍｅ  ｄｏｍａｉｎ  ｒｅｓｏｕｒｃｅ  ａｓｓｉｇｎｍｅｎｔ’フィールドのビット数の決定について説明する。
【０１７６】
ＤＣＩフォーマット１＿１およびＤＣＩフォーマット１＿２に含まれる‘Ｔｉｍｅ  ｄｏｍａｉｎ  ｒｅｓｏｕｒｃｅ  ａｓｓｉｇｎｍｅｎｔ’フィールドのビット数は、（Ｉ）ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含むかどうか、および／または、（ＩＩ）ｐｄｓｃｈ−Ｃｏｎｆｉｇがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含むかどうか、および／または、（ＩＩＩ）事前に定義したデフォルトテーブルに含まれる行の数に少なくとも基づいて、与えられてもよい。本実施形態において、ＤＣＩフォーマット１＿１およびＤＣＩフォーマット１＿２は、Ｃ−ＲＮＴＩ、ＭＣＳ−Ｃ−ＲＮＴＩ、および、ＣＳ−ＲＮＴＩの内、何れかによってスクランブルされるＣＲＣが付加される。ＤＣＩフォーマット１＿１は、ＵＥ固有サーチスペースにおいて検出されてもよい。本実施形態において、‘ｐｄｓｃｈ−Ｃｏｎｆｉｇがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含む’の意味は、‘ｐｄｓｃｈ−Ｃｏｎｆｉｇでｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）が提供される’の意味であってもよい。‘ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含む’の意味は、‘ｐｄｓｃｈ−ＣｏｎｆｉｇＣｏｍｍｏｎでｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）が提供される’の意味であってもよい。
【０１７７】
‘Ｔｉｍｅ  ｄｏｍａｉｎ  ｒｅｓｏｕｒｃｅ  ａｓｓｉｇｎｍｅｎｔ’フィールドのビット数は、ｃｅｉｌｉｎｇ（ｌｏｇ２（Ｉ））として与えられてもよい。関数ｃｅｉｌｉｎｇ（Ａ）は、Ａを下回らない最小の整数を出力する。端末装置１に対してｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）が設定（提供）される場合、Ｉの値はｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）に含まれるエントリの数であってもよい。端末装置１に対してｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）が設定（提供）されない場合、Ｉの値はデフォルトテーブル（デフォルトテーブルＡ（またはデフォルトテーブルＤ））の行の数であってもよい。つまり、端末装置１に対してｐｄｓ
ｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）が設定される場合、‘Ｔｉｍｅ  ｄｏｍａｉｎ  ｒｅｓｏｕｒｃｅ  ａｓｓｉｇｎｍｅｎｔ’フィールドのビット数は、ｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）に含まれるエントリの数に基づいて与えられてもよい。端末装置１に対してｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）が設定されない場合、‘Ｔｉｍｅ  ｄｏｍａｉｎ  ｒｅｓｏｕｒｃｅ  ａｓｓｉｇｎｍｅｎｔ’フィールドのビット数は、デフォルトテーブル（デフォルトテーブルＡ）の行の数に基づいて与えられてもよい。具体的に言うと、ｐｄｓｃｈ−Ｃｏｎｆｉｇがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含む場合、Ｉの値はｐｄｓｃｈ−Ｃｏｎｆｉｇで提供されるｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）に含まれるエントリの数であってもよい。また、ｐｄｓｃｈ−Ｃｏｎｆｉｇがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含んでおらず、且つ、ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含む場合、Ｉの値はｐｄｓｃｈ−ＣｏｎｆｉｇＣｏｍｍｏｎで提供されるｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）に含まれるエントリの数であってもよい。また、ｐｄｓｃｈ−Ｃｏｎｆｉｇがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含んでおらず、且つ、ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含まない場合、Ｉの値はデフォルトテーブル（例えば、デフォルトテーブルＡまたはデフォルトテーブルＤ）に含まれる行の数であってもよい。
【０１７８】
また、別の言い方で言えば、端末装置１に対してｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）が設定（提供）される場合、‘Ｔｉｍｅ  ｄｏｍａｉｎ  ｒｅｓｏｕｒｃｅ  ａｓｓｉｇｎｍｅｎｔ’フィールドのビット数は、ｃｅｉｌｉｎｇ（ｌｏｇ２（Ｉ））として与えられてもよい。端末装置１に対してｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）が設定（提供）されない場合、‘Ｔｉｍｅ  ｄｏｍａｉｎ  ｒｅｓｏｕｒｃｅ  ａｓｓｉｇｎｍｅｎｔ’フィールドのビット数は、固定のビット数であってもよい。例えば、固定のビット数は４ビットであってもよい。
ここで、Ｉはｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）に含まれるエントリの数であってもよい。具体的に言うと、ｐｄｓｃｈ−Ｃｏｎｆｉｇがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含む場合、Ｉの値はｐｄｓｃｈ−Ｃｏｎｆｉｇで提供されるｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）に含まれるエントリの数であってもよい。また、ｐｄｓｃｈ−Ｃｏｎｆｉｇがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含んでおらず、且つ、ｐｄｓｃｈ−ＣｏｎｆｉｇＣｏｍｍｏｎがｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）を含む場合、Ｉの値はｐ
ｄｓｃｈ−ＣｏｎｆｉｇＣｏｍｍｏｎで提供されるｐｄｓｃｈ−ＴｉｍｅＤｏｍａｉｎＡｌｌｏｃａｔｉｏｎＬｉｓｔ（またはｐｄｓｃｈ−ＴｉｍｅＤｏｍａｉｎＡｌｌｏｃａｔｉｏｎＬｉｓｔ２）に含まれるエントリの数であってもよい。
【０１７９】
また、ｐｄｓｃｈ−ＴｉｍｅＤｏｍａｉｎＡｌｌｏｃａｔｉｏｎＬｉｓｔに含まれるエントリの数は、ｐｄｓｃｈ−ＴｉｍｅＤｏｍａｉｎＡｌｌｏｃａｔｉｏｎＬｉｓｔ２に含まれるエントリの数と異なってもよい。ｐｄｓｃｈ−ＴｉｍｅＤｏｍａｉｎＡｌｌｏｃａｔｉｏｎＬｉｓｔに含まれるエントリの最大数は、第１の値であってもよい。例えば、第１の値は１６である。ｐｄｓｃｈ−ＴｉｍｅＤｏｍａｉｎＡｌｌｏｃａｔｉｏｎＬｉｓｔ２に含まれるエントリの最大数は、第２の値であってもよい。例えば、第１の値は１６より大きい値である。
【０１８０】
以下、ＨＡＲＱ−ＡＣＫコードブックの決定（生成）について説明する。
【０１８１】
端末装置１は、１つまたは複数のＰＤＳＣＨのそれぞれに対応するＨＡＲＱ−ＡＣＫ情報ビットを含むＨＡＲＱ−ＡＣＫコードブックを生成してもよい。生成したＨＡＲＱ−ＡＣＫ情報ビットを含むＨＡＲＱ−ＡＣＫコードブックは、ＰＵＣＣＨで送信されてもよい。端末装置１に対して、上位層のパラメータｐｄｓｃｈ−ＨＡＲＱ−ＡＣＫ−Ｃｏｄｅｂｏｏｋは、‘ｓｅｍｉ−ｓｔａｔｉｃ’または‘ｄｙｎａｍｉｃ’の何れかに設定される。ｐｄｓｃｈ−ＨＡＲＱ−ＡＣＫ−Ｃｏｄｅｂｏｏｋは、ＨＡＲＱ−ＡＣＫコードブックのタイプを示すために用いられてもよい。ここで、ＨＡＲＱ−ＡＣＫコードブックのタイプは、タイプ１ＨＡＲＱ−ＡＣＫコードブックとタイプ２ＨＡＲＱ−ＡＣＫコードブックを含んでもよい。端末装置１に対してｐｄｓｃｈ−ＨＡＲＱ−ＡＣＫ−Ｃｏｄｅｂｏｏｋが‘ｓｅｍｉ−ｓｔａｔｉｃ’に設定されている場合、タイプ１ＨＡＲＱ−ＡＣＫコードブック決定の手順が適用されてもよい。端末装置１に対してｐｄｓｃｈ−ＨＡＲＱ−ＡＣＫ−Ｃｏｄｅｂｏｏｋが‘ｄｙｎａｍｉｃ’に設定されている場合、タイプ２ＨＡＲＱ−ＡＣＫコードブック決定の手順が適用されてもよい。端末装置１は、ｐｄｓｃｈ−ＨＡＲＱ−ＡＣＫ−Ｃｏｄｅｂｏｏｋに示されるＨＡＲＱ−ＡＣＫコードブックのタイプに基づいて、ＨＡＲＱ−ＡＣＫコードブックを生成してもよい。
【０１８２】
端末装置１は、ＰＤＳＣＨで伝送されるデータのサービスタイプ（ｅＭＢＢ、ＵＲＬＬＣ）に対応して異なるＨＡＲＱ−ＡＣＫコードブックを生成してもよい。具体的にいうと、端末装置１は、ｅＭＢＢのデータを伝送するＰＤＳＣＨに対応するＨＡＲＱ−ＡＣＫ情報ビットを送信するために、第１のＨＡＲＱ−ＡＣＫコードブックを生成してもよい。すなわち、第１のＨＡＲＱ−ＡＣＫコードブックは、ｅＭＢＢのデータを伝送するＰＤＳＣＨに対応するＨＡＲＱ−ＡＣＫ情報ビットを含んでもよい。また、端末装置１は、ＵＲＬＬＣのデータを伝送するＰＤＳＣＨに対応するＨＡＲＱ−ＡＣＫ情報ビットを送信するために、第２のＨＡＲＱ−ＡＣＫコードブックを生成してもよい。すなわち、第２のＨＡＲＱ−ＡＣＫコードブックは、ＵＲＬＬＣのデータを伝送するＰＤＳＣＨに対応するＨＡＲＱ−ＡＣＫ情報ビットを含んでもよい。ｅＭＢＢのデータを伝送するＰＤＳＣＨは、前述のようなＰＤＳＣＨ  Ａであってもよい。ＵＲＬＬＣのデータを伝送するＰＤＳＣＨは、前述のようなＰＤＳＣＨ  Ｂであってもよい。
【０１８３】
基地局装置３は、端末装置１に対して上位層の信号ａｄｄｉｔｉｏｎａｌＣｏｄｅｂｏｏｋ―ｕｒｌｌｃを設定してもよい。上位層の信号ａｄｄｉｔｉｏｎａｌＣｏｄｅｂｏｏｋ―ｕｒｌｌｃは、端末装置１に２つのＨＡＲＱ−ＡＣＫコードブックを生成することを設定するために用いられてもよい。本実施形態において、端末装置１に上位層の信号（例えば、ａｄｄｉｔｉｏｎａｌＣｏｄｅｂｏｏｋ―ｕｒｌｌｃ）が設定されることは、該上位層の信号（例えば、ａｄｄｉｔｉｏｎａｌＣｏｄｅｂｏｏｋ―ｕｒｌｌｃ）が‘有効（Ｅｎａｂｌｅ）’にセットされることを意味してもよい。また、端末装置１に上位層の信号（例えば、ａｄｄｉｔｉｏｎａｌＣｏｄｅｂｏｏｋ―ｕｒｌｌｃ）が設定されることは、該上位層の信号（例えば、ａｄｄｉｔｉｏｎａｌＣｏｄｅｂｏｏｋ―ｕｒｌｌｃ）が提供（送信）されることを意味してもよい。すなわち、端末装置１にａｄｄｉｔｉｏｎａｌＣｏｄｅｂｏｏｋ―ｕｒｌｌｃが設定される場合、端末装置１は、１つまたは２つのコードブックを生成してもよい。端末装置１は、ＰＤＳＣＨ  Ａに対応するＨＡＲＱ−ＡＣＫ情報ビットを送信するために、第１のＨＡＲＱ−ＡＣＫコードブックを生成してもよい。すなわち、ＰＤＳＣＨ  Ａに対するＨＡＲＱ−ＡＣＫは第１のＨＡＲＱ−ＡＣＫコードブックに対応付けられてもよい。また、端末装置１は、ＰＤＳＣＨ  Ｂに対応するＨＡＲＱ−ＡＣＫ情報ビットを送信するために、第２のＨＡＲＱ−ＡＣＫコードブックを生成してもよい。すなわち、ＰＤＳＣＨ  Ｂに対するＨＡＲＱ−ＡＣＫは第２のＨＡＲＱ−ＡＣＫコードブックに対応付けられてもよい。端末装置１が第１のＨＡＲＱ−ＡＣＫコードブックを生成する際に、端末装置１は、上位層の信号ｐｄｓｃｈ−ＨＡＲＱ−ＡＣＫ−Ｃｏｄｅｂｏｏｋに示されるＨＡＲＱ−ＡＣＫコードブックのタイプに基づいて、第１のＨＡＲＱ−ＡＣＫコードブックを生成してもよい。前述のように、ｐｄｓｃｈ−ＨＡＲＱ−ＡＣＫ−Ｃｏｄｅｂｏｏｋが‘ｓｅｍｉ−ｓｔａｔｉｃ’に設定されている場合、第１のＨＡＲＱ−ＡＣＫコードブックの生成に対してタイプ１ＨＡＲＱ−ＡＣＫコードブック決定の手順が適用されてもよい。ｐｄｓｃｈ−ＨＡＲＱ−ＡＣＫ−Ｃｏｄｅｂｏｏｋが‘ｄｙｎａｍｉｃ’に設定されている場合、第１のＨＡＲＱ−ＡＣＫコードブックの生成にタイプ２ＨＡＲＱ−ＡＣＫコードブック決定の手順が適用されてもよい。また、端末装置１が第２のＨＡＲＱ−ＡＣＫコードブックを生成する際に、端末装置１は、予めに決めたＨＡＲＱ−ＡＣＫコードブックのタイプに基づいて、第２のＨＡＲＱ−ＡＣＫコードブックを生成してもよい。例えば、予めに決めたＨＡＲＱ−ＡＣＫコードブックのタイプは、タイプ２（タイプ２ＨＡＲＱ−ＡＣＫコードブック決定の手順）であってもよい。すなわち、端末装置１が第２のＨＡＲＱ−ＡＣＫコードブックを生成する際に、端末装置１は、タイプ２ＨＡＲＱ−ＡＣＫコードブック決定の手順を用いて、第２のＨＡＲＱ−ＡＣＫコードブックを生成してもよい。すなわち、第２のＨＡＲＱ−ＡＣＫコードブックの生成に対して、タイプ２ＨＡＲＱ−ＡＣＫコードブック決定の手順が適用されてもよい。また、予めに決めたＨＡＲＱ���ＡＣＫコードブックのタイプは、タイプ１（タイプ１ＨＡＲＱ−ＡＣＫコードブック決定の手順）であってもよい。
【０１８４】
また、基地局装置３は、端末装置１に対して上位層の信号ｐｄｓｃｈ−ＨＡＲＱ−ＡＣＫ−Ｃｏｄｅｂｏｏｋ―ｕｒｌｌｃを設定してもよい。そして、端末装置１は、上位層の信号ｐｄｓｃｈ−ＨＡＲＱ−ＡＣＫ−Ｃｏｄｅｂｏｏｋ―ｕｒｌｌｃに示されるＨＡＲＱ−ＡＣＫコードブックのタイプに基づいて、第２のＨＡＲＱ−ＡＣＫコードブックを生成してもよい。ｐｄｓｃｈ−ＨＡＲＱ−ＡＣＫ−Ｃｏｄｅｂｏｏｋ―ｕｒｌｌｃが‘ｓｅｍｉ−ｓｔａｔｉｃ’に設定されている場合、第２のＨＡＲＱ−ＡＣＫコードブックの生成に対してタイプ１ＨＡＲＱ−ＡＣＫコードブック決定の手順が適用されてもよい。ｐｄｓｃｈ−ＨＡＲＱ−ＡＣＫ−Ｃｏｄｅｂｏｏｋ―ｕｒｌｌｃが‘ｄｙｎａｍｉｃ’に設定されている場合、第２のＨＡＲＱ−ＡＣＫコードブックの生成にタイプ２ＨＡＲＱ−ＡＣＫコードブック決定の手順が適用されてもよい。
【０１８５】
また、基地局装置３は、端末装置１に対して上位層の信号ａｄｄｉｔｉｏｎａｌＣｏｄｅｂｏｏｋ―ｕｒｌｌｃを設定しなくてもよい。本実施形態において、端末装置１に上位層の信号（例えば、ａｄｄｉｔｉｏｎａｌＣｏｄｅｂｏｏｋ―ｕｒｌｌｃ）が設定されていないことは、該上位層の信号（例えば、ａｄｄｉｔｉｏｎａｌＣｏｄｅｂｏｏｋ―ｕｒｌｌｃ）が‘無効（Ｄｉｓａｂｌｅ）’にセットされていることを意味してもよい。端末装置１に上位層の信号（例えば、ａｄｄｉｔｉｏｎａｌＣｏｄｅｂｏｏｋ―ｕｒｌｌｃ）が設定されていないことは、該上位層の信号（例えば、ａｄｄｉｔｉｏｎａｌＣｏｄｅｂｏｏｋ―ｕｒｌｌｃ）が提供（送信）されていないことを意味してもよい。上位層の信号が送信されていないことは、端末装置１に送信されるＲＲＣ情報の中に該上位層の信号が
欠けている（absent）ことであってもよい。すなわち、端末装置１にａｄｄｉｔｉｏｎａｌＣｏｄｅｂｏｏｋ―ｕｒｌｌｃが設定されていない場合、端末装置１は、１つのコードブックを生成してもよい。すなわち、端末装置１は、ＰＤＳＣＨ  Ｂに対応するＨＡＲＱ−ＡＣＫ情報ビットを送信するために、第１のＨＡＲＱ−ＡＣＫコードブックを生成してもよい。すなわち、ＰＤＳＣＨ  Ｂに対するＨＡＲＱ−ＡＣＫは第１のＨＡＲＱ−ＡＣＫコードブックに対応付けられてもよい。端末装置１が第１のＨＡＲＱ−ＡＣＫコードブックを生成する際に、端末装置１は、予めに決めたＨＡＲＱ−ＡＣＫコードブックのタイプに基づいて、第１のＨＡＲＱ−ＡＣＫコードブックを生成してもよい。例えば、予めに決めたＨＡＲＱ−ＡＣＫコードブックのタイプは、タイプ２（タイプ２ＨＡＲＱ−ＡＣＫコードブック決定の手順）であってもよい。すなわち、端末装置１が第１のＨＡＲＱ−ＡＣＫコードブックを生成する際に、端末装置１は、タイプ２ＨＡＲＱ−ＡＣＫコードブック決定の手順を用いて、第１のＨＡＲＱ−ＡＣＫコードブックを生成してもよい。すなわち、この場合に、第１のＨＡＲＱ−ＡＣＫコードブックの生成に対して、タイプ２ＨＡＲＱ−ＡＣＫコードブック決定の手順が適用されてもよい。また、予めに決めたＨＡＲＱ−ＡＣＫコードブックのタイプは、タイプ１（タイプ１ＨＡＲＱ−ＡＣＫコードブック決定の手順）であってもよい。
【０１８６】
また、基地局装置３は、端末装置１に対して上位層の信号ａｄｄｉｔｉｏｎａｌＣｏｄｅｂｏｏｋ―ｕｒｌｌｃを設定しなくてもよい。すなわち、端末装置１にａｄｄｉｔｉｏｎａｌＣｏｄｅｂｏｏｋ―ｕｒｌｌｃが設定されていない場合、端末装置１は、１つのコードブックを生成してもよい。すなわち、端末装置１は、ＰＤＳＣＨ  Ｂに対応するＨＡＲＱ−ＡＣＫ情報ビットを送信するために、第１のＨＡＲＱ−ＡＣＫコードブックを生成してもよい。すなわち、ＰＤＳＣＨ  Ｂに対するＨＡＲＱ−ＡＣＫは第１のＨＡＲＱ−ＡＣＫコードブックに対応付けられてもよい。端末装置１が第１のＨＡＲＱ−ＡＣＫコードブックを生成する際に、端末装置１は、上位層の信号ｐｄｓｃｈ−ＨＡＲＱ−ＡＣＫ−Ｃｏｄｅｂｏｏｋ（または、ｐｄｓｃｈ−ＨＡＲＱ−ＡＣＫ−Ｃｏｄｅｂｏｏｋ―ｕｒｌｌｃ）に示されるＨＡＲＱ−ＡＣＫコードブックのタイプに基づいて、第１のＨＡＲＱ−ＡＣＫコードブックを生成してもよい。ｐｄｓｃｈ−ＨＡＲＱ−ＡＣＫ−Ｃｏｄｅｂｏｏｋ（または、ｐｄｓｃｈ−ＨＡＲＱ−ＡＣＫ−Ｃｏｄｅｂｏｏｋ―ｕｒｌｌｃ）が‘ｓｅｍｉ−ｓｔａｔｉｃ’に設定されている場合、第１のＨＡＲＱ−ＡＣＫコードブックの生成に対してタイプ１ＨＡＲＱ−ＡＣＫコードブック決定の手順が適用されてもよい。ｐｄｓｃｈ−ＨＡＲＱ−ＡＣＫ−Ｃｏｄｅｂｏｏｋ（または、ｐｄｓｃｈ−ＨＡＲＱ−ＡＣＫ−Ｃｏｄｅｂｏｏｋ―ｕｒｌｌｃ）が‘ｄｙｎａｍｉｃ’に設定されている場合、第１のＨＡＲＱ−ＡＣＫコードブックの生成にタイプ２ＨＡＲＱ−ＡＣＫコードブック決定の手順が適用されてもよい。
【０１８７】
また、端末装置１にａｄｄｉｔｉｏｎａｌＣｏｄｅｂｏｏｋ―ｕｒｌｌｃが設定されていない場合、端末装置１は、１つのコードブックを生成してもよい。端末装置１は、ＰＤＳＣＨ  ＡおよびＰＤＳＣＨ  Ｂに対応するＨＡＲＱ−ＡＣＫ情報ビットを送信するために、第１のＨＡＲＱ−ＡＣＫコードブックを生成してもよい。すなわち、端末装置１は、ＰＤＳＣＨ  Ａに対するＨＡＲＱ−ＡＣＫ情報ビットもＰＤＳＣＨ  Ｂに対するＨＡＲＱ−ＡＣＫ情報ビットも第１のＨＡＲＱ−ＡＣＫコードブックに対応づけられるようにしてもよい。
【０１８８】
以下、タイプ２ＨＡＲＱ−ＡＣＫコードブック決定の手順について説明する。
【０１８９】
タイプ２ＨＡＲＱ−ＡＣＫコードブック決定の手順において、端末装置１は、サービングセルのアクティブＤＬ ＢＷＰにおいて、ＰＤＳＣＨをスケジュールするＤＣＩフォー
マットを含むＰＤＣＣＨまたはＳＰＳ  ＰＤＳＣＨリリースのためのモニタリング機会（Ｍｏｎｉｔｏｒｉｎｇ  Ｏｃｃａｓｉｏｎｓ）を決定してもよい。端末装置１は、該ＰＤＳＣＨまたはＳＰＳ  ＰＤＳＣＨリリースに対するＨＡＲＱ−ＡＣＫをスロットｎでの同じＰＵＣＣＨで送信してもよい。該ＰＤＣＣＨモニタリング機会は、ＰＤＳＣＨ−ｔｏ−ＨＡＲＱ＿ｆｅｅｄｂａｃｋ  タイミング値、および、スロットオフセットＫ０に少なくとも基づいて与えられてもよい。ＰＤＳＣＨ−ｔｏ−ＨＡＲＱ＿ｆｅｅｄｂａｃｋ  タイミング値ｋは、ＰＤＳＣＨをスケジュールするＤＣＩフォーマットに含まれるＰＤＳＣＨ−ｔｏ−ＨＡＲＱ−ｔｉｍｉｎｇ−ｉｎｄｉｃａｔｏｒフィールドに示されてもよい。第２のＨＡＲＱ−ＡＣＫコードの送信に対して、該ＰＤＳＣＨ−ｔｏ−ＨＡＲＱ＿ｆｅｅｄｂａｃｋ  タイミング値ｋは、ＰＵＣＣＨサブスロットの数であってもよい。第１のＨＡＲＱ−ＡＣＫコードの送信に対して、該ＰＤＳＣＨ−ｔｏ−ＨＡＲＱ＿ｆｅｅｄｂａｃｋ  タイミング値ｋは、スロット（ＰＵＣＣＨスロット）の数であってもよい。例えば、端末装置１がＤＣＩフォーマットでスケジュールされるスロットｎにおけるＰＤＳＣＨを受信したら、端末装置１は、スロットｎ＋ｋにおけるＰＵＣＣＨで該ＰＤＳＣＨに対するＨＡＲＱ−ＡＣＫを送信してもよい。ただし、第２のＨＡＲＱ−ＡＣＫコードの送信に対して、端末装置１は、ＰＵＣＣＨサブスロットｎ＋ｋにおけるＰＵＣＣＨでＰＤＳＣＨに対するＨＡＲＱ−ＡＣＫを送信してもよい。ブックスロットオフセットＫ０は、前述のように、ＤＣＩを含むＰＤＣＣＨとそのＰＤＳＣＨとの間のスロットオフセットであってもよい。以下、図８を使って、タイプ２ＨＡＲＱ−ＡＣＫコードブック決定の手順を説明する。図８は、タイプ２ＨＡＲＱ−ＡＣＫコードブック決定の手順の一例を示す図である。
【０１９０】
図８において、端末装置１に２つのサービングセル（サービングセルｃ１、サービングセルｃ２）が設定されている。端末装置１は、スロットｎにＰＵＣＣＨを送信してもよい。端末装置１は、スロットｎでＨＡＲＱ−ＡＣＫを含むＰＵＣＣＨ送信（８００）に対応するＰＤＣＣＨモニタリング機会を決定してもよい。ＰＤＳＣＨ受信をスケジュールするＤＣＩフォーマットまたはＳＰＳ  ＰＤＳＣＨリリースのためのＰＤＣＣＨモニタリング機会のセットは、設定されたサービングセルのアクティブＤＬ  ＢＷＰにわたるＰＤＣＣＨモニタリング機会の集合として定義され、ＰＤＣＣＨモニタリング機会と関連付けられるサーチスペースセットの開始時間の昇順に並べられてもよい。該ＰＤＣＣＨモニタリング機会のセットの基数（cardinality）は、Ｍである。図８において、Ｍの値は、４である。ｍは、ＰＤＣＣＨモニタリング機会のインデックスである。ｍの値は、０からＭ−１までの値を取る。図８において、ＰＤＣＣＨモニタリング機会８０１、８０２は、ＰＤＣＣＨモニタリング機会のインデックスｍ＝０に関連する。ＰＤＣＣＨモニタリング機会８０３は、ＰＤＣＣＨモニタリング機会のインデックスｍ＝１に関連する。ＰＤＣＣＨモニタリング機会８０４は、ＰＤＣＣＨモニタリング機会のインデックスｍ＝２に関連する。ＰＤＣＣＨモニタリング機会８０５は、ＰＤＣＣＨモニタリング機会のインデックスｍ＝３に関連する。
【０１９１】
カウンターＤＡＩ（Downlink Assingment Indicator）の値は、現在のサービングセル
と現在のＰＤＣＣＨモニタリング機会で｛サービングセル、ＰＤＣＣＨモニタリング機会｝ペアの累積数を示してもよい。該｛サービングセル、ＰＤＣＣＨモニタリング機会｝ペアでのＤＣＩフォーマットに対応付けられるＰＤＳＣＨ受信またはＳＰＳ  ＰＤＳＣＨリリースは、存在する。｛サービングセル、ＰＤＣＣＨモニタリング機会｝ペアの累積数は、最初にサービングセルインデックスの昇順で、次にＰＤＣＣＨモニタリング機会のインデックスｍの昇順でカウンター（マップ）されてもよい。即ち、累積数の値は、ＰＤＣＣＨモニタリング機会８０１、８０２、８０３，８０４、８０５の順で累積されてもよい。カウンターＤＡＩは、ＤＣＩ  ＡまたはＤＣＩ  Ｂに含まれてもよい。例えば、ＰＤＣＣＨモニタリング機会８０４で検出されるＤＣＩフォーマットに示されるカウンターＤＡＩの値は、サービングセルｃ２におけるＰＤＣＣＨモニタリング機会ｍ＝２までに検出されるＤＣＩフォーマット（｛サービングセル、ＰＤＣＣＨモニタリング機会｝ペア）の累積数を示してもよい。
【０１９２】
トータルＤＡＩ（Ｔｏｔａｌ  ＤＡＩ）の値は、現在のＰＤＣＣＨモニタリング機会ｍでの｛サービングセル、ＰＤＣＣＨモニタリング機会｝ペアの総数を示してもよい。該｛サービングセル、ＰＤＣＣＨモニタリング機会｝ペアでのＤＣＩフォーマットに対応付けられるＰＤＳＣＨ受信またはＳＰＳ  ＰＤＳＣＨリリースは、存在する。｛サービングセル、ＰＤＣＣＨモニタリング機会｝ペアの総数は、ＰＤＣＣＨモニタリング機会からＰＤＣＣＨモニタリング機会に更新されてもよい。すなわち、同じインデックスのＰＤＣＣＨモニタリング機会において、検出されるＤＣＩフォーマットに示されるトータルＤＡＩの値は同じであってもよい。端末装置１は、トータルＤＡＩに少なくとも基づいて、ＰＵＣＣＨ８００で送信されるＯＡＣＫの値を決定してもよい。
【０１９３】
次に、タイプ１ＨＡＲＱ−ＡＣＫコードブック決定の手順について説明する。
【０１９４】
タイプ１ＨＡＲＱ−ＡＣＫコードブック決定の手順において、端末装置１は、スロットｎにおけるＰＵＣＣＨ９００と関連する候補ＰＤＳＣＨ受信の機会のセットＭＡ，Ｃを決定してもよい。該候補ＰＤＳＣＨ受信の機会で受信されるＰＤＳＣＨに対応するＨＡＲＱ−ＡＣＫは、スロットｎＵにおけるＰＵＣＣＨで送信されてもよい。あるサービングセルｃに対して、端末装置１は、スロットタイミング値Ｋ１のセットに少なくとも基づいて、候補ＰＤＳＣＨ受信の機会のセットＭＡ，Ｃを決定してもよい。第２のＨＡＲＱ−ＡＣＫコードの送信に対して、スロットタイミング値Ｋ１は、ＰＵＣＣＨサブスロットの数であってもよい。第１のＨＡＲＱ−ＡＣＫコードの送信に対して、スロットタイミング値Ｋ１は、スロット（ＰＵＣＣＨスロット）の数であってもよい。スロットタイミング値Ｋ１のセットは、スロットタイミング値｛１，２，３，４，５，６，７，８｝および／または上位層の信号ｄｌ−ＤａｔａＴｏＵＬ−ＡＣＫに少なくとも基づいて与えられてもよい。以下、図９を使って、タイプ１ＨＡＲＱ−ＡＣＫコードブック決定の手順を説明する。図９は、タイプ１ＨＡＲＱ−ＡＣＫコードブック決定の手順の一例を示す図である。
【０１９５】
図９において、与えられたスロットタイミング値Ｋ１のセットは、｛１，２｝であってもよい。すなわち、端末装置１は、スロットｎＵ―２およびスロットｎＵ―１での候補ＰＤＳＣＨ受信に対応するＨＡＲＱ−ＡＣＫをスロットｎＵにおけるＰＵＣＣＨ９００で送信してもよい。ただし、第２のＨＡＲＱ−ＡＣＫコードの送信に対して、端末装置１は、ＰＵＣＣＨサブスロットｎＵにおけるＰＵＣＣＨでＰＤＳＣＨに対するＨＡＲＱ−ＡＣＫを送信してもよい。候補ＰＤＳＣＨ受信の機会の時間領域リソース割り当て（スタートシンボルＳ、および、連続的な割り当てシンボル数Ｌ）は、前述のようなｐｄｓｃｈ−ＴｉｍｅＤｏｍａｉｎＡｌｌｏｃａｔｉｏｎＬｉｓｔに少なくとも基づいて与えられてもよい。図９において、９０１、９０２、９０３、および、９０４は、スロットｎＵ―２での候補ＰＤＳＣＨ受信の機会である。９０５、９０６、９０７、および、９０８は、スロットｎＵ―２での候補ＰＤＳＣＨ受信の機会である。
【０１９６】
端末装置１は、スロットｎＵ―２における候補ＰＤＳＣＨ受信の機会｛９０１、９０２、９０３、９０４｝の内、終了するＯＦＤＭシンボルのインデックスが一番小さい候補ＰＤＳＣＨ受信の機会９０１を第１の機会セットに入れてもよい。もし、他の候補ＰＤＳＣＨ受信の機会のスタートシンボルインデックスＳが、候補ＰＤＳＣＨ受信の機会９０１の終了ＯＦＤＭシンボルのインデックスと同じまたは小さい場合、端末装置１は、該候補ＰＤＳＣＨ受信の機会を第１の機会セットに入れてもよい。すなわち、端末装置１は、候補ＰＤＳＣＨ受信の機会９０２を第１の機会セットに入れてもよい。次に、端末装置１は、第１の機会セットに含まれない候補ＰＤＳＣＨ受信の機会｛９０３、９０４｝の内、終了するＯＦＤＭシンボルのインデックスが一番小さい候補ＰＤＳＣＨ受信の機会９０４を第２の機会セットにいれてもよい。もし、他の候補ＰＤＳＣＨ受信の機会のスタートシンボルインデックスＳが、候補ＰＤＳＣＨ受信の機会９０４の終了ＯＦＤＭシンボルのインデックスと同じまたは小さい場合、端末装置１は、該候補ＰＤＳＣＨ受信の機会を第２の機会セットに入れてもよい。すなわち、端末装置１は、候補ＰＤＳＣＨ受信の機会９０３を第２の機会セットに入れてもよい。
【０１９７】
同様に、端末装置１は、スロットｎＵ―２における候補ＰＤＳＣＨ受信の機会｛９０５、９０６、９０７、９０８｝の内、終了するＯＦＤＭシンボルのインデックスが一番小さい候補ＰＤＳＣＨ受信の機会９０５を第３の機会セットに入れてもよい。もし、他の候補ＰＤＳＣＨ受信の機会のスタートシンボルインデックスＳが、候補ＰＤＳＣＨ受信の機会９０５の終了ＯＦＤＭシンボルのインデックスと同じまたは小さい場合、端末装置１は、該候補ＰＤＳＣＨ受信の機会を第３の機会セットに入れてもよい。すなわち、端末装置１は、候補ＰＤＳＣＨ受信の機会９０６を第３の機会セットに入れてもよい。次に、端末装置１は、第３の機会セットに含まれない候補ＰＤＳＣＨ受信の機会｛９０７、９０８｝の内、終了するＯＦＤＭシンボルのインデックスが一番小さい候補ＰＤＳＣＨ受信の機会９０８を第４の機会セットにいれてもよい。もし、他の候補ＰＤＳＣＨ受信の機会のスタートシンボルインデックスＳが、候補ＰＤＳＣＨ受信の機会９０８の終了ＯＦＤＭシンボルのインデックスと同じまたは小さい場合、端末装置１は、該候補ＰＤＳＣＨ受信の機会を第４の機会セットに入れてもよい。すなわち、図９において、サービングセルｃに対して、候補ＰＤＳＣＨ受信の機会のセットＭＡ，Ｃの基数は４である。端末装置１は、機会セットのそれぞれに対応するＨＡＲＱ−ＡＣＫを生成してもよい。端末装置１は、決められた候補ＰＤＳＣＨ受信の機会のセットＭＡ，Ｃに少なくとも基づいて、ＰＵＣＣＨ９００で送信されるＯＡＣＫの値を決定してもよい。
【０１９８】
以下、本実施形態における装置の構成について説明する。
【０１９９】
図１７は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベー
スバンド部１３を含んで構成される。上位層処理部１４は、媒体アクセス制御層処理部１５、無線リソース制御層処理部１６を含んで構成される。無線送受信部１０を送信部、受信部、モニタ部、または、物理層処理部とも称する。上位層処理部１４を測定部１４、選択部１４、決定部１４または制御部１４とも称する。
【０２００】
上位層処理部１４は、ユーザの操作等により生成された上りリンクデータ（トランスポートブロックと称されてもよい）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の一部あるいはすべての処理を行なう。上位層処理部１４は、基地局装置３から受信した上位層の信号および／または下りリンク制御情報に基づいて、物理上りリンク共用チャネルを送信するための時間パラメータを決定する機能を備えてもよい。
【０２０１】
上位層処理部１４が備える媒体アクセス制御層処理部１５は、ＭＡＣレイヤ（媒体アクセス制御層）の処理を行なう。媒体アクセス制御層処理部１５は、無線リソース制御層処理部１６によって管理されている各種設定情報／パラメータに基づいて、スケジューリング要求の伝送の制御を行う。
【０２０２】
上位層処理部１４が備える無線リソース制御層処理部１６は、ＲＲＣレイヤ（無線リソース制御層）の処理を行なう。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。無線リソース制御層処理部１６は、基地局装置３から受信した下りリンク制御情報に基づいてリソース割り当てを制御（特定）する。
【０２０３】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３等に送信する。無線送受信部１０は、基地局装置３から受信した上位層の信号（ＲＲＣメッセージ）、ＤＣＩなどを上位層処理部１４に出力する。また、無線送受信部１０は、上位層処理部１４からの指示に基づいて、上りリンク信号（物理上りリンク制御チャネルおよび／または物理上りリンク共用チャネルを含む）を生成して送信する。無線送受信部１０は、物理下りリンク制御チャネルおよび／または物理下りリンク共用チャネルを受信する機能を備えてもよい。無線送受信部１０は、物理上りリンク制御チャネルおよび／または物理上りリンク共用チャネルを送信する機能を備えてもよい。無線送受信部１０は、物理下りリンク制御チャネルで下りリンク制御情報を受信する機能を備えてもよい。無線送受信部１０は、物理下りリンク制御チャネルで受信した下りリンク制御情報を上位層処理部１４に出力する機能を備えてもよい。
【０２０４】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０２０５】
ベースバンド部１３は、ＲＦ部１２から入力されたアナログ信号を、アナログ信号をデジタル信号に変換する。ベースバンド部１３は、変換したデジタル信号からＣＰ（Cyclic
Prefix）に相当する部分を除去し、ＣＰを除去した信号に対して高速フーリエ変換（Fast Fourier Transform: FFT）を行い、周波数領域の信号を抽出する。
【０２０６】
ベースバンド部１３は、データを逆高速フーリエ変換（Inverse Fast Fourier Transform: IFFT）して、ＯＦＤＭシンボルを生成し、生成されたＯＦＤＭシンボルにＣＰを付加し、ベースバンドのデジタル信号を生成し、ベースバンドのデジタル信号をアナログ信号に変換する。ベースバンド部１３は、変換したアナログ信号をＲＦ部１２に出力する。
【０２０７】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は在圏セルにおいて送信する上りリンク信号および／または上りリンクチャネルの送信電力を決定する機能を備えてもよい。ＲＦ部１２を送信電力制御部とも称する。
【０２０８】
図１８は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、無線リソース制御層処理部３６を含んで構成される。無線送受信部３０を送信部、受信部、モニタ部、または、物理層処理部とも称する。また様々な条件に基づき各部の動作を制御する制御部を別途備えてもよい。上位層処理部３４を、決定部３４または制御部３４とも称する。
【０２０９】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層
の一部あるいはすべての処理を行なう。上位層処理部３４は、端末装置１に送信した上位層の信号に基づいて、物理上りリンク共用チャネルを送信するための時間パラメータに基づいて下りリンク制御情報を生成する機能を備えてもよい。上位層処理部３４は、生成した下りリンク制御情報などを無線送受信部３０に出力する機能を備えてもよい。
【０２１０】
上位層処理部３４が備える媒体アクセス制御層処理部３５は、ＭＡＣレイヤの処理を行なう。媒体アクセス制御層処理部３５は、無線リソース制御層処理部３６によって管理されている各種設定情報／パラメータに基づいて、スケジューリングリクエストに関する処理を行う。
【０２１１】
上位層処理部３４が備える無線リソース制御層処理部３６は、ＲＲＣレイヤの処理を行なう。無線リソース制御層処理部３６は、端末装置１にリソースの割当情報を含む下りリンク制御情報（上りリンクグラント、下りリンクグラント）を生成する。無線リソース制御層処理部３６は、下りリンク制御情報、物理下りリンク共用チャネルに配置される下りリンクデータ（トランスポートブロック、ランダムアクセス応答）、システム情報、ＲＲＣメッセージ、ＭＡＣ  ＣＥ（Control Element）などを生成し、又は上位ノードから取
得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。無線リソース制御層処理部３６は、あるセルにおける１つまたは複数の参照信号の設定を特定するための情報を送信／報知してもよい。
【０２１２】
基地局装置３から端末装置１にＲＲＣメッセージ、ＭＡＣ  ＣＥ、および／またはＰＤＣＣＨを送信し、端末装置１がその受信に基づいて処理を行う場合、基地局装置３は、端末装置が、その処理を行っていることを想定して処理（端末装置１やシステムの制御）を行う。すなわち、基地局装置３は、端末装置にその受信に基づく処理を行わせるようにするＲＲＣメッセージ、ＭＡＣ  ＣＥ、および／またはＰＤＣＣＨを端末装置１に送っている。
【０２１３】
無線送受信部３０は、端末装置１に上位層の信号（ＲＲＣメッセージ）、ＤＣＩなどを送信する。また、無線送受信部３０は、上位層処理部３４からの指示に基づいて、端末装置１から送信した上りリンク信号を受信する。無線送受信部３０は、物理下りリンク制御チャネルおよび／または物理下りリンク共用チャネルを送信する機能を備えてもよい。無線送受信部３０は、物理上りリンク制御チャネルおよび／または物理上りリンク共用チャネルを受信する機能を備えてもよい。無線送受信部３０は、物理下りリンク制御チャネルで下りリンク制御情報を送信する機能を備えてもよい。無線送受信部３０は、上位層処理部３４が出力した下りリンク制御情報を物理下りリンク制御チャネルで送信する機能を備えてもよい。その他、無線送受信部３０の一部の機能は、無線送受信部１０と同様であるため説明を省略する。なお、基地局装置３が１つまたは複数の送受信点４と接続している場合、無線送受信部３０の機能の一部あるいは全部が、各送受信点４に含まれてもよい。
【０２１４】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図１８において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、上位層処理部３４には、無線リソース管理（Ｒａｄｉｏ  Ｒｅｓｏｕｒｃｅ  Ｍａｎａｇｅｍｅｎｔ）層処理部や、アプリケーション層処理部が存在している。
【０２１５】
なお、図中の「部」とは、セクション、回路、構成装置、デバイス、ユニットなど用語によっても表現される、端末装置１および基地局装置３の機能および各手順を実現する要素である。
【０２１６】
端末装置１が備える符号１０から符号１６が付された部のそれぞれは、回路として構成されてもよい。基地局装置３が備える符号３０から符号３６が付された部のそれぞれは、回路として構成されてもよい。
【０２１７】
（１）本発明の第１の態様における端末装置１は、上位層のパラメータ、ＰＤＳＣＨを受信する受信部１０と、ＨＡＲＱ−ＡＣＫコードブックを生成し、前記生成したＨＡＲＱ−ＡＣＫコードブックをＰＵＣＣＨで送信する送信部１０と、を備え、第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、前記第１のパラメータが設定されない場合、第１のＨＡＲＱ−ＡＣＫコードブックが生成され、前記第１のＨＡＲＱ−ＡＣＫコードブックは、ＰＤＳＣＨ  Ｂに対応するＨＡＲＱ−ＡＣＫビットを送信するために使われる。
【０２１８】
（２）本発明の第２の態様における基地局装置３は、上位層のパラメータ、ＰＤＳＣＨを送信する送信部３０と、ＨＡＲＱ−ＡＣＫコードブックをＰＵＣＣＨで受信する受信部３０と、を備え、第１のパラメータが設定される場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、前記第１のパラメータが設定されない場合、第１のＨＡＲＱ−ＡＣＫコードブックが生成され、前記第１のＨＡＲＱ−ＡＣＫコードブックは、ＰＤＳＣＨ  Ｂに対応するＨＡＲＱ−ＡＣＫビットを送信するために使われる。
【０２１９】
（３）本発明の第１の態様または第２の態様において、前記第１のパラメータが設定される場合、前記第１のＨＡＲＱ−ＡＣＫコードブックは、上位層のパラメータpdsch-HARQ-ACK-Codebookによって示されるコードブックのタイプに基づき生成され、前記第２のＨＡＲＱ−ＡＣＫコードブックは、所定のタイプに基づき生成される。
【０２２０】
（４）本発明の第１の態様または第２の態様において、前記第１のパラメータが設定される場合、前記第１のＨＡＲＱ−ＡＣＫコードブックは、上位層のパラメータpdsch-HARQ-ACK-Codebookによって示されるコードブックのタイプに基づき生成され、前記第２のＨＡＲＱ−ＡＣＫコードブックは、上位層のパラメータpdsch-HARQ-ACK-Codebook-Urllcによって示されるコードブックのタイプに基づき生成される。
【０２２１】
（５）本発明の第１の態様または第２の態様において、前記第１のパラメータが設定されない場合、前記第１のＨＡＲＱ−ＡＣＫコードブックは、所定のタイプに基づき生成される。
【０２２２】
（６）本発明の第１の態様または第２の態様において、前記第１のパラメータが設定されない場合、前記第１のＨＡＲＱ−ＡＣＫコードブックは、上位層のパラメータpdsch-HARQ-ACK-Codebook-Urllcによって示されるコードブックのタイプに基づき生成される。
【０２２３】
（７）本発明の第１の態様または第２の態様において、上位層の信号pdsch-HARQ-ACK-C
odebookまたはpdsch-HARQ-ACK-Codebook-Urllcは、タイプ１とタイプ２の何れかを示すために用いられ、前記所定のタイプはタイプ２である。
【０２２４】
（８）本発明の第１の態様または第２の態様において、前記第１のパラメータが設定されない場合、前記第１のＨＡＲＱ−ＡＣＫコードブックは、所定のタイプに基づき生成される。
【０２２５】
（９）本発明の第１の態様または第２の態様において、前記第１のパラメータが設定されない場合、ＰＤＳＣＨ  Ａに対するＨＡＲＱ−ＡＣＫもＰＤＳＣＨ  Ｂに対するＨＡＲＱ−ＡＣＫも前記第１のＨＡＲＱ−ＡＣＫコードブックに対応付けられるようにする。
【０２２６】
（９）本発明の第１の態様または第２の態様において、前記ＰＤＳＣＨ  Ａは、ＤＣＩ
ＡによってスケジュールされるＰＤＳＣＨであり、前記ＰＤＳＣＨ  Ｂは、ＤＣＩ  ＢによってスケジュールされるＰＤＳＣＨであり、前記ＤＣＩ  Ａに付加されたＣＲＣをスクランブルするＲＮＴＩの値が第１の範囲であり、前記ＤＣＩ  Ｂに付加されたＣＲＣをスクランブルするＲＮＴＩの値が前記第１の範囲とは異なる第２の範囲である。
【０２２７】
（１０）本発明の第１の態様または第２の態様において、前記ＰＤＳＣＨ  Ａは、ＤＣＩ  ＡによってスケジュールされるＰＤＳＣＨであり、前記ＰＤＳＣＨ  Ｂは、ＤＣＩ  ＢによってスケジュールされるＰＤＳＣＨであり、前記ＤＣＩ  Ａに用いられるフォーマットが第１のフォーマットであり、前記ＤＣＩ  Ｂに用いられるフォーマットが前記第１のフォーマットと異なる第２のフォーマットであることである。
【０２２８】
これにより、端末装置１は、効率的に基地局装置３と通信することができる。例えば、異なるサービス（ｅＭＢＢ、ＵＲＬＬＣ）のデータの受信に対して、端末装置１は、異なるＰＤＳＣＨに対応するＨＡＲＱ−ＡＣＫの送信を決定することができる。また、基地局装置３は、効率的に端末装置１と通信することができる。例えば、異なるサービス（ｅＭＢＢ、ＵＲＬＬＣ）のデータの送信に対して、基地局装置３は、異なるＰＤＳＣＨに対応するＨＡＲＱ−ＡＣＫの受信を決定することができる。
【０２２９】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０２３０】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０２３１】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマ
ブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０２３２】
なお、本発明に関わる実施形態では、基地局装置と端末装置で構成される通信システムに適用される例を記載したが、Ｄ２Ｄ（Device to Device）のような、端末同士が通信を行うシステムにおいても適用可能である。
【０２３３】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２３４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２３５】
１（１Ａ、１Ｂ）  端末装置
３  基地局装置
４  送受信点（ＴＲＰ）
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
５０  送信ユニット（ＴＸＲＵ）
５１  位相シフタ
５２  アンテナエレメント
【図１】
2020182169.tif 000003
【図２】
2020182169.tif 000004
【図３】
2020182169.tif 000005
【図４】
2020182169.tif 000006
【図５】
2020182169.tif 000007
【図６】
2020182169.tif 000008
【図７】
2020182169.tif 000009
【図８】
2020182169.tif 000010
【図９】
2020182169.tif 000011
【図１０】
2020182169.tif 000012
【図１１】
2020182169.tif 000013
【図１２】
2020182169.tif 000014
【図１３】
2020182169.tif 000015
【図１４】
2020182169.tif 000016
【図１５】
2020182169.tif 000017
【図１６】
2020182169.tif 000018
【図１７】
2020182169.tif 000019
【図１８】
2020182169.tif 000020